(57)【要約】      （修正有）【課題】変化する特性を有するゴルフクラブヘッドセットの実施形態を提供する。【解決手段】上領域４０１４０と、上領域の反対側のソール領域４０１３０と、トウ領域４０１１０と、トウ領域の反対側のヒール領域４０１２０と、中心支持棒４０２１０および下支持棒４０２２０を有する支持構造体と、前面、前面の反対側の後面、および不均一な厚さを有する打撃面であって、打撃面の最薄部分は、打撃面の前面から前記後面までの最小の垂直距離として測定される約０．０８０インチ以下の厚さを有する、打撃面と、挿入体を受け入れる空洞４０１８０であって、挿入体の前記後面との接触面積は、前面の表面積の２０％〜４５％である、前記空洞と、を備える、ゴルフクラブヘッド。【選択図】図３２
2020195804.tif 000002
【特許請求の範囲】
【請求項１】
上領域と、
前記上領域の反対側のソール領域と、
トウ領域と、
前記トウ領域の反対側のヒール領域と、
中心支持棒および下支持棒を有する支持構造体と、
前面、前記前面の反対側の後面、および不均一な厚さを有する打撃面であって、前記打撃面の最薄部分は、前記打撃面の前記前面から前記後面までの最小の垂直距離として測定される約０．０８０インチ以下の厚さを有する、前記打撃面と、
挿入体を受け入れる空洞であって、前記挿入体の前記後面との接触面積は、前記前面の表面積の２０％〜４５％である、前記空洞と、を備える、ゴルフクラブヘッド。
【請求項２】
前記中心支持棒は、前記上領域の近くから前記ソール領域の近くに向かって増大する幅を有し、
前記下支持棒は、中心近くから前記ヒール領域および前記トウ領域の近くに向かって縮小する高さを有する、請求項１に記載のゴルフクラブヘッド。
【請求項３】
前記打撃面は、
前記中心支持棒によって補強される前記打撃面の一部分を備える中心帯と、
前記クラブヘッドの前記ヒール領域の近くで、前記支持構造体からの補強のない前記打撃面の一部分を備えるヒール帯と、
前記クラブヘッドの前記トウ領域の近くで、前記支持構造体からの補強のない前記打撃面の一部分を備えるトウ帯と、
前記中心帯、前記ヒール帯、前記トウ帯、および前記下支持棒を包囲する前記打撃面の一部分を備える周辺帯と、をさらに備え、
前記ヒール帯における前記打撃面の前記厚さは、前記トウ帯における前記打撃面の前記厚さと略同一であり、
前記ヒール帯および前記トウ帯における前記打撃面の前記厚さは、前記中心帯における前記打撃面の前記厚さより小さく、
前記中心帯における前記打撃面の前記厚さは、前記周辺帯における前記打撃面の前記厚さより小さい、請求項１に記載のゴルフクラブヘッド。
【請求項４】
前記空洞は、約４．５ｃｃから約５．０ｃｃまでの範囲にある容積をさらに備える、請求項１に記載のゴルフクラブヘッド。
【請求項５】
前記空洞の前記容積は約４．０ｃｃ以上である、請求項４に記載のゴルフクラブヘッド。
【請求項６】
前記挿入体は、前記後面に隣接する前記空洞の開口を越えて延在する、請求項１に記載のゴルフクラブヘッド。
【請求項７】
前記挿入体は、前記後面に隣接する前記空洞の開口を越えて、約０．１５インチから０．２０インチの距離まで延在する、請求項１に記載のゴルフクラブヘッド。
【請求項８】
前記挿入体は、前記後面に隣接する前記空洞の開口を越えて、約０．２５インチ以下の距離まで延在する、請求項１に記載のゴルフクラブヘッド。
【請求項９】
前記クラブヘッドの重心を通り、前記ヒール領域から前記トウ領域まで延在するｘ軸の周りにおける慣性モーメントは、８０ｇｉｎ２以上である、請求項１に記載のゴルフクラブヘッド。
【請求項１０】
前記クラブヘッドの重心を通り、前記上領域から前記ソール領域まで延在するｙ軸の周りにおける慣性モーメントは、３５０ｇｉｎ２以上である、請求項１に記載のゴルフクラブヘッド。
【請求項１１】
前記空洞は、
空洞内側区域と、
空洞外側区域と、
空洞ヒール帯と、
空洞トウ帯と、
空洞中心帯と、を備え、
前記空洞は、前記空洞ヒール帯または前記空洞トウ帯のいずれかにおいてよりも前記空洞中心帯において幅広であり、
前記前面と前記空洞内側区域の露出面との間の距離は、前記空洞中心帯においてよりも前記空洞ヒール帯および前記空洞トウ帯において大きい、請求項１に記載のゴルフクラブヘッド。
【請求項１２】
前記打撃面の前記最薄部分は、約０．０７５インチ以下の厚さを有する、請求項１に記載のゴルフクラブヘッド。
【請求項１３】
前記打撃面の前記最薄部分は、約０．０７０インチ以下の厚さを有する、請求項１に記載のゴルフクラブヘッド。
【請求項１４】
前記挿入体の前記後面との前記接触面積は、前記前面の前記表面積の２５％〜４５％である、請求項１に記載のゴルフクラブヘッド。
【請求項１５】
前記挿入体の前記後面との前記接触面積は、前記前面の前記表面積の３０％〜４５％である、請求項１に記載のゴルフクラブヘッド。
【請求項１６】
上領域と、
前記上領域の反対側のソール領域と、
トウ領域と、
前記トウ領域の反対側のヒール領域と、
中心支持棒および下支持棒を有する支持構造体と、
前面、前記前面の反対側の後面、上端、前記上端の反対側の下端、上方領域、下方領域、および不均一な厚さを有する打撃面と、
挿入体を受け入れる空洞であって、前記挿入体の前記後面との接触面積は、前記前面の表面積の２０％〜４５％である、前記空洞と、を備え、
前記打撃面の前記上方領域は、前記空洞の上部と前記打撃面の前記上端との間に位置決めされており、０．０９０インチ以下の最小の上方の厚さを含み、
前記打撃面の前記下方領域は、前記空洞の上部と前記打撃面の前記下端との間に位置決めされており、０．１０インチ以下の最小の下方の厚さを含む、ゴルフクラブヘッド。
【請求項１７】
前記後面との前記挿入体の前記接触面積は、前記前面の前記表面積の２５％〜４５％である、請求項１６に記載のゴルフクラブヘッド。
【請求項１８】
前記後面との前記挿入体の前記接触面積は、前記前面の前記表面積の３０％〜４５％である、請求項１６に記載のゴルフクラブヘッド。
【請求項１９】
前記後面との前記挿入体の前記接触面積は、０．９ｉｎ２より大きい、請求項１６に記載のゴルフクラブヘッド。
【請求項２０】
前記後面との前記挿入体の前記接触面積は、１．０ｉｎ２より大きい、請求項１６に記載のゴルフクラブヘッド。
【発明の詳細な説明】
【技術分野】
【０００１】
関連出願の相互参照
これは、２０１１年４月２８日に出願された米国特許出願第１３／０９６，９４４号の継続出願である２０１４年６月１６日に出願された米国特許出願第１４／３０６，０３３号の一部継続である。一方、米国特許出願第１３／０９６，９４４号は、（ｉ）２０１０年６月１日に出願された米国特許出願第１２／７９１，７３４号（現在は米国特許第８，６９０，７１０号）、（ｉｉ）２０１０年６月１日に出願された米国特許出願第１２／７９１，７３８号（現在、米国特許第８，５７４，０９４号）、および（ｉｉｉ）２０１０年６月１日に出願された米国特許出願第１２／７９１，７４０号（現在、米国特許第８，６５７，７００号）の一部継続出願であり、（ｉ）〜（ｉｉｉ）の特許出願の各々は、２０１０年４月１２日に出願された米国仮特許出願第６１／３２３，３４９号の便益を主張し、２００７年７月２５日に出願された米国特許出願第１１／８２８，２６０号（現在は放棄されている）の一部継続出願である。米国特許出願第１３／０９６，９４４号は、２０１１年３月１７日に出願された米国仮特許出願第６１／４５３，９０４号の便益も主張する。前述の出願のすべての内容は、本明細書において参照により完全に組み込まれている。
これは、２０１６年１月１１日に出願された米国仮特許出願第６２／２７７，３４２号、および、２０１６年４月５日に出願された米国仮特許出願第６２／３１８，６６５号の便益も主張し、各々が本明細書において参照により完全に組み込まれている。
【０００２】
本開示は、概してスポーツ用品に関し、より詳細にはクラブヘッドおよび関連する方法に関する。
【背景技術】
【０００３】
様々な設計のゴルフクラブ、明確に言えば、ゴルフクラブヘッドが、典型的には、人のゴルフスイングと、結果生じるゴルフショットとを改善させるために開発されてきた。具体的には、多くの人々は、ボールを「打ち込む」とき、打つことができない、または、一貫性を欠いてしまい、ボールを正面から規則的に打つことができない。ゴルフクラブの設計、特には、ゴルフクラブヘッドの設計は、ゴルフクラブヘッドの重心位置および慣性モーメントなど、ゴルフクラブヘッドの重み付けの構成を最適化できる。このような設計は、人の非一貫性の問題を緩和できる。後への重み付けおよび／または追加のより低いトウへの重み付けによって、重心を戦略的に位置決めでき、人に自身のスイングの間にボールを「打ち込む」ようにさせることで、ボールを正面から打たせることができる。
【図面の簡単な説明】
【０００４】
【図１】本明細書に記載したゴルフクラブおよび製造の方法の実施形態による例示のゴルフクラブヘッドの分解図である。
【図２】図１の例示のゴルフクラブヘッドの前面図である。
【図３】図１における切断線３−３から切り取られた例示のゴルフクラブヘッドの分解断面図である。
【図４】図１における切断線４−４から切り取られた例示のゴルフクラブヘッドの分解断面図である。
【図５】図１の例示のゴルフクラブヘッドの斜視図である。
【図６】ゴルフクラブヘッドが製造され得る１つの手法のフローチャートを描写している。
【図７】ゴルフクラブが製造され得る１つの手法のフローチャートを描写している。
【図８】本明細書に記載したゴルフクラブおよび製造の方法の実施形態による変化特性を伴うクラブヘッドセットのクラブヘッドの後面図である。
【図９】図８のクラブヘッドのトウ側の図である。
【図１０】クラブヘッドが分解状態にある図８のクラブヘッドの本体の後面図である。
【図１１】クラブヘッドが分解状態にある図８のクラブヘッドのクラブヘッドセットの別のクラブヘッドの本体の後面図である。
【図１２】クラブヘッドが分解状態にある図８のクラブヘッドのクラブヘッドセットのなおも別のクラブヘッドの本体の後面図である。
【図１３】図１０の線１３−１３に沿う図８および図１０のクラブヘッドの断面図である。
【図１４】図１１の線１４−１４に沿う図１１のクラブヘッドの断面図である。
【図１５】図１２の線１５−１５に沿う図１２のクラブヘッドの断面図である。
【図１６】図８〜図１５の例示のクラブヘッドセットについてのロフト角に対する支持棒の幅の例示の関係のグラフである。
【図１７】本明細書に記載したゴルフクラブおよび製造の方法の実施形態による変化特性を伴うクラブヘッドセットのいくつかのクラブヘッドの図である。
【図１８】図８の線１８−１８に沿う図８のクラブヘッドの断面図である。
【図１９】本明細書に記載したゴルフクラブおよび製造の方法の実施形態による、図８〜図１８の例示のクラブヘッドについて、ロフト角と、下方トウ挿入体から前面までの間の距離との間の例示の関係のグラフである。
【図２０】図８〜図１９について記載されているクラブヘッドセットと同様のクラブヘッドセットを提供するための方法のフローチャートである。
【図２１】本明細書に記載したゴルフクラブおよび製造の方法の実施形態による、図８〜図１９について記載されているクラブヘッドセットと同様のクラブヘッドセットを提供するための別の方法のフローチャートである。
【図２２】支持棒の幅とロフト角／クラブヘッド番号との間の関係についてのサンプル範囲でのグラフである。
【図２３】下方トウ挿入体からクラブヘッド前面までの距離とロフト角／クラブヘッド番号との間の関係についてのサンプル範囲でのグラフである。
【図２４】図８〜図１０、図１３、および図１８に示されているクラブヘッドと同様のクラブヘッドを提供するための方法のフローチャートである。
【図２５】本明細書に記載したゴルフクラブおよび製造の方法の実施形態による変化特性を伴うクラブヘッドセットのクラブヘッドの後面図である。
【図２６】図２５のクラブヘッドセットの別のクラブヘッドの後面図である。
【図２７】図２５のクラブヘッドセットのなおも別のクラブヘッドの後面図である。
【図２８】ゴルフボールを打つ態勢にある図２５のクラブヘッドの上からの「透視」の図である。
【図２９】図２５のクラブヘッドと同様の、変化する安定化棒を伴うクラブヘッドの後面図である。
【図３０】図２５のクラブヘッドと同様の、複数の安定化棒を伴うクラブヘッドの後面図である。
【図３１】図２５〜図３０によるクラブヘッドセットを提供するための方法のフローチャートである。
【図３２】本明細書に記載したゴルフクラブおよび製造の方法の実施形態による例示のゴルフクラブヘッドの後面図である。
【図３３】図３２のゴルフクラブヘッドの切断線３３−３３から切り取られた断面図である。
【図３４】図３２の例示のゴルフクラブヘッドの別の後面図である。
【発明を実施するための形態】
【０００５】
図示の簡潔性および明確性のために、描画した図は、構造の大まかな様態を示しており、よく知られている特徴および技術の記載および詳細は、ゴルフクラブおよびそれらの製造の方法を不必要に不明瞭にすることを回避するために省略されることがある。また、描画した図における要素は、必ずしも原寸に比例して描かれていない。例えば、図における要素のうちの一部の寸法は、ゴルフクラブおよびそれらの製造の方法の実施形態の理解を向上させるのを助けるために、他の要素に対して誇張される可能性がある。異なる図における同じ符号は同じ要素を示している。
【０００６】
ここでの記載および請求項における「第１」、「第２」、「第３」、「第４」などの用語は、あれば、同様の要素の間の区別のために使用され、必ずしも特定の順次的または経時的な順番を記載するためではない。そのように使用される用語は、本明細書に記載されているゴルフクラブおよび製造の方法の実施形態が、例えば、図示または本明細書で記載されているもの以外の順番で作用できるように、適切な状況の下で相互に置き換え可能であることは、理解されるものである。さらに、「含む」、「備える」、「有する」、およびそれらのあらゆる変化の用語は、非排他的に含むことを網羅することが意図されており、そのため、要素の列記を備える工程、方法、物品、または装置は、必ずしもそれらの要素に限定されず、明示的に列記されていない他の要素、または、このような工程、方法、物品、もしくは装置に固有の他の要素を含んでもよい。
【０００７】
ここでの記載および請求項における「左」、「右」、「前」、「後」、「上」、「下」、「側」、「〜の下」、「〜の上」などの用語は、あれば、説明のために使用され、必ずしも恒久的な相対位置を記載するものではない。そのように使用される用語は、本明細書に記載されているゴルフクラブおよび製造の方法の実施形態が、例えば、図示または本明細書で記載されているもの以外の配向で作用できるように、適切な状況の下で相互に置き換え可能であることは、理解されるものである。本明細書で使用されているような「結合」という用語は、電気的、物理的、機械的、または他の手法で直接的または間接的に連結されるとして定義される。
【０００８】
本明細書に記載したゴルフクラブおよび製造の方法の一実施形態では、ゴルフクラブヘッドは、トウ領域と、トウ領域の反対側のヒール領域と、ソール領域と、ソール領域の反対側の上領域とを有する本体を備える。ゴルフクラブヘッドは、前面と、前面の反対側の第１の後部と、前面の反対側で、第１の後部より前面から遠くへと延在する第２の後部とをさらに備える。第２の後部は、ヒール領域からトウ領域へと延在し、ソール領域から、ソール領域と上領域との間のおおよそ中間点まで延在する。ゴルフクラブヘッドは、第１の後部と第２の後部との間の第１の空洞と、トウ領域において第２の後部と一体の第２の空洞とをさらに備える。この実施形態は、第１の空洞において挿入される第１の錘と、第２の空洞において挿入される第２の錘とをさらに備え得る。
【０００９】
ゴルフクラブおよび製造の方法の別の実施形態では、ゴルフクラブヘッドは、前面と、ヒール領域と、ヒール領域の反対側のトウ領域と、ソールとを備える本体を備える。ソールは、ヒール領域からトウ領域へと延在し、前面から後ソールエッジまで延在する。ゴルフクラブヘッドは、ソールの反対側の上部と、前面の反対側で前面と実質的に平行な第１の後部とをさらに備える。第１の後部は、ヒール領域からトウ領域へと延在し、ソールと上部との間の中間点から上部へと延在する。ゴルフクラブヘッドは、後ソールエッジからおおよそ中間点まで延在する前面の反対側の第２の後部をさらに備える。ゴルフクラブヘッドは、第２の後部と前面との間の長方形の第１の空洞と、トウ領域において第２の後部と一体の第２の空洞とをさらに備える。この実施形態は、第１の空洞において挿入される第１の錘と、第２の空洞において挿入される第２の錘とをさらに備え得る。
【００１０】
ゴルフクラブおよび製造の方法の他の実施形態では、ゴルフクラブは、本明細書に記載された、シャフトに結合されているゴルフクラブヘッドを備える。ゴルフクラブは０．７５のホーゼル比をさらに備え、ここでホーゼル比は前面距離に対するホーゼル距離を含む。ホーゼル距離は、ヒール領域における位置から第１の端の反対側の第２の端まで延在し、前面距離は、その位置からトウエッジまで前面に沿ってソールと実質的に平行に測定される距離を含む。ゴルフクラブは、第１の空洞を占有するための第１の錘と、第２の空洞を占有するための第２の錘とをさらに備え得る。
【００１１】
ゴルフクラブおよび製造の方法の実施形態では、ゴルフクラブヘッドを製造する方法は、トウ領域と、トウ領域の反対側のヒール領域と、ソール領域と、ソール領域の反対側の上領域とを有する本体を提供することを含む。この実施形態は、前面と、前面の反対側の第１の後部と、前面の反対側で、第１の後部より前面から遠くへと延在する第２の後部とをさらに備える。第２の後部は、ヒール領域からトウ領域へと延在し、ソール領域から、ソール領域と上領域との間のおおよそ中間点まで延在する。本体は、第１の後部と第２の後部との間の第１の空洞と、トウ領域において第２の後部と一体の第２の空洞とを備えるようにさらに提供される。この実施形態は、第１の空洞において挿入される第１の錘を提供することと、第２の空洞において挿入される第２の錘を提供することとをさらに含み得る。
【００１２】
ロフト角、前面、前面の反対側の後面、および、後面から突出する１つまたは複数の支持棒を各々備える２つ以上のクラブヘッドをクラブヘッドセットが備え得る本開示による例があり得る。ロフト角は、２つ以上のクラブヘッドにわたって増分で変化させられてもよく、また、ロフト角が２つ以上のクラブヘッドにわたって増分で変化させられるにつれて、１つまたは複数の支持棒の特性が２つ以上のクラブヘッドにわたって増分で変化させられる。
【００１３】
クラブヘッドセットが第１のクラブヘッドおよび第２のクラブヘッドを備え得る本開示による例もあり得る。第１のクラブヘッドは、第１のロフト角と、第１の前面と、第１のヒール領域、第１のトウ領域、第１の前面の反対側で第１のヒール領域と第１のトウ領域との間に延在する第１の後面、および、第１の後面に結合される１つまたは複数の第１の支持棒を備える第１の後部分とを備え得る。第２のクラブヘッドは、第２のロフト角と、第２の前面と、第２のヒール領域、第２のトウ領域、第２の前面の反対側で第２のヘッド領域と第２のトウ領域との間に延在する第２の後面、および、第２の後面に結合される１つまたは複数の第２の支持棒を備える第２の後部分とを備え得る。このような例では、第１のロフト角は第２のロフト角より大きく、１つまたは複数の第１の支持棒の属性は、１つまたは複数の第２の支持棒の属性より大きい。
【００１４】
方法がクラブヘッドセットを提供することを含み得る本開示による例もあり得る。クラブヘッドセットを提供することは、第１のクラブヘッドを提供することを含むことができ、第１のクラブヘッドは、第１のロフト角と、第１の前面と、第１のヒール領域、第１のトウ領域、第１の前面の反対側で第１のヒール領域と第１のトウ領域との間に延在する第１の後面、および、第１の後面に結合される１つまたは複数の第１の支持棒を備える第１の後部分とを備え、１つまたは複数の第１の支持棒は第１の支持棒特性を備える。クラブヘッドセットを提供することは、第２のクラブヘッドを提供することも含むことができ、第２のクラブヘッドは、第２のロフト角と、第２の前面と、第２のヒール領域、第２のトウ領域、第２の前面の反対側で第２のヒール領域と第２のトウ領域との間に延在する第２の後面、および、第２の後面に結合される１つまたは複数の第２の支持棒を備える第２の後部分とを備え、１つまたは複数の第２の支持棒は第２の支持棒特性を備える。このような例では、第１のクラブヘッドを提供することは、第１のロフト角を第２のロフト角より大きくさせることと、第１の支持棒特性を、第２の支持棒特性より大きくさせることとを含む。
【００１５】
クラブヘッドセットが、ロフト角、前面、および、前面の反対側の後面を備える後側を各々備える２つ以上のクラブヘッドと、後側の下方トウ区域のみに位置付けられる錘とを備え得る本開示による例もあり得る。このような例では、ロフト角は２つ以上のクラブヘッドにわたって変化させられてもよく、錘の第１の特性は２つ以上のクラブヘッドにわたって変化させられてもよく、錘の第２の特性は２つ以上のクラブヘッドにわたって変化させられてもよく、第１の特性および第２の特性は互いに対して逆に変化させられてもよい。
【００１６】
クラブヘッドセットが第１のクラブヘッドおよび第２のクラブヘッドを備え得る本開示による例もあり得る。第１のクラブヘッドは、第１のロフト角と、第１の前面と、第１のヒール領域、第１の下方トウ区域を備える第１のトウ領域、および、第１の前面の反対側で第１のヒール領域と第１のトウ領域との間に延在する第１の後面を備える第１の後部分とを備え得る。第２のクラブヘッドは、第２のロフト角と、第２の前面と、第２のヒール領域、第２の下方トウ区域を備える第２のトウ領域、および、第２の前面の反対側で第２のヒール領域と第２のトウ領域との間に延在する第２の後面を備える第２の後部分とを備え得る。第１のクラブヘッドは、第１のトウ領域の第１の下方トウ区域において第１の錘を備えてもよく、第２のクラブヘッドは、第２のトウ領域の第２の下方トウ区域において第２の錘を備えてもよい。このような例では、第１のロフト角は第２のロフト角より大きくてもよく、第１の錘と第２の錘とは実質的に同様の質量を備えてもよく、第１の錘と第２の錘とは互いに対応する第１の寸法を各々備え、第１の錘と第２の錘とは互いに対応する第２の寸法を各々備える。第１の錘の第１の寸法が第２の錘の第１の寸法より大きいとき、第２の錘の第２の寸法は第１の錘の第２の寸法より大きくてもよい。第１の錘の第２の寸法が第２の錘の第２の寸法より大きいとき、第２の錘の第１の寸法は第１の錘の第１の寸法より大きくてもよい。
【００１７】
方法がクラブヘッドセットを提供することを含み得る本開示による例もあり得る。クラブヘッドセットを提供することは、クラブヘッドセットの第１のクラブヘッドを提供することと、クラブヘッドセットの第２のクラブヘッドを提供することとを含み得る。第１のクラブヘッドは、第１のロフト角と、第１の前面と、第１の前面の反対側で第１の後部分のヒール領域とトウ領域との間に延在する第１の後面、および、第１の空洞を備える第１の下方トウ区域を備える第１の後部分とを備え得る。第２のクラブヘッドは、第２のロフト角と、第２の前面と、第２の前面の反対側で第２の後部分のヒール領域とトウ領域との間に延在する第２の後面、および、第２の空洞を備える第２の下方トウ区域を備える第２の後部分とを備え得る。第１のクラブヘッドを提供することは、第１の錘を第１の空洞において提供することと、第１のロフト角を第２のロフト角より大きくさせることとを含み得る。第２のクラブヘッドを提供することは、第２の錘を第２の空洞において提供することを含み得る。第１の錘を提供することは、第１の錘の第１の長さと、第１の幅と、第１の深さとを提供することを備え得る。第２の錘を提供することは、第２の錘の第２の長さが第１の錘の第１の長さより大きくなるように、または、第２の錘の第２の幅が第１の錘の第１の幅より大きくなるように、第２の錘の第２の長さおよび第２の幅を提供することを含み得る。第２の錘を提供することは、第１の錘の第１の深さが第２の錘の第２の深さより大きくなるように第２の錘の第２の深さを提供することを含んでもよい。
【００１８】
ゴルフクラブヘッドが前面および後部分を備え得る本開示による例もあり得る。後部分は、ヒール領域と、トウ領域と、ヒール領域とトウ領域との間の中心領域と、ヒール領域とトウ領域との間に延在する後端と、空洞とを備え得る。空洞は、空洞ヒール帯と、空洞トウ帯と、空洞ヒール帯と空洞トウ帯との間の空洞中心帯と、前面に向けて位置付けられる空洞内側区域と、後端に向けて位置付けられる空洞外側区域とを備え得る。空洞は、空洞ヒール帯および空洞トウ帯においてよりも空洞中心帯において幅広であり得る。
【００１９】
方法が、ゴルフクラブヘッドのための挿入体を提供すること、および／または、クラブヘッドの本体を提供することを含み得る本開示による例もあり得る。挿入体を提供することは、挿入ヒール帯と挿入トウ帯とを提供することと、挿入ヒール帯および挿入トウ帯より厚い挿入体中心帯を挿入ヒール帯と挿入トウ帯との間に提供することとを含み得る。本体を提供することは、後面および後端を本体の後部分において提供することと、空洞を後面と後端との間に提供することとを含み得る。空洞は、後面に隣接する空洞内側区域と、後端の反対側の空洞外側区域と、空洞ヒール帯と、空洞トウ帯と、空洞ヒール帯と空洞トウ帯との間における空洞ヒール帯および空洞トウ帯より厚い空洞中心帯とを備え得る。挿入体は、空洞において少なくとも部分的に収容されるように提供され得る。
【００２０】
ゴルフクラブヘッドがクラブヘッドの本体の後部分と挿入体とを備え得る本開示による例もあり得る。後部分は、ヒール領域と、トウ領域と、ヒール領域とトウ領域との間の中心領域と、前面の反対側でヒール領域とトウ領域との間に延在する後面と、ヒール領域とトウ領域との間に延在する後壁と、後面と後壁との間に位置付けられる空洞とを備え得る。空洞は、空洞ヒール帯と、空洞トウ帯と、空洞ヒール帯と空洞トウ帯との間の空洞中心帯と、後面の一部分を備える空洞内壁と、後壁の反対側に位置付けられる空洞外壁とを備え得る。挿入体は、挿入体ヒール帯と、挿入体トウ帯と、挿入体ヒール帯と挿入体トウ帯との間の挿入体中心帯と、空洞内壁に対して相補的な挿入体内壁と、空洞外壁に対して相補的な挿入体外壁とを備え得る。ゴルフクラブヘッドは、中心領域の周りに慣性モーメントを備え得る。挿入体は、空洞において少なくとも部分的に収容されるように構成され得る。空洞は、空洞ヒール帯および空洞トウ帯においてよりも空洞中心帯において、空洞内壁から空洞外壁へと幅広であり得る。挿入体は、挿入体ヒール帯および挿入体トウ帯においてよりも挿入体中心帯において、挿入体内壁から挿入体外壁へと幅広であり得る。空洞内壁の質量の分配は空洞中心帯に集中され得る。挿入体の質量の分配は、挿入体ヒール帯および挿入体トウ帯から離れて挿入体中心帯に向かって移され得る。ゴルフクラブヘッドの本体の密度は、挿入体の密度より大きくてもよい。空洞ヒール帯および空洞トウ帯においてクラブヘッドの本体によって与えられる慣性モーメントの第１の部分は、挿入体ヒール帯および挿入体トウ帯において挿入体によって与えられる慣性モーメントの第２の部分より大きくなり得る。挿入体ヒール帯および挿入体トウ帯は、挿入体中心帯の周りで、挿入体内壁に沿って互いに対して鈍角とされ得る。空洞内壁は、挿入体内壁に対して相補的に鈍角とされ得る。挿入体は、空洞からの挿入体の取り外しの間に助けとなる把持部分を備えてもよく、把持部分は、挿入体が空洞に収容されるときに空洞の外部に留まるように構成され得る。
【００２１】
ゴルフクラブヘッドセットが、第１の打撃面と、第１の打撃面の反対側の第１の後面と、第１の上端と、第１の上端の反対側の第１の下端と、第１のトウ端と、第１のトウ端を備える第１のトウ領域と、第１のトウ端の反対側の第１のヒール端と、第１のヒール端を備える第１のヒール領域と、第１の上端および第１の下端を通って実質的に垂直に延在し、第１のヒール領域と第１のトウ領域との間に延在する第１の鉛直軸とを備え得る本開示による例もあり得る。第１の後面は、トウ領域において位置付けられると共に第１の空洞基部を備える第１の空洞と、第１の空洞基部の少なくとも一部分を画定する第１の空洞壁とを備え得る。第１の後面は第１の棒を備えてもよく、第１の棒は、第１の棒の長さに沿って延在する第１の棒軸を備える。第１の棒は、第１の空洞基部から突出し、第１の空洞の少なくとも第１の部分を横切って、第１の鉛直軸に対して斜めに延在してもよい。第１の棒軸は、第１の鉛直軸と交差でき、第１の鉛直軸から第１のトウ端および第１の上端に向かって延在することができる。
【００２２】
ゴルフクラブヘッドセットが、第１の打撃面と、第１の打撃面の反対側の第１の後面と、第１の上端と、第１の上端の反対側の第１の下端と、第１のトウ端と、第１のトウ端を備える第１のトウ領域と、第１のトウ端の反対側の第１のヒール端と、第１のヒール端を備える第１のヒール領域と、第１の上端および第１の下端を通って実質的に垂直に延在し、第１のヒール領域と第１のトウ領域との間に延在する第１の鉛直軸とを備え得る本開示による例もあり得る。第１の後面は、トウ領域において位置付けられると共に第１の空洞基部を備える第１の空洞と、第１の空洞基部を画定する第１の空洞壁とを備え得る。第１の後面は、第１の空洞基部から突出し、第１の鉛直軸に対して第１の棒角度で斜めにされ、第１の空洞を横切って延在する第１の棒を備えてもよい。第１の後面は、第１の後面から突出すると共に、上部分と、下部分と、上部分および下部分より細い中間部分と、それら上部分、下部分、および中間部分を間に定めるヒール側壁およびトウ側壁とを備える第１の砂時計形支持体を備えてもよい。第１の砂時計形支持体のトウ側壁は第１の空洞基部の上方に突出し得る。第１の空洞壁は第１の砂時計形支持体のトウ側壁を備えてもよい。
【００２３】
ゴルフクラブヘッドセットを提供するための方法が、対角の安定化棒を備える１つまたは複数のクラブヘッドの第１のクラブヘッドを提供することを含み得る本開示による例もあり得る。第１の鉛直軸が、第１のクラブヘッドの第１の上端および第１の下端を貫いて、第１のクラブヘッドの第１のヒール領域と第１のトウ領域との間で延び得る。第１のクラブヘッドを提供することは、第１のクラブヘッドの第１の打撃面の反対側の第１の後面を提供することと、第１の後面および第１のトウ領域において第１の空洞を提供することと、第１の空洞内にあって第１の空洞から突出する第１の棒を提供することとを含み得る。第１の棒は、第１の棒の長さに沿って延在する第１の棒軸を備え得る。１つまたは複数のクラブヘッドの対角の安定化棒は第１の棒を備え得る。第１の空洞を提供することは、第１の空洞基部を提供することと、第１の空洞基部を画定する第１の空洞壁を提供することとを含み得る。第１の棒を提供することは、第１の棒軸が第１の鉛直軸と交差し、第１の鉛直軸から第１のクラブヘッドの第１のトウ端および第１の上端に向かって延在するように、第１の棒を第１の鉛直軸に対して第１の棒角度で斜めに位置合わせすることを含み得る。
【００２４】
一部の実施形態はゴルフクラブヘッドを備える。ゴルフクラブヘッドは、打撃面と、打撃面の反対側の後面と、上端と、上端の反対側の下端と、トウ端と、トウ端を備えるトウ領域と、トウ端の反対側のヒール端と、ヒール端を備えるヒール領域とを備える。さらに、ゴルフクラブヘッドは鉛直軸を備える。鉛直軸は、後面の水平な中心線に対して実質的に垂直に延在し、トウ端とヒール端との間のおおよそ中ほどに位置付けられ、上端および下端を通じて延在し、ヒール領域をトウ領域から区分する。なおもさらには、ゴルフクラブヘッドは、打撃面から離れるように、クラブヘッドの少なくとも上端と下端とに沿って延在する後面において周辺錘を備える。また、ゴルフクラブヘッドは、鉛直軸を横断すると共に上端における周辺錘と下端における周辺錘との間で延在する後面において、砂時計形支持体を備える。砂時計形支持体は、上砂時計形部分と、下砂時計形部分と、上砂時計形部分および下砂時計形部分より細い中間砂時計形部分と、砂時計形支持体の上砂時計形部分、中間砂時計形部分、および下砂時計形部分を間に定めるヒール砂時計形側壁およびトウ砂時計形側壁とを備える。これらの実施形態では、中間砂時計形部分は、ゴルフクラブヘッドの重心を持ち上げるために水平の中心線の上方に位置付けられ得る、ならびに／または、上砂時計形部分は、ゴルフクラブヘッドの重心を持ち上げるために下砂時計形部分より幅広および／もしくは厚くてもよい。これらの実施形態または他の実施形態においてはさらに、ゴルフクラブヘッドはゴルフクラブヘッドのセットの一部であり得る。
【００２５】
ゴルフクラブおよび製造の方法の他の実施形態では、ゴルフクラブが、上領域と、上領域の反対側のソール領域と、トウ領域と、トウ領域の反対側のヒール領域と、中心支持棒および下支持棒を有する支持構造体と、前面および前面の反対側の後面を有する打撃面であって、打撃面の最も薄い部分が、打撃面の前面から後面までの最小の垂直距離として測定される約０．０８０インチ以下の厚さを有する、打撃面と、挿入体を受け入れるように構成される空洞であって、挿入体の後面との接触面積は前面の表面積の２０％〜４５％を含む、空洞とを有するゴルフクラブヘッドを備える。
【００２６】
一部の実施形態では、中心支持棒は、上領域の近くからソール領域の近くに向かって増大する幅を有し、下支持棒は、中心近くからクラブヘッドのヒール領域およびトウ領域の近くに向かって縮小する高さを有する。
【００２７】
一部の実施形態では、クラブヘッドの打撃面は、中心支持棒によって補強される打撃面の一部分を備える中心帯と、クラブヘッドのヒール領域の近くで、支持構造体からの補強のない打撃面の一部分を備えるヒール帯と、クラブヘッドのトウ領域の近くで、支持構造体からの補強のない打撃面の一部分を備えるトウ帯と、中心帯、ヒール帯、トウ帯、および下支持棒を包囲する打撃面の一部分を備える周辺帯とをさらに備えてもよく、ヒール帯における打撃面の厚さは、トウ帯における打撃面の厚さとおおよそ同じであり、ヒール帯およびトウ帯における打撃面の厚さは、中心帯における打撃面の厚さより小さく、中心帯における打撃面の厚さは、周辺帯における打撃面の厚さより小さい。
【００２８】
一部の実施形態では、クラブヘッドの空洞は、約４．５ｃｃから約５．０ｃｃまでの範囲にある容積を備え得る。一部の実施形態では、クラブヘッドの空洞は約４．０ｃｃ以上の容積を備え得る。
【００２９】
一部の実施形態では、挿入体は、後面に隣接する空洞の開口を越えて、約０．１５インチから０．２０インチまでの距離で延在し得る。一部の実施形態では、挿入体は、後面に隣接する空洞の開口を越えて、約０．２５インチ以下の距離で延在し得る。
【００３０】
一部の実施形態では、ヒール領域からトウ領域へとクラブヘッドの重心を通って延在するｘ軸の周りでのクラブヘッドの慣性モーメントが約８０ｇｉｎ２以上である。一部の実施形態では、上領域からソール領域へとクラブヘッドの重心を通って延在するｙ軸の周りでのクラブヘッドの慣性モーメントが約３５０ｇｉｎ２以上である。
【００３１】
他の例および実施形態も、本明細書においてさらに開示されている。このような例および実施形態は、本出願の図、請求項、および／または記載において見出され得る。
【００３２】
ここで図を見ると、図１は、ゴルフクラブおよび製造の方法の実施形態による例示のゴルフクラブヘッド１００の後方分解斜視図を示しており、図２は、ゴルフクラブヘッド１００の前面図である。本明細書に記載したゴルフクラブおよび製造の方法の一実施形態では、ゴルフクラブヘッド１００は、トウ領域１１０と、トウ領域１１０の反対側のヒール領域１２０と、ヒール領域１２０におけるホーゼル１０５と、ソール領域１３０と、ソール領域１３０の反対側の上領域１４０とを有する本体１０１とを備えている。ソール領域１３０は、ヒール領域１２０からトウ領域１１０へと延在でき、前面２５０（図２）から後ソールエッジ１６５まで延在できる。異なる実施形態では、ゴルフクラブヘッド１００は、ヒール領域１２０において、ホーゼル１０５の代わりに孔（図示せず）を有してもよい。
【００３３】
ゴルフクラブヘッド１００は、後でより詳細に説明されているように、前面２５０（図２）の反対側の第１の後部１６０（図１）と、前面２５０（図２）の反対側であって第１の後部１６０（図１）より前面２５０（図２）から遠くに延在する第２の後部１７０（図１）とをさらに備えている。第１の後部１６０は前面２５０（図２）と実質的に平行であってもよく、第１の後部１６０はヒール領域１２０からトウ領域１１０まで延在してもよい。第１の後部１６０は、ソール領域１３０と上領域１４０との間でソール１３０から中間点１１５（図１）まで延在してもよく、さらに中間点１１５から上領域１４０まで延在してもよい。第２の後部１７０（図１）は、図１および図５において分かるように、ヒール領域１２０からトウ領域１１０まで延在してもよく、ソール領域１３０と上領域１４０との間でソール領域１３０からおおよそ中間点１１５（図１）まで延在してもよい。異なる実施形態では、後面１７０（図１）が、ソール領域１３０から中間点１１５を越えて延在してもよい、または、後面１７０は、ソール領域１３０から中間点１１５の下へ延在してもよい。
【００３４】
図１および図３に示されているように、ゴルフクラブヘッド１００は第１の空洞１８０を第１の後部１６０と第２の後部１７０との間にさらに備えている。図３に示されているように、第１の空洞１８０は第１の後部１６０を第２の後部１７０から分離しており、逆もまた然りである。本明細書に記載した様々な実施形態によれば、ゴルフクラブおよび製造の方法は、長方形を有するように第１の空洞１８０を備えているが、他の構成も検討されている。例えば、第１の空洞１８０は、不規則な形、または、例えば三角形、円形、八角形、六角形などの異なる規則的な形を備え得る。別の例では、第１の空洞１８０は対称的な形または非対称の形を備えてもよい。さらに、第１の空洞１８０は様々な寸法を備えてもよい。
【００３５】
図１および図４に示されているように、ゴルフクラブヘッド１００は、下方トウ領域１１０において第２の後部１７０と一体である第２の空洞１９０も備えている。第１の空洞１８０と同様に、第２の空洞１９０はまた様々な形および寸法の構成を備えることができる。第１の空洞１８０および第２の空洞１９０の形および寸法は、慣性モーメント、重心などを調節するための、ゴルフクラブヘッド１００の実用性を最適化する変数によって、決定できる。また、本明細書に記載したゴルフクラブおよび製造の方法は、容積の変化する空洞をさらに備えることができ、容積はゴルフクラブヘッドの望ましい設計に依存できる。上記の例は２つの空洞（例えば、第１の空洞１８０および第２の空洞１９０）を記載し得るが、本明細書に記載したゴルフクラブおよび製造の方法は追加の空洞を備えてもよい。
【００３６】
ゴルフクラブヘッド１００のこの実施形態は、第１の空洞１８０において挿入される第１の錘１８５と、第２の空洞１９０において挿入される第２の錘１９５とをさらに備え得る。本明細書に記載した様々な実施形態によれば、第１の錘１８５および第２の錘１９５は様々な形および寸法の構成を備えることができる。例えば、第１の錘１８５および第２の錘１９５は、それらが挿入されるそれぞれの空洞（例えば、それぞれ第１の空洞１８０および第２の空洞１９０）と相補的である形および寸法を備え得る。別の例では、第１の錘１８５および第２の錘１９５は、それらが挿入されるそれぞれの空洞を一部だけ占有する形を備えてもよい、または、それぞれの第１の空洞１８０および第２の空洞１９０からはみ出る形を備えてもよい。第１の錘１８５および第２の錘１９５は様々な材料を備え得る。一実施形態では、第１の錘１８５は金属マトリクス材料から成る。別の実施形態では、第１の錘１８５はポリマーから成り、熱硬化性ポリマーまたは熱可塑性ポリマーのいずれかであり得る。第１の錘１８５は、一部の例では、約１ｇ／ｃｍ３（１立方センチメートル当たりのグラム）から約９ｇ／ｃｍ３までの比重を備え得る。第２の錘１９５は、金属から成ってもよく、鉄などの単一元素の金属、または、タングステンもしくはチタンの合金などの金属合金のいずれかであり得る。この実施形態では、第１の錘１８５は、最も軽いかまたは最小の密度の金属または金属合金よりも後への重み付けを調節する能力を概して提供するため、金属マトリクス材料から成り、第２の錘１９５は、外側トウ錘がゴルファに「下向き」および「外向き」のスイングをさせるように仕向けるのに有益であり得るため、金属から成る。別の実施形態では、第１の錘１８５および第２の錘１９５は、ポリマー、合成物、金属、または金属合金などの同じ材料から成ってもよい。本体１０１は、鉄、鉄合金、チタン合金などの標準的なゴルフクラブヘッド材料から成ってもよく、第１の錘１８５および第２の錘１９５は、本体１０１と同じ材料または異なる材料から成ってもよい。第１の空洞および第２の空洞についての形の決定と同様に、材料決定は、ゴルフクラブヘッドの実用性を最大化する変数に同様に依存してもよく、明確に記載したもの以外の他の材料構成が検討されている。
【００３７】
ゴルフクラブおよび製造の方法の別の実施形態では、図２に関連して、ゴルフクラブ２００が、シャフト２０８に結合されたゴルフクラブヘッド１００を備えている。この実施形態では、ゴルフクラブ２００は０．７５のホーゼル比をさらに備え得る。ホーゼル比は前面距離２５３に対するホーゼル距離２０３を含む。ホーゼル距離２０３は、おおよそヒール領域１２０における第１の端２０６から第１の端２０６の反対側の第２の端２０７までで測定される。第１の端２０６は、ホーゼル１０５の線形部分が前面２５０へと湾曲し始める位置２０４において位置付けられている。前面距離２５３は、前面２５０に沿って位置２０４からトウエッジ２１１までで実質的にソール１３０と平行に測定される距離を含む。ゴルフクラブ２００は、例えば図１に示されているように、第１の空洞１８０を占有するための第１の錘１８５と、第２の空洞１９０を占有するための第２の錘１９５とをさらに備え得る。
【００３８】
ゴルフクラブ２００は、ゴルフクラブヘッド１００の空洞と挿入された錘とを伴って本明細書で記載されているように、クラブヘッド１００における後錘およびトウ錘のカスタマイズを可能にすることで、ゴルファが自身のゴルフスイングを向上させるのを支援する例示のゴルフクラブを提供する。さらに、本明細書に記載した様々な実施形態の中で、ゴルフクラブおよびそれらの製造の方法は、アイアン、ドライバ、フェアウェイウッド、ハイブリッド、パター、およびまたは他の適切な種類のクラブについてであり得る。
【００３９】
ゴルフクラブおよび製造の方法の実施形態では、ゴルフクラブヘッドを製造するための方法６００が、ゴルフクラブヘッドを提供すること（ブロック６１０）を含む。ブロック６１０のゴルフクラブヘッドは、図１〜図５に示したゴルフクラブヘッド１００と同様であり得る。方法６００は、第１の錘を決定することと（ブロック６２０）、第１の錘を第１の空洞において固定することと（ブロック６３０）、第２の錘を決定することと（ブロック６４０）、第２の錘を第２の空洞において固定することと（ブロック６５０）をさらに含む。例として、ブロック６２０の第１の錘は、図１の第１の錘１８５と同様とでき、ブロック６４０の第２の錘は、図１の第２の錘１９５と同様とできる。
【００４０】
さらに、ブロック６２０における決定するステップは、専門のゴルフ技術者にゴルファのスイングを分析させることを含んでもよい。専門のゴルフ技術者によって分析されたスイングに依存して、より軽い錘またはより重い錘が決定され得る。同様に、ブロック６４０における決定するステップは、専門のゴルフ技術者によるゴルファのスイングの分析に基づいて、より軽い錘またはより重い錘を使用するかどうかを決定することを同じく含み得る。追加または代替で、ソフトウェア、ファームウェア、および／またはハードウェアが、第１の錘を決定する（例えば、個人のゴルフスイングと関連付けられる様々なパラメータを監視、測定、および／または分析する）ために使用されてもよい。
【００４１】
ゴルフクラブおよび製造の方法の実施形態では、ゴルフクラブを製造するための方法７００は、ゴルフクラブヘッドを提供することと（ブロック６１０）、第１の錘を決定することと（ブロック６２０）、第１の錘を第１の空洞において固定することと（ブロック６３０）、第２の錘を決定することと（ブロック６４０）、第２の錘を第２の空洞において固定することと（ブロック６５０）、本体をゴルフクラブシャフトに結合することと（ブロック７６０）とを含む。例として、ブロック７６０のシャフトは、図２のシャフト２０８と同様であり得る。また、ブロック７６０の結合するステップは、テープで貼ること、接着すること、溶接すること、加締めること、または他の適切な技術を含み得る。
【００４２】
本明細書に記載した方法の実施形態によれば、第１の錘および／または第２の錘を固定するための方法は、それらのそれぞれの空洞において錘を固定するための任意の処理を含む。例えば、錘のうちのいずれかがポリマー材料を含む場合、錘は接着剤によって接着および／または固定され得る。例えば、錘のうちのいずれかが金属から作られる場合、錘は同様に接着剤によって接着または固定されてもよく、追加で、溶接、加締めなど、空洞内で金属を固定するための任意の他の既知の方法によって固定されてもよい。
【００４３】
行為の具体的な順番が図６および図７に示されているが、これらの行為は他の時系列で実施されてもよい。例えば、図６および図７に描写された行為は、逐次的に、並行して、または同時に実施されてもよい。また、ブロック６２０および６３０の前にブロック６４０および６５０が実施されてもよく、ブロック６２０および６４０がブロック６３０および６５０の前に実施されてもよい。
【００４４】
図６および図７の記載した方法における提供するステップは、ゴルフクラブヘッドを設計することおよび／または製造することを含んでもよい。例として、図５における本体１００は鋳造過程を用いて製造され得る。さらに、記載した方法は、図１〜図５に関連して記載された本体１００の他の態様を製造するために使用されてもよい。
【００４５】
続いて図を見ると、図８は、本明細書に記載したゴルフクラブおよび製造の方法の実施形態によるクラブヘッドセット８０のうちのクラブヘッド８００の後面図を提示している。図９は、クラブヘッド８００のトウ側の図を提示している。図１０は、クラブヘッド８００が分解状態にあるクラブヘッド８００の本体８０１の後面図を示している。クラブヘッド８００は、クラブヘッド１００（図１〜図５）と同様であり、前面９５０（図９）とシャフト孔軸８０６との間にロフト角９５５（図９）を備えている。図９の本例では、シャフト孔軸８０６は、ホーゼル８０５の孔によって定められているが、シャフト孔軸８０６がクラブヘッド本体のヒールにおけるシャフト孔によって定められ得る他のホーゼルのない例であってもよい。図８の本例では、クラブヘッド８００は、前面９５０（図９）の反対側の後面８６０を備え、後部分８０２のトウ領域８１０とヒール領域８２０との間に延在する後部分８０２も備えている。一部の実施形態では、後部分８０２はクラブヘッド８００の後側として参照されてもよい。クラブヘッド８００は、本実施形態では挿入体８８５および８９５も備えている。挿入体８８５は錘１８５（図１、図３）と同様とでき、後部分８０２において、クラブヘッド１００の空洞１８０（図１、図３、図５）と同様の空洞１０８０（図１０）へと挿入され得る。下方トウ挿入体８９５はクラブヘッド１００の錘１９５と同様であり得る（図１、図４）。クラブヘッド８００は、後でさらに詳述されているように、２つ以上のゴルフクラブのクラブヘッドセット８０の一部を備えている。
【００４６】
クラブヘッド８００は、本実施形態における後面８６０の中心において挿入体基部８６３に位置付けられる挿入体８６２も備えている。図８に示されているように、挿入体８６２は、クラブヘッド８００に関連するロゴまたは他の識別の特徴を備える。クラブヘッド８００の音、振動、周波数、および／または質量分配への効果を有するなどのために、挿入体８６２が図１、図３、および図４における錘１８５および／または錘１９５について記載されているものなどの材料を含み得る実施形態があり得る。
【００４７】
クラブヘッド８００は、中心領域８６４に跨って中心領域８６４から等距離に後面８６０に結合される支持棒８６１を備えることで、クラブヘッド１００（図１〜図５）と異なる。支持棒８６１は、ヒール領域８２０における支持棒８６１１と、トウ領域８１０における支持棒８６１２とを備えており、両方の支持棒は後面８６０から突出している。しかしながら、異なる数および／または異なる構成の支持棒を伴う他の例もあり得る。例えば、追加の支持棒が支持棒８６１１とヒール領域８２０のヒール端との間に位置決めされてもよい。同様に、追加の支持棒が支持棒８６１２とトウ領域８１０のトウ端との間に位置決めされてもよい。一部の例では、挿入体基部８６３が、１つまたは複数の支持棒も備えるとして考えられてもよい。例えば、挿入体基部８６３の基端８６１３および８６１４は、一部の例では、後面８６０から突出する支持棒として考えられてもよい。また、挿入体基部８６３が後面８６０から突出し、そのため挿入体基部８６３がそれ自体で支持棒と考えられ得る例があり得る。
【００４８】
本実施形態では、支持棒８６１１および８６１２は実質的に同じ支持棒の幅を備えている。同じ実施形態または他の実施形態では、支持棒の幅は、約０．０３インチ（０．７５ミリメートル）から約０．５インチ（１２．７ミリメートル）までのものであり得る。支持棒の幅は図８の例では支持棒８６１１と８６１２との両方について一定であるが、支持棒の幅が支持棒８６１１および／または８６１２と同様の支持棒の長さに沿ってテーパ形または他の形で様々である他の例もあり得る。また、支持棒８６１１および／または８６１２と同様の支持棒の長さに沿って後面８６０から測定されるとき、支持棒の厚さもここでの例では支持棒８６１について一定であるが、支持棒の厚さがテーパ形であり得るまたは他の形で様々であり得る例もあり得る。
【００４９】
支持棒８６１は、同じ材料片の一部を含むことで、本実施形態では後面８６０と一体となっている。例えば、支持棒８６１は、後面８６０に沿って鋳造、鍛造、または機械加工され得る。支持棒がそれぞれの後面と一体でないとしても後面にしっかりと取り付けられる他の実施形態もあり得る。このような例では、支持棒は、後面に、溶接、ロウ付け、エポキシ樹脂で接着、または他の方法で接着され得る。
【００５０】
本実施形態では、支持棒８６１１は、中心領域８６４を向き水平軸８０７から測定される角度８６１５を備える。同様に、支持棒８６１２は、中心領域８６４を向き水平軸８０７から測定される角度８６１６も備える。水平軸８０７は、クラブ８００を上方半分と下方半分とに二分する軸である。角度８６１５および／または８６１６は、水平軸８０７から約３０度から約９０度までの鋭角を備えている。同じ実施形態または他の実施形態において、支持棒８６１１および８６１２は、中心領域８６４に向かって収束する角度とされている。角度８６１５および／または８６１６が水平軸８０７から約９０度から約１５０度までの鈍角であり得る実施形態があってもよい。角度８６１５と８６１６との両方は、図８の例では約６８度を備えるが、角度８６１５と８６１６とが互いに等しくない、ならびに／または、角度８６１５および／もしくは８６１６の少なくとも一方が中心領域８６４に対して鋭角でない他の実施形態があり得る。角度８６１５および／または８６１６は、クラブヘッドセット８０の異なるクラブヘッドにわたって一定のままとでき、または、クラブヘッドごとに同じクラブヘッドセット内で変化してもよい。
【００５１】
図１０は、分解状態にあるクラブヘッド８００の本体８０１の後面図を示している。図において先に飛ぶと、図１８は、図８の線１８−１８に沿うクラブヘッド８００の断面図を示している。簡潔性のために、下方トウ挿入体８９５についての詳細は図１８から除外されているが、挿入体８８５が空洞１０８０へと挿入されているとして示されていることに留意されたい。図８、図１０、および図１８で見られるように、クラブヘッド８００の後部分８０２は、ヒール領域８２０とトウ領域８１０との間に延在する後端８７０を備えており、後端８７０は、クラブヘッド１００の第２の後部１７０と同様であり得る（図１、図３〜図５）。一部の例では、後端８７０は後壁と称されてもよい。空洞１０８０も、後面８６０と後端８７０との間で後部分８０２に位置決めされており、空洞ヒール帯１０８２と、空洞トウ帯１０８３と、空洞中心帯１１８１と、前面９５０に向けて位置付けられた空洞内側区域１０８４と、後端８７０に向けて位置付けられた空洞外側区域１８８５とを備えている。本例では、空洞内側区域１０８４は後面８６０の反対側に位置付けられており、空洞外側区域１８８５は後端８７０の反対側に位置付けられている。本実施形態では、図１８で見られるように、空洞１０８０は、空洞ヒール帯１０８２または空洞トウ帯１０８３のいずれかにおいてより空洞中心帯１１８１において幅広である。例えば、空洞内側区域１０８４は、空洞ヒール帯１０８２または空洞トウ帯１０８３のいずれかにおいてより空洞中心帯１１８１において、前面９５０に対して薄い。一部の例では、空洞内側区域１０８４は空洞内壁と称されてもよく、および／または、空洞外側区域１８８５は空洞外壁と称されてもよい。
【００５２】
本例では、前面９５０と空洞内側区域１０８４の露出面との間の距離が、空洞中心帯１１８１においてより空洞ヒール帯１０８２および空洞トウ帯１０８３において大きい。後端８７０と空洞外側区域１８８５の露出面との間の距離が、空洞中心帯１１８１においてより空洞ヒール帯１０８２および空洞トウ帯１０８３において大きくなり得る実施形態もあり得る。
【００５３】
挿入体８８５は、本実施形態では、挿入体ヒール帯１８８６と、挿入体トウ帯１８８７と、挿入体中心帯１８８８とを備え、挿入体中心帯１８８８が挿入体ヒール帯１８８６または挿入体トウ帯１８８７のいずれかより厚くなるように、空洞１０８０に対して相補的に成形されている。図１８の例では、挿入体ヒール帯１８８６および挿入体トウ帯１８８７は、挿入体内壁１８８９に沿って挿入体中心帯１８８８の周りで互いに対して鈍角とされている。同様に、空洞内側区域１０８４は挿入体内壁１８８９に対して相補的に鈍角とされている。本例では、空洞１０８０は、挿入体８８５がクラブヘッド８００に対して上部からソールへの方向において挿入可能となるように構成されている。挿入体８８５が同様の形の他の挿入体と置き換え可能であり得る例もあり得る。
【００５４】
一部の例では、クラブヘッド８００の本体８０１の材料が、少なくとも約５．０ｇ／ｃｍ３の比重を備え得る、および／または、挿入体８８５の材料が少なくとも約１．２ｇ／ｃｍ３の比重を備え得る。同じ例または他の例では、挿入体８８５の質量は約１０グラムであり得る。
【００５５】
前述した空洞１０８０と挿入体８８５との間の寸法上の関係は、例えば、クラブヘッド８００についての質量の分配における調節を可能にするために有益であり得る。挿入体８８５の材料がクラブヘッド８００の本体８０１の材料より低密度である本実施形態では、空洞ヒール帯１０８２および空洞トウ帯１０８３における空洞中心帯１１８１に対する空洞内側区域１０８４のより大きい厚さと、挿入体ヒール帯１８８６および挿入体トウ帯１８８７に対する挿入体中心帯１８８８のより大きい厚さとが、クラブヘッド８００の中心から離れてヒール領域８２０およびトウ領域８１０に向かう質量の再分配を許容できる。例として、空洞内側区域１０８４の質量の分配が、空洞中心帯１１８１から離れてヒール領域８２０およびトウ領域８１０に向かって移される。また、挿入体８８５の質量の分配は、挿入体中心帯１８８８において集中され、挿入体ヒール帯１８８６および挿入体トウ帯１８８７に向かって減少する。
【００５６】
このような質量の分配は、クラブヘッド８００の中心領域の周りでの慣性モーメントを増加させることができ、中心から外れたインパクトの間のクラブヘッドの捩じれを低減することでプレーを向上させることができる。例えば、前述した形および構成のため、空洞ヒール帯１０８２および空洞トウ帯１０８３における空洞内側区域１０８４によって与えられる慣性モーメントの一部分が、挿入体ヒール帯１８８６および挿入体トウ帯１８８７において挿入体８８５によって与えられる慣性モーメントの一部分より大きい。挿入体８８５と空洞１０８０との間の他の形および／または密度の関係が、他の実施形態における異なる所望の質量の分配または慣性モーメントを達成するために使用されてもよい。
【００５７】
図８および図１８に示したように、挿入体８８５は、挿入体８８５の把持部分が、例えば、空洞１０８０への挿入体８８５の挿入、または、空洞１０８０からの挿入体８８５の取り外しを許容または容易にするために空洞１０８０の外部に突出するように、空洞１０８０において部分的に収容される。しかしながら、他の実施形態では、挿入体８８５は空洞１０８０から突出する必要がない。支持棒８６１も、本実施形態では後面８６０から空洞内側区域１０８４へと延在し、空洞内側区域１０８４は、後面８６０に対して、少なくとも支持棒８６１と同じ厚さであり、そのため、支持棒８６１が、空洞１０８０への挿入体８８５の挿入、または、空洞１０８０からの挿入体８８５の取り外しと干渉するのを防止する。
【００５８】
図において後戻りすると、図１０〜図１５は、クラブヘッドセット８０の例示のクラブヘッドのいくつかの図を示している。図１０は、クラブヘッド８００が分解状態にあるクラブヘッド８００の本体８０１の後面図を示している。図１１は、クラブヘッド１１００が分解状態にあるクラブヘッドセット８０のクラブヘッド１１００の本体１１０１の後面図を示している。図１２は、クラブヘッド１２００が分解状態にあるクラブヘッドセット８０のクラブヘッド１２００の本体１２０１の後面図を示している。図１３は、図１０の線１３−１３に沿うクラブヘッド８００の断面図を示している。図１４は、図１１の線１４−１４に沿うクラブヘッド１１００の断面図を示している。図１５は、図１２の線１５−１５に沿うクラブヘッド１２００の断面図を示している。クラブヘッド８００、１１００、および１２００は、後で詳述しているように、互いに同様であり得る。
【００５９】
本例では、クラブヘッド８００、１１００、および１２００は、関連するゴルフクラブのクラブヘッドセット８０の一部を形成し、クラブヘッドセット８０は、１つまたは複数のクラブヘッドを備え得る。クラブヘッドセット８０のクラブヘッド８００、１１００、および１２００だけが簡潔性のために図１０〜図１２に示されているが、クラブヘッドセット８０は４つ以上のクラブヘッドを備えてもよい。クラブヘッドセット８０が２つのクラブヘッドだけを備え得る他の実施形態もあり得る。クラブヘッドセット８０の各々のクラブヘッドは、それぞれの後面から突出する１つまたは複数の支持棒を備えている。例えば、図８および図１０で見られるように、クラブヘッド８００は、先に詳述されているように、後面８６０から突出する支持棒８６１１および８６１２を含む支持棒８６１を備えている。図１１で見られるように、クラブヘッド１１００は、後面１１６０から突出する支持棒１１６１、つまり、支持棒１１６１１および１１６１２を備えている。また、図１２で見られるように、クラブヘッド１２００は、後面１２６０から突出する支持棒１２６１、つまり、支持棒１２６１１および１２６１２を備えている。
【００６０】
本例では、クラブヘッドセット８０のクラブヘッドのロフト角は、２つ以上のクラブヘッドにわたって増分で変化させられている。例えば、クラブヘッドセット８０の本例では、クラブヘッド８００は、前面９５０とシャフト孔軸８０６との間で約１８．５度のロフト角９５５（図９）を伴う２番アイアンクラブヘッドを備え（図１３）、クラブヘッド１１００は、前面１４５０とシャフト孔軸１４０６との間で約３０．５度のロフト角１４５５を伴う６番アイアンクラブヘッドを備え（図１４）、クラブヘッド１２００は、前面１５５０とシャフト孔軸１５０６との間で約４７度のロフト角１５５５を伴うウェッジアイアンクラブヘッドを備える（図１５）。結果として、クラブヘッド１２００のロフト角１５５５はクラブヘッド１１００のロフト角１４５５より大きく、クラブヘッド１１００のロフト角１４５５はさらにクラブヘッド８００のロフト角９５５より大きい。
【００６１】
本例においても、１つまたは複数の支持棒の特性は、ロフト角に応じて２つ以上のクラブヘッドにわたって増分で変化させられている。例えば、ロフト角１５５５は、前述したようにロフト角１４５５より大きく、したがって、ゴルフクラブ１２００（図１２）の支持棒１２６１の属性は、ゴルフクラブ１１００（図１１）の支持棒１１６１の属性より大きい。本例では、変化を受ける支持棒の属性が支持棒の幅であり、そのため支持棒１２６１（図１２）は支持棒１１６１（図１１）より幅広であり、支持棒１１６１（図１１）は支持棒８６１（図１０）より幅広である。
【００６２】
ロフト角に対する支持棒の幅の変化は、例示のクラブヘッドセット８０について、図１６にまとめられている。本例では、クラブヘッドセット８０は、２番アイアンヘッドとしてのクラブヘッド８００と、３番アイアンヘッドとしてのクラブヘッド１６３０と、４番アイアンヘッドとしてのクラブヘッド１６４０と、５番アイアンヘッドとしてのクラブヘッド１６５０と、６番アイアンヘッドとしてのクラブヘッド１１００と、７番アイアンヘッドとしてのクラブヘッド１６７０と、８番アイアンヘッドとしてのクラブヘッド１６８０と、９番アイアンヘッドとしてのクラブヘッド１６９０トウェッジアイアンヘッドとしてのクラブヘッド１２００とを備えている。図１６から理解され得るように、支持棒の幅の属性は、ロフト角がクラブヘッドセット８０におけるあるクラブヘッドから次のクラブヘッドへと増加するとき、増分で変化させられている。結果として、より大きいロフト角を伴うクラブについての支持棒の幅は、より小さいロフト角を伴うクラブについての支持棒の幅以上である。しかしながら、１つまたは複数の支持棒の特性および／または属性がロフト角における各々の増分に対して増分で変化させられてもよく、そのため、より大きいロフト角を伴うクラブについての支持棒の幅は、より小さいロフト角を伴う任意のクラブについての支持棒の幅より大きい例があり得る。
【００６３】
図において先に飛ぶと、図２２で見られるように、支持棒の幅とロフト角／クラブヘッド番号との間の関係は１つまたは複数の範囲内にあり得る。例えば、クラブヘッドセット２２８１は、図２２で示されているように、クラブヘッドごとで変化するより厚い支持棒の幅を伴うクラブヘッドを備えている。同様に、別の例では、クラブヘッドセット２２８２は、図２２で同じく示されているように、クラブヘッドごとで変化するより薄い支持棒の幅を伴うクラブヘッドを備えている。変化の他の例または割合も、他のクラブヘッドセットについて可能である。
【００６４】
同じ例または他の例において、支持棒の幅は、１つまたは複数のクラブヘッドセットのクラブヘッドについて、ロフト角および／またはクラブヘッド番号に依存して、特定の範囲内において変化できる。例えば、以下のようになる。
【００６５】
２番アイアンヘッドについて、ロフト角は、約１８度から約２０度までを備えることができ、支持棒の幅は、約０．０３インチ（０．７５ミリメートル）から約０．２インチ（５．１ミリメートル）までを備えることができる。
【００６６】
３番アイアンヘッドについて、ロフト角は、約２０度から約２３度までを備えることができ、支持棒の幅は、約０．０４インチ（１．０ミリメートル）から約０．２１インチ（５．３ミリメートル）までを備えることができる。
【００６７】
４番アイアンヘッドについて、ロフト角は、約２１度から約２５度までを備えることができ、支持棒の幅は、約０．０５インチ（１．３ミリメートル）から約０．２３インチ（５．８ミリメートル）までを備えることができる。
【００６８】
５番アイアンヘッドについて、ロフト角は、約２３度から約２８度までを備えることができ、支持棒の幅は、約０．０６インチ（１．５ミリメートル）から約０．２６インチ（６．６ミリメートル）までを備えることができる。
【００６９】
６番アイアンヘッドについて、ロフト角は、約２６度から約３２度までを備えることができ、支持棒の幅は、約０．０７インチ（１．８ミリメートル）から約０．３０インチ（７．６ミリメートル）までを備えることができる。
【００７０】
７番アイアンヘッドについて、ロフト角は、約２９度から約３６度までを備えることができ、支持棒の幅は、約０．０８インチ（２．０ミリメートル）から約０．３４インチ（８．７ミリメートル）までを備えることができる。
【００７１】
８番アイアンヘッドについて、ロフト角は、約３４度から約４２度までを備えることができ、支持棒の幅は、約０．０９インチ（２．３ミリメートル）から約０．３９インチ（９．８ミリメートル）までを備えることができる。
【００７２】
９番アイアンヘッドについて、ロフト角は、約３８度から約４５度までを備えることができ、支持棒の幅は、約０．１０インチ（２．５ミリメートル）から約０．４４インチ（１１．２ミリメートル）までを備えることができる。
【００７３】
および／または、ウェッジアイアンヘッドについて、ロフト角は、約４２度から約６４度までを備えることができ、支持棒の幅は、約０．１１インチ（２．８ミリメートル）から約０．５０インチ（１２．７ミリメートル）までを備えることができる。
【００７４】
同じ実施形態または他の実施形態において、支持棒の１つまたは複数の他の特性または属性は、支持棒の幅を除いて、支持棒の幅の代わりに、または、支持棒の幅に加えて、支持棒の幅について先に記載されたものと同様の様態で変化できる。例えば、一実施形態では、他の特性または属性は、後面から測定され、ロフト角に応じて増分で変化させられ得る支持棒の厚さを備えることができる。このような例では、図１２におけるクラブヘッド１２００の支持棒１２６１の厚さが図１１におけるクラブヘッド１１００の支持棒１１６１の厚さより厚くてもよく、および／または、図１１におけるクラブヘッド１１００の支持棒１１６１の厚さが図１０におけるクラブヘッド８００の支持棒８６１の厚さより厚くてもよい。
【００７５】
同じ実施形態または他の実施形態において、他の特性または属性は、ロフト角に応じて増分で変化させられ得る支持棒の総数を含み得る。このような実施形態は、クラブヘッド８００と、クラブヘッド１１００と同様のクラブヘッド１７０２と、クラブヘッド１２００と同様のクラブヘッド１７０３とを備えるクラブヘッドセット１７１について、図１７で示されている。図１７の例では、クラブヘッド１７０３についてのロフト角はクラブヘッド１７０２についてのロフト角より大きく、クラブヘッド１７０２についてのロフト角はクラブヘッド１７０１についてのロフト角より大きく、そのため、クラブヘッド１７０３についての支持棒の総数はクラブヘッド１７０２についての支持棒の総数より多く、クラブヘッド１７０２についての支持棒の総数はクラブヘッド１７０１についての支持棒の総数より多い。一例では、支持棒の幅、厚さ、および角度は、単一のクラブヘッドにおける支持棒の各々について同じままである。他の例では、２つ以上の特性または属性がクラブヘッドごとに変化させられる、ならびに／または、単一のクラブヘッド内における支持棒が異なる幅、厚さ、および／もしくは角度を有し得る。
【００７６】
前述したクラブヘッドセットのクラブヘッドの後面における支持棒の組み込みは、いくつかの理由のため有益であり得る。例えば、クラブヘッドの後面における中心領域に近接する支持棒の配置は、ゴルフボールへのインパクトと関連付けられる応力により良好に耐えるために、前面および／または面板のための支持を増大させることができる。このような追加の支持は、面板の厚さが、重量削減のために、および／または、重量再分配の検討のために最小とされている状況において有用であり得る。
【００７７】
図１２および図１５におけるクラブヘッド１２００のようなウェッジヘッドなどのショートアイアンの場合、前面１５５０のちょうど反対側の後面１２６０における支持棒１２６１など、より幅広の支持棒および／またはより厚い支持棒の配置は、クラブヘッド１２００の重心をその前部に向けてずらす効果を有し得る。このずれは、前面１５５０とゴルフボールとの間のギヤ効果を低減でき、それによって、より良好な軌道制御のために、前面１５５０とのインパクトにおいてゴルフボールに与えられるスピンを制限する。また、より良好な距離制御および再現性が、より幅広な支持棒および／またはより厚い支持棒によるインパクトの間の面の安定性の追加および面の撓みの低減の結果として得られ得る。一部の例では、同様の結果が、図１７におけるクラブヘッド１７０３の支持棒１７６１の場合においてなど、支持棒の数の増加によって達成されてもよい。
【００７８】
図８、図１０、および図１３におけるクラブヘッド８００のような２番アイアンなどの長いアイアンの場合、クラブヘッド８００の質量のより多くが慣性モーメントの増加のためにクラブヘッド８００の前面９５０のエッジに向けて分配され得るように、支持棒の幅、支持棒の厚さ、および／または支持棒の総数のいずれであろうと、支持棒の関連する特性または属性を低下させることで、クラブヘッドの慣性モーメントはより良い制御のために増加されてもよい。また、より長い弾道および／またはより力強い弾道が、クラブヘッドの前面および／または面板のより大きい屈曲を許容することによる関連する支持棒の特性の低下によって、達成され得る。
【００７９】
さらに、クラブヘッドセット８０について描写されているものなどの場合、支持棒がクラブヘッドの後面において視認可能であるため、支持棒の構成が提供する向上された支持、強度、および制御の特徴を理解できる使用者にとって、使用者の自信の向上が達成され得る。
【００８０】
図８に戻って、クラブヘッド８００は、挿入体８８５と、関連する空洞１０８０（図１０）とに加えて、下方トウ挿入体８９５を備えるとして示されてもいる。しかしながら、下方トウ挿入体８９５なしで挿入体８８５と空洞１０８０とを備える他の実施形態、および／または、挿入体８８５および空洞１０８０なしで下方トウ挿入体８９５を備える他の実施形態があってもよい。特徴における同様の変形は、それぞれのクラブヘッドセットの他のクラブについて延長されてもよい。例えば、クラブヘッドセット８０のクラブヘッドの全部または一部は、挿入体８８５および関連する空洞１０８０と同様の挿入体および関連する空洞に加えて、下方トウ挿入体８９５と同様の下方トウ挿入体を備えてもよい。クラブヘッドセットのクラブヘッドの全部または一部が、挿入体８８５および関連する空洞１０８０と同様の挿入体および関連する空洞を備え得るが、下方トウ挿入体８９５と同様の下方トウ挿入体を欠き得る実施形態があってもよい。クラブヘッドセットのクラブヘッドの全部または一部が、下方トウ挿入体８９５と同様の下方トウ挿入体を備え得るが、挿入体８８５および関連する空洞１０８０と同様の挿入体および関連する空洞を欠き得る実施形態があってもよい。
【００８１】
引き続き図８において、下方トウ挿入体８９５は、クラブヘッド１００の錘１９５（図１、図４）と同様とでき、本例では、同じく錘を備えている。下方トウ挿入体８９５は後部分８０２の下方トウ区域８１１に位置付けられており、クラブヘッド８００は周辺錘８７５を備えているが、下方トウ挿入体８９５は下方トウ区域８１１のみに位置付けられている。本例では、下方トウ挿入体８９５は、タングステン材料と、約１０ｇ／ｃｍ３の比重とを備える。本例では、クラブヘッドセット８０の他のクラブヘッドも、下方トウ挿入体８９５と同様の対応する下方トウ挿入体を備えている。
【００８２】
一部の例では、下方トウ挿入体８９５および／または他の同様の挿入体が、クラブヘッド８００の質量の再分配をもたらすために下方トウ部分８１１において位置付けられ得る。例えば、下方トウ挿入体８９５は、クラブヘッド８００の質量分配を中心領域８６１から離してトウ領域８１０および／または下方トウ区域８１１に向けてずらすことで、クラブヘッド８００の慣性モーメントを増加させるように構成され得る。同じ例または他の例では、下方トウ挿入体８９５は、クラブヘッド８００のヒール部分または上方ヒール部分において、ホーゼル８０５の質量と釣り合うように構成され得る。ホーゼル８０５と下方トウ挿入体８９５とを実質的に互いに反対にすることで、クラブヘッド８００の質量の分配は、クラブヘッド８００の端に向けてずらされ、それによってその慣性モーメントおよび復元許容性ファクタを増加させることができる。同じ例または他の例では、下方トウ挿入体８９５の寸法、場所、および／または質量は、クラブヘッド８００の重心をヒール領域８２０および／またはトウ領域８１０に対する所望の場所で調節または位置合わせするように構成され得る。
【００８３】
前述したように、クラブヘッドセット８０のクラブヘッドのロフト角は、本例では２つ以上のクラブヘッドにわたって増分で変化させられている。また、対応する下方トウ挿入体の特性または寸法も、ロフト角における変化に関連して、クラブヘッドセット８０の２つ以上のクラブヘッドにわたって変化させられている。例えば、各々の下方トウ挿入体が２つの特性を備える場合、２つの特性は、ロフト角が変化させられるとき、クラブヘッドセット８０のクラブヘッドにわたって、各々の下方トウ挿入体について互いに対して逆に変化させられ得る。例として、下方トウ挿入体の変化させられる特性は増分で変化させられ得、一方、下方トウ挿入体の逆の特性はロフト角が変わるときに減分で変化させられる。
【００８４】
ロフト角に対する特性の変化は、図１０〜図１５に提示されているように、クラブヘッドセット８０の例について、クラブヘッド８００、１１００、および１２００を用いてさらに理解され得る。図１３〜図１５で分かるように、クラブヘッド１２００のロフト角１５５５はクラブヘッド１１００のロフト角１４５５より大きく、クラブヘッド１１００のロフト角１４５５はさらにクラブヘッド８００のロフト角９５５より大きい。さらに、本実施形態について、ロフト角がクラブヘッドごとに増加するにつれて、クラブヘッドのそれぞれの深さ軸に沿って測定される下方トウ厚さは、クラブヘッドごとに増加する傾向がある。同じ実施形態および他の実施形態では、クラブヘッドの下方トウ厚さは、クラブヘッドのソールによって、関連付けられ得る、および／または、定められ得る。例として、クラブヘッド１２００の下方トウ厚さ１５９５４（図１５）はクラブヘッド１１００の下方トウ厚さ１４９５４（図１４）より大きく、下方トウ厚さ１４９５４はクラブヘッド８００の下方トウ厚さ１３９５４（図１３）より大きい。同様に、クラブヘッド８００の下方トウ厚さ１３９５４は、ソール１３００１の厚さによって定められ、ソール１３００１の厚さの一部分を含み（図１３）、一方、クラブヘッド１２００の下方トウ厚さ１５９５４は、ソール１５００１の厚さによって定められ、ソール１５００１の厚さの一部分を含み（図１５）、そのためソール１５００１の厚さはソール１３００１の厚さより大きい。
【００８５】
クラブヘッドセット８０の実施形態では、変化させられる特性は下方トウ挿入体の深さとすることができ、逆の特性は下方トウ挿入体の面積とすることができる。例として、クラブヘッド８００について、下方トウ挿入体８９５の挿入体深さ１３９５２（図１３）が深さ軸１３９５３に沿って測定され、ここで、深さ軸１３９５３は下方トウ挿入体８６５と前面９５０との間の最小距離点１３９５５を横断し、挿入体面積８９５１（図８、図１０）は、深さ軸１３９５３に対して実質的に垂直な下方トウ挿入体８９５の断面積を表しており、ならびに／または、深さ軸１３９５３は、ソール１３００１（図１３）に対して実質的に平行であり、および／または、シャフト孔軸８０６に対して実質的に垂直である。同様に、クラブヘッド１１００について、挿入体深さ１４９５２（図１４）が深さ軸１４９５３に沿って測定され、ここで、深さ軸１４９５３は下方トウ挿入体１１９５と前面１４５０との間の最小距離点１４９５５を横断し、挿入体面積１１９５１（図１１）は、深さ軸１４９５３に対して実質的に垂直な下方トウ挿入体１１９５の断面積を表しており、ならびに／または、深さ軸１４９５３は、ソール１４００１（図１４）に対して実質的に平行であり、および／または、シャフト孔軸１４０６に対して実質的に垂直である。別の例として、クラブヘッド１２００について、挿入体深さ１５９５２（図１５）が深さ軸１５９５３に沿って測定され、ここで、深さ軸１５９５３は下方トウ挿入体１２９５と前面１５５０との間の最小距離点１５９５５を横断し、挿入体面積１２９５１（図１２）は、深さ軸１５９５３に対して実質的に垂直な下方トウ挿入体１２９５の断面積を表しており、ならびに／または、深さ軸１５９５３は、ソール１５００１（図１５）に対して実質的に平行であり、および／または、シャフト孔軸１５０６に対して実質的に垂直である。このような例では、下方トウ挿入体深さ（１３９５２、１４９５２、１５９５２）の変化させられる特性がクラブヘッド８００からクラブヘッド１２００へと増加する場合、下方トウ面積（８９９１、１１９５１、１２９５１）の逆の特性はクラブヘッド８００からクラブヘッド１２００へと低下する。異なる実施形態では、ロフト角（９５５、１４５５、１５５５）が増加するにつれて、下方トウ挿入体深さ（１３９５２、１４９５２、１５９５２）が増加する。
【００８６】
同じ実施形態または他の実施形態では、変化する特性または寸法の１つは、下方トウ挿入体の重心とそれぞれのクラブヘッドの前面との間の距離であり得る。例えば、下方トウ挿入体の重心と対応するより小さいロフトのクラブヘッドの前面との間の距離は、下方トウ挿入体の重心と対応するより大きいロフトのクラブヘッドの前面との間の距離より大きくなり得る。例として、下方トウ挿入体８９５の重心１３９５６とクラブヘッド８００の前面９５０との間の距離１３９５７（図１３）が、下方トウ挿入体１１９５の重心１４９５６とクラブヘッド１１００の前面１４５０との間の距離１４９５７（図１４）より大きく、その距離１４９５７はさらに、下方トウ挿入体１２９５の重心１５９５６とクラブヘッド１２００の前面１５５０との間の距離１５９５７（図１５）より大きい。このような例では、下方トウ挿入体深さ（１３９５２、１４９５２、１５９５２）の変化させられる特性がクラブヘッド８００からクラブヘッド１２００へと増加する場合、重心距離（１３９５７、１４９５７、１５９５７）の逆の特性はクラブヘッド８００からクラブヘッド１２００へと低下する。異なる実施形態では、ロフト角（９５５、１４５５、１５５５）が増加するにつれて、重心距離（１３９５７、１４９５７、１５９５７）が縮小する。
【００８７】
ロフト角に基づく前述のクラブヘッドの変化は、下方トウ挿入体の挿入体深さを変化させることができる。例えば、挿入体１２９５の挿入体深さ１５９５２（図１５）は挿入体１１９５の挿入体深さ１４９５２（図１４）より大きく、挿入体深さ１４９５２はさらに下方トウ挿入体８９５の挿入体深さ１３９５２（図１３）より大きい。さらに、下方トウ挿入体とそれぞれのクラブヘッド前面との間の距離はそれに応じて変化できる。クラブヘッド８０の本例では、クラブヘッド８００の挿入体から面への距離１３６０（図１３）が、約０．２８１インチ（７．１４ミリメートル）であり、これは、約０．２３３インチ（５．９２ミリメートル）であるクラブヘッド１１００の挿入体から面への距離１４６０（図１４）より大きく、これはさらに、約０．１９５インチ（４．９５ミリメートル）であるクラブヘッド１２００の挿入体から面への距離１５６０（図１５）より大きい。
【００８８】
下方トウ挿入体とそれらのそれぞれのクラブヘッド前面との間の距離、および／または、下方トウ挿入体の重心とそれぞれのクラブヘッド前面との間の距離における下方トウ挿入体の挿入体深さにおけるこのような変化は、クラブヘッドについての質量分配を変化させることができ、それによってクラブヘッドの特定の品質の調節を可能にする。
【００８９】
例えば、より小さいロフトのクラブヘッドについて、より浅い挿入体深さ、および／または、より大きい挿入体から面への距離とすることで、このようなクラブヘッドの重心は、それぞれのクラブヘッド前面から離れるように移動され、それによって、インパクトされたボールにより高い打ち出し角および／または飛行軌道を与えるように、クラブヘッドの力強いロフトと付与されるスピンとを増加させることができる。反対に、より大きいロフトのクラブヘッドについて、より深い挿入体深さ、および／または、より浅い挿入体から面への距離とすることで、このようなクラブヘッドの重心は、それぞれのクラブヘッド前面へとより近くに移動され、それによって、インパクトされたボールにより力強い弾道を与えることができる。
【００９０】
前述した挿入体深さにおける変化は、クラブヘッドの異なる下方トウ挿入体の質量における変化をもたらし得る。このような質量変化に、および、それぞれの下方トウ挿入体とのそれぞれのホーゼルの釣り合いなどのクラブヘッドの他の品質に与え得る影響に反対に作用するために、下方トウ挿入体の他の特徴または寸法は、挿入体深さにおける変化に対して逆に変化させられ得る。例えば、下方トウ挿入体の挿入体深さが増加するにつれて、下方トウ挿入体の面積は縮小させられ得、そのためすべての下方トウ挿入体は実質的に同様の質量を備える。一部の実施形態では、クラブヘッドセット８０の下方トウ挿入体の各々の質量が約１０．２５グラムを備える。同じ例または他の例では、このような質量は、約５グラムから約５０グラムまでであり得る。クラブヘッドセット８０の例では、挿入体深さが、挿入体深さ１３９５２（図１３）から挿入体深さ１４９５２（図１４）まで、および、挿入体深さ１４９５２から挿入体深さ１５９５２（図１５）まで増加することで変化するとき、挿入体についての対応する面積は、挿入体面積８９５１（図１０）から挿入体面積１１９５１（図１１）まで、および、挿入体面積１１９５１（図１１）から挿入体面積１２９５１（図１２）まで縮小することで逆に変化する。
【００９１】
図１９は、クラブヘッドセット８０の実施形態について、ロフト角と、下方トウ挿入体から前面までの距離との間の例示の関係を示している。図において先に飛ぶと、図２３で見られるように、前面から下方トウ錘までの距離とロフト角／クラブヘッド番号との間の関係は１つまたは複数の範囲内にあり得る。例えば、クラブヘッドセット２３８１は、図２３で示されているように、クラブヘッドごとで変化するより長い前面から下方トウ錘までの距離を伴うクラブヘッドを備えている。同様に、別の例では、クラブヘッドセット２３８２は、図２３でも示されているように、クラブヘッドごとで変化するより短い前面から下方トウ錘までの距離を伴うクラブヘッドを備えている。クラブヘッドセット２３８１のクラブヘッドは、クラブヘッドセット２３８２のクラブヘッドのソールより、クラブヘッドの前から後へと概して幅広であるソールを有し得る。変化の他の例または割合も、他のクラブヘッドセットについて可能である。
【００９２】
同じ例または他の例において、前面から下方トウ錘までの距離は、１つまたは複数のクラブヘッドセットのクラブヘッドについて、ロフト角および／またはクラブヘッド番号に依存して、特定の範囲内において変化できる。例えば、以下のようになる。
【００９３】
２番アイアンの前面から下方トウ錘までの距離は、約０．０５０インチ（１．２７ミリメートル）から約１．２インチ（２８．０８ミリメートル）までを備えることができる。
【００９４】
３番アイアンの前面から下方トウ錘までの距離は、約０．０４８インチ（１．２２ミリメートル）から約１．２インチ（２８．０８ミリメートル）までを備えることができる。
【００９５】
４番アイアンの前面から下方トウ錘までの距離は、約０．０４６インチ（１．１７ミリメートル）から約１．１９インチ（２７．８５ミリメートル）までを備えることができる。
【００９６】
５番アイアンの前面から下方トウ錘までの距離は、約０．０４４インチ（１．１２ミリメートル）から約１．１７インチ（２７．３８ミリメートル）までを備えることができる。
【００９７】
６番アイアンの前面から下方トウ錘までの距離は、約０．０４２インチ（１．０７ミリメートル）から約１．１６インチ（２７．１４ミリメートル）までを備えることができる。
【００９８】
７番アイアンの前面から下方トウ錘までの距離は、約０．０４０インチ（１．０２ミリメートル）から約１．１５インチ（２６．９１ミリメートル）までを備えることがでる。
【００９９】
８番アイアンの前面から下方トウ錘までの距離は、約０．０３８インチ（０．９７ミリメートル）から約１．１３インチ（２６．４４ミリメートル）までを備えることができる。
【０１００】
９番アイアンの前面から下方トウ錘までの距離は、約０．０３６インチ（０．９１ミリメートル）から約１．１２５インチ（２６．３３ミリメートル）までを備えることができる。
【０１０１】
および／または、ウェッジアイアンの前面から下方トウ錘までの距離は、約０．０３４インチ（０．８６ミリメートル）から約１．１０インチ（２５．７４ミリメートル）までを備えることができる。
【０１０２】
図１３〜図１５に戻って、より大きいロフトのクラブヘッドとより小さいロフトのクラブヘッドとの間の関係が、それらの下方トウ挿入体に関して、クラブヘッドセット８０のクラブヘッド８００および１２００を参照して以下に記載されている。他のクラブヘッド同士の間の関係は、クラブヘッド８００および１２００の以下の記載に基づいて外挿または内挿され得る。
【０１０３】
クラブヘッドセット８０の本例では、クラブヘッド８００の下方トウ挿入体８９５とクラブヘッド１２００の下方トウ挿入体１２９５とは、実質的に同様の質量を伴う錘を備えている。また、下方トウ挿入体８９５および１２９５の寸法は互いに対応しており、そのため、下方トウ挿入体８９５の挿入体深さ１３９５２（図１３）は下方トウ挿入体１２９５の挿入体深さ１５９５２（図１５）に対応しており、下方トウ挿入体８９５の挿入体面積８９５１（図１０）は下方トウ挿入体１２９５の挿入体面積１２９５１（図１２）に対応している。挿入体面積８９５１および１２９５１は、本実施形態または他の実施形態におけるそれぞれの下方トウ挿入体の断面積および／または後端面積を表すことができる。本例では、下方トウ挿入体１２９５の挿入体深さ１５９５２が下方トウ挿入体８９５の挿入体深さ１３９５２より大きいため、下方トウ挿入体８９５の挿入体面積８９５１は下方トウ挿入体１２９５の挿入体面積１２９５１より大きい。結果として、挿入体面積および挿入体深さの寸法は、互いに対して逆に変化させられる。
【０１０４】
さらに、図１３および図１５で見られるように、下方トウ挿入体１５９５と前面１５５０との間の挿入体から面への距離１５６０は、下方トウ挿入体８９５と前面９５０との間の挿入体から面への距離１３６０より大きい。本例では、挿入体から面への距離１５６０は前面１５５０と下方トウ挿入体１２９５との間で最も短い距離を備えるが、挿入体から面への距離１３６０は前面９５０と下方トウ挿入体８９５との間で最も短い距離を備える。それぞれのクラブヘッド８００および１２００の下方トウ挿入体（８９５、１２９５）と前面（９５０、１５５０）との間の前述したこのような関係は、クラブヘッド８００の重心が前面９５０に対するよりも、クラブヘッド１２００の重心が前面１５５０に近くなり得るように、それぞれの質量の分配を定める。
【０１０５】
本例では、下方トウ挿入体８９５および１２９５の両方が、クラブヘッド８００および１２００のそれぞれの下方トウ区域において視認可能である。一部の例では、下方トウ挿入体のこのような視認性は、それぞれの下方トウ挿入体の構成が提供する向上された性能および制御の特徴を認識できる使用者の自信を使用者に呼び起させることができる。しかしながら、下方トウ挿入体が視認でき得ない他の実施形態もあり得る。例えば、下方トウ挿入体８９５と下方トウ区域８１１との間の接触面は、機械加工または研磨のステップの後、溶け込んでしまう可能性がある、または、見分けられなくなる可能性がある。
【０１０６】
クラブヘッドセット８０の例では、クラブヘッド８００は、後部分８０２の周辺において周辺錘８７５を備えており、クラブヘッド１２００は、パック部分１２０２の周辺において周辺錘１２７５を備えている。周辺錘８７５は下方トウ区域８１１において空洞を備えており、そこに下方トウ挿入体８９５が位置付けられる。同様に、周辺錘１２７５は下方トウ区域１２１１において空洞を備えており、そこに下方トウ挿入体１２９５が位置付けられる。結果として、下方トウ挿入体はそれらのそれぞれの周辺錘と一体にされ得るが、なおもそれらのそれぞれの下方トウ区域のみに位置付けられている。また、本例では、下方トウ挿入体１２９５はクラブヘッド８００における下方トウ区域８１１の空洞と合わず、一方、下方トウ挿入体８９５はクラブヘッド１２００における下方トウ区域１２１１の空洞と合わない。
【０１０７】
前に進んで、図２０は、クラブヘッドセットを提供するための方法２０００のフローチャートを示している。一部の例では、方法２０００のクラブヘッドセットは、図８〜図１６および図１８〜図１９のクラブヘッドセット８０と、ならびに／または、図１７のクラブヘッドセット１７１と同様であり得る。
【０１０８】
方法２０００のブロック２０１０は、クラブヘッドセットの第１のクラブヘッドを提供することを含み、第１のクラブヘッドは、第１の後面に結合される１つまたは複数の第１の支持棒を備え、１つまたは複数の第１の支持棒は第１の支持棒特性を備える。一部の例では、第１のクラブヘッドはクラブヘッド１２００（図１２、図１５、図１６、図１９）と同様とでき、１つまたは複数の第１の支持棒は、後面１２６０に結合される支持棒１２６１（図１２）、または、後面１７６０に結合される支持棒１７６１（図１７）と同様とできる。同じ例または他の例では、第１の支持棒特性は、支持棒の幅、支持棒の厚さ、および／または支持棒の総数を含み得る。
【０１０９】
方法２０００のブロック２０２０は、クラブヘッドセットの第２のクラブヘッドを提供することを含み、第２のクラブヘッドは、第２の後面に結合される１つまたは複数の第２の支持棒を備え、１つまたは複数の第２の支持棒は第２の支持棒特性を備える。一部の例では、第２のクラブヘッドはクラブヘッド８００（図８〜図１０、図１３、図１６〜図１９）と同様とでき、１つまたは複数の第１の支持棒は、後面８６０に結合される支持棒８６１（図８、図１２、図１７）と同様とできる。同じ例または他の例では、第２の支持棒特性は、第２の支持棒の幅、第２の支持棒の厚さ、および／または第２の支持棒の総数を含み得る。
【０１１０】
方法２０００のブロック２０３０は、第２のクラブヘッドの第２のロフト角より大きくなるように第１のクラブヘッドの第１のロフト角を提供することを含む。一部の例では、第１のロフト角はクラブヘッド１２００のロフト角１５５５（図１５）と同様とでき、第２のロフト角はクラブヘッド８００のロフト角９５５（図９、図１３）と同様とできる。
【０１１１】
方法２０００のブロック２０４０は、第２のクラブヘッドの第２の支持棒特性より大きくなるように第１のクラブヘッドの第１の支持棒特性を提供することを含む。結果として、支持棒特性は、より大きいロフト角を有するクラブヘッドについてより大きくなる。例として、図１２におけるクラブヘッド１２００についての第１の支持棒特性は支持棒１２６１の支持棒の幅を含むが、図１０におけるクラブヘッド８００についての第２の支持棒特性は支持棒８６１の支持棒の幅を含む。図８と図１２とを比較することで分かるように、図１６におけるグラフを参照することで、支持棒１２６１（図１２）についての支持棒の幅は、ゴルフクラブセット８０の例における支持棒８６１（図１０）についての支持棒の幅より大きい。同じ例または他の例では、支持棒特性が支持棒の厚さを含む場合、支持棒１２６１（図１２）についての支持棒の厚さは支持棒８６１（図１０）についての支持棒の厚さより厚くできる。図１７の例では、支持棒特性は支持棒の総数を含み、図１７におけるクラブヘッド８００に対してクラブヘッド１７０３を比較することで分かるように、クラブヘッド１７０３における支持棒１７６１の総数は、支持棒１２６１１〜１２６１２および１７６１３〜１７６１６を含み、そのため、支持棒８６１１〜８６１２を備えるクラブヘッド８００における支持棒８６１の総数より大きい。
【０１１２】
方法２０００についての先の記載が、クラブヘッドセットの２つ以上のクラブヘッドを通じて拡大適用され得る例があり得る。例えば、方法２０００は、クラブヘッドセットの２つ以上のクラブヘッドを提供することと、２つ以上のクラブヘッドの各々についての支持棒特性を提供することとを含むことができ、支持棒特性は、２つ以上のクラブヘッドにわたるロフト角の変化に応じて、２つ以上のクラブヘッドにわたって増分で変化する。このような例では、２つ以上のクラブヘッドは、ブロック２０１０および２０２０の第１のクラブヘッドおよび第２のクラブヘッドを備える。また、第１のクラブヘッドについての支持棒特性は、ブロック２０１０および２０４０に関して前述した第１の支持棒特性を含むことができ、第２のクラブヘッドについての支持棒特性は、ブロック２０２０および２０４０に関して前述した第２の支持棒特性を含むことができる。同じ例または他の例では、２つ以上のクラブヘッドの各々についての支持棒特性を提供することは、２つ以上のクラブヘッドにわたる各々の増分のロフト角の変化についての２つ以上のクラブヘッドにわたって支持棒特性を増分で変化させることを含み得る。
【０１１３】
一部の例では、方法２０００は、ホーゼルをクラブヘッドセットのクラブヘッドに提供することと、ホーゼルと釣り合うようにクラブヘッドの後部分における下方トウ区域のみにおいて位置付けられる釣り合い錘を提供することとを備え得る。一部の例では、釣り合い錘は、ブロック２０１０の第１のクラブヘッドに、ブロック２０２０の第２のクラブヘッドに、および／または、方法２０００のゴルフクラブセットのクラブヘッドのいくつかもしくは全部に、提供され得る。一部の例では、釣り合い錘は、下方トウ挿入体８９５（図８、図１０、図１３）と、または、下方トウ挿入体１２９５（図１２、図１５）と同様とできる。
【０１１４】
挿入体がクラブヘッドの後部分における空洞に提供および位置付けられ得る方法２０００の例もあり得る。例えば、第１のクラブヘッドの第１の後部分は、ヒール領域とトウ領域との間に延在する後壁と、第１の後面と後壁との間に位置付けられる第１の空洞とをさらに備え得る。第１の空洞は、空洞ヒール帯と、空洞トウ帯と、空洞中心帯と、第１の後面の反対側に位置付けられる空洞内壁と、後壁の反対側に位置付けられる空洞外壁とを備え得る。また、第１の空洞の空洞内壁は、空洞中心帯においてより空洞ヒール帯および空洞トウ帯において、第１の前面に対してより厚くできる。一部の例では、第１の空洞はクラブヘッド１２００（図１２）の空洞１２８０と同様とでき、空洞１２８０はクラブヘッド８００（図１０）の空洞１０８０と同様ともできる。また、第１のクラブヘッドは、挿入体ヒール帯と、挿入体トウ帯と、挿入体中心帯とを備える第１の挿入体をさらに備えることができ、第１の挿入体は、第１の空洞に少なくとも部分的に収容されるように構成され、挿入体ヒール帯および挿入体トウ帯の各々は挿入体中心帯より薄くなっている。第１の挿入体は空洞内壁と相補的な挿入体内壁を備えることができ、そのため、挿入体ヒール帯および挿入体トウ帯は、空洞内壁に沿って挿入体中心帯の周りで互いに対して鈍角とされる、および／または、空洞内壁は挿入体内壁と相補的に鈍角とされる。一部の例では、第１の差込体は、図８および図１８について先に記載したように、挿入体８８５と同様であり得る。このような構成は、例えば、クラブヘッド８００（図８、図１０）の挿入体８８５および空洞１０８０に関して前述したように、その慣性モーメントを増大させるためにクラブヘッドの中心から離すように質量を再分配するために、有益であり得る。
【０１１５】
一部の例では、方法２０００のブロックの一部は、１つまたは複数の下位ブロックへとさらに分けられ得る。例えば、ブロック２０１０は、後部分における空洞および挿入体などの第１のクラブヘッドの異なる部分を提供するために、前述したいくつかの下位ブロックへとさらに分けられてもよい。
【０１１６】
同じ例または他の例では、方法２０００の異なるブロックのうちの１つまたは複数は、単一のブロックへと組み合わされてもよい、もしくは、同時に実施されてもよく、および／または、このようなブロックの順番は変更されてもよい。例えば、ブロック２０３０は、第１のクラブヘッドについてのブロック２０１０と同時に起こってもよく、第２のクラブヘッドについてのブロック２０２０と同時に起こってもよい。また、ブロック２０４０はブロック２０３０と同時に起こり得る。別の例では、第１のクラブヘッドの詳細のすべてが第１のブロックで実施されてもよく、第２のクラブヘッドの詳細のすべてが第２のブロックで実施されてもよい。
【０１１７】
方法２０００がさらなるブロックまたは異なるブロックを備え得る例もあり得る。例として、方法２０００は、方法２０００のクラブヘッドセットの２つ以上のクラブヘッドの各々について、ブロック２０１０および／または２０２０と同様の個別のブロックを備えてもよい。他の変形が、本開示の範囲から逸脱することなく方法２０００について実施されてもよい。
【０１１８】
移り変わって、図２１は、クラブヘッドセットを提供するための方法２１００のフローチャートを示している。一部の例では、方法２１００のクラブヘッドセットは、図１〜図１６および図１９のクラブヘッドセット８０と、ならびに／または、図１７のクラブヘッドセット１７１と同様であり得る。
【０１１９】
方法２１００のブロック２１１０はクラブヘッドセットの第１のクラブヘッドを提供することを含み、第１のクラブヘッドは、第１のロフト角と、第１の空洞を備える第１の後下方トウ区域とを備える。一部の例では、第１のクラブヘッドはクラブヘッド１２００（図１２、図１５、図１６、図１９）と同様とでき、そのため第１のロフト角はロフト角１５５５（図１５）と同様とでき、第１の空洞は、クラブヘッド１２００（図１５）の下方トウ区域１２１１における空洞１５９６と同様とできる。
【０１２０】
方法２１００のブロック２１２０は、第１の空洞における第１の錘を提供することを備える。一部の例では、第１の錘は、クラブヘッド１２００（図１５）の空洞１５９６における下方トウ挿入体１２９５と同様であり得る。
【０１２１】
方法２１００のブロック２１３０はクラブヘッドセットの第２のクラブヘッドを提供することを含み、第２のクラブヘッドは、第２のロフト角と、第２の空洞を備える第２の後下方トウ区域とを備え、第１のロフト角は第２のロフト角より大きい。第２のクラブヘッドはクラブヘッド８００（図８、図９、図１０、図１３、図１７、図１８）と同様とでき、そのため第２のロフト角はロフト角９５５（図９、図１３）と同様とでき、第２の空洞は、クラブヘッド８００（図１３）の下方トウ区域８１１における空洞１３９６と同様とできる例があり得る。他の例では、第２のクラブヘッドは、第１のクラブヘッドのロフト角より小さいロフト角を有するクラブヘッドセットの別のクラブヘッドであり得る。
【０１２２】
方法２１００のブロック２１４０は第２の空洞において第２の錘を提供することを含み、そのため第１の錘の第１の深さは第２の錘の第２の深さより大きく、第２の錘の第２の面積は第１の錘の第１の面積より大きい。第２の錘がクラブヘッド８００（図１３）の空洞１３９６における下方トウ挿入体８９５と同様であり得る例があり得る。これらの例では、第１の錘の第１の深さおよび第１の面積は挿入体深さ１５９５２（図１５）および挿入体面積１２９５１（図１２）とそれぞれ同様とでき、一方、第２の深さおよび第２の面積は挿入体深さ１３９５２（図１３）および挿入体面積８９５１（図１０）とそれぞれ同様とでき、結果として、下方トウ挿入体１２９５の挿入体深さ１５９５２は下方トウ挿入体８９５の挿入体深さ３９５２より大きく、下方トウ挿入体８９５の挿入体面積８９５１は下方トウ挿入体１２９５の挿入体面積１２９５１より大きい。
【０１２３】
第１の錘および第２の錘の第１の面積と第２の面積との間の上記の関係が、第１の錘および第２の錘のそれぞれの長さおよび幅を変化させることで達成され得る実施があり得る。例えば、第２の錘の第２の長さは第１の錘の第１の長さより大きくなるように作られ得る、および／または、第２の錘の第２の幅は第１の錘の第１の幅より大きくなるように作られ得る。クラブヘッドセット８０の例では、面積８９５１（図１０）が下方トウ挿入体８９５の長さ８９５２および幅８９５３によって定められ、面積１２９５１（図１２）が長さ１２９５２および幅１２９５３によって定められており、長さ８９５２が長さ１２９５２より大きいことの結果として、および／または、幅８９５３が幅１２９５３より大きいことの結果として、下方トウ挿入体８９５の面積８９５１は下方トウ挿入体１２９５の面積１２９５１より大きくできる。本例では、下方トウ挿入体８９５の長さ８９５２および幅８９５３は互いに実質的に同様であり、約０．４７５インチ（１２．０６ミリメートル）あり、下方トウ挿入体１２９５の長さ１２９５２および幅１２９５３も互いに実質的に同様であり、約０．４２５インチ（１０．８ミリメートル）ある。下方挿入体錘１１９５（図１１）の対応する長さおよび幅は約０．４５０インチ（１１．４３ミリメートル）となる。しかしながら、下方トウ挿入体の長さおよび面積が互いに実質的に同様である必要がない他の実施形態があり得る。
【０１２４】
一部の実施形態では、方法２１００のブロック２１４０は、第２の錘から第２の前面までの第２の最小距離を、第１の錘から第１の前面までの第１の最小距離より大きくなるように提供することをさらに含み得る。同じ実施形態または他の実施形態において、ブロック２１４０は、第２のクラブヘッドの重心が第２の前面に対するよりも、第１のクラブヘッドの重心を第１の前面のより近くにするように提供することも含み得る。例えば、第２の最小距離は、クラブヘッド１２００（図１５）の下方トウ挿入体１２９５と前面１５５０との間の挿入体から面への距離１５６０と同様とでき、一方、第１の最小距離は、クラブヘッド８００（図１３）の下方トウ挿入体８９５と前面９５０との間の挿入体から面への距離１３６０と同様とできる。同じ実施形態または他の実施形態において、このような構成は、クラブヘッド１２００のようなより大きいロフトのクラブヘッドの重心を、クラブヘッド８００のようなより小さいロフトのクラブヘッドの重心より、それらのそれぞれの前面へとより近付けることができる。
【０１２５】
方法２０００について前述したのと同様に、および／または、クラブヘッド８００および１２００のそれぞれ空洞１０８０（図１０）および１２８０（図１２）と、挿入体８８５（図８、図１８）と同様の挿入体とに関して、挿入体が方法２１００のクラブヘッドセットのクラブヘッドの後部分における空洞での位置付けのために提供され得る方法２１００の例もあり得る。例えば、空洞の空洞内壁は、空洞ヒール帯および空洞トウ帯においてよりも空洞中心帯において薄くてもよい。同様に、挿入体中心帯は、前記挿入体について、挿入体ヒール帯および挿入体トウ帯より厚くてもよい。このような構成は、例えば、クラブヘッド８００（図８、図１０）の挿入体８８５および空洞１０８０に関して前述したように、その慣性モーメントを増大させるためにクラブヘッドの中心から離すように質量を再分配するために、有益であり得る。
【０１２６】
先の記載がクラブヘッドセットの２つ以上のクラブヘッドの一部分または全部を通じて拡大適用され得る方法２１００の実施形態もあり得る。例えば、方法２１００は、クラブヘッドセットの２つ以上のクラブヘッドを提供することと、それぞれのクラブヘッドのロフト角がクラブヘッドセットの２つ以上のクラブヘッドにわたって増加するにつれて下方トウ挿入体の深さおよび面積を逆に変化させることとを含んでもよい。
【０１２７】
一部の例では、方法２１００のブロックの一部は、１つまたは複数の下位ブロックへとさらに分けられ得る。例えば、ブロック２１１０は、後部分における空洞および挿入体などの第１のクラブヘッドの異なる部分を提供するために、前述したいくつかの下位ブロックへとさらに分けられてもよい。別の例として、ブロック２１４０は、第１の錘の質量と実質的に同様となるように第２の錘の質量を提供することを含んでもよい。同様の提供は、クラブヘッドセットのすべての下方トウ挿入体の質量が互いに実質的に同様となるように方法２１００にわたって行われてもよい。
【０１２８】
同じ例または他の例では、方法２１００の異なるブロックのうちの１つまたは複数は、単一のブロックへと組み合わされてもよい、もしくは、同時に実施されてもよく、および／または、このようなブロックの順番は変更されてもよい。例えば、ブロック２１１０は、第１のクラブヘッドについてのブロック２１２０と同時に起こってもよく、および／または、ブロック２１３０は、第２のクラブヘッドについてのブロック２１４０と同時に起こってもよい。
【０１２９】
方法２１００がさらなるブロックまたは異なるブロックを備え得る例があってもよい。例として、方法２１００は、方法２１００のクラブヘッドセットの２つ以上のクラブヘッドの各々について、ブロック２１１０および／または２１２０と同様の個別のブロックを備えてもよい。他の変形が、本開示の範囲から逸脱することなく方法２１００について実施されてもよい。
【０１３０】
先に飛んで、図２４は、クラブヘッドを提供するための方法２４００のフローチャートを示している。一部の例では、方法２４００のクラブヘッドは、図８〜図１０および図１８について描写されているクラブヘッド８００と同様であり得る。
【０１３１】
方法２４００のブロック２４１０は、方法２４００のゴルフクラブヘッドに挿入体を提供することを含む。一部の例では、挿入体は、挿入体１８５（図１、図３）と、および／または、挿入体８８５（図８、図１８）と同様であり得る。挿入体はヒール帯、トウ帯、および中心帯を備えることができ、中心帯はヒール帯およびトウ帯より厚い。
【０１３２】
方法２４００のブロック２４２０は、ゴルフクラブヘッドの本体に、本体の後部分における挿入体のための空洞を提供することを含む。本体を提供することは、後面および後端を本体の後部分において提供することと、空洞を後面と後端との間に提供することとを含み得る。空洞は、後面に隣接する空洞内側区域と、後端の反対側の空洞外側区域と、空洞ヒール帯と、空洞トウ帯と、空洞ヒール帯および空洞トウ帯より厚い空洞中心帯とを備え得る。一部の例では、本体はクラブヘッド８００（図８、図１８）の本体８０１と同様とでき、後面は後面８６０（図８、図１８）と同様とでき、後端は後端８７０（図８、図１８）と同様とでき、空洞は空洞１０８０（図１０、図１８）と同様とできる。
【０１３３】
方法２４００のブロック２４３０は、挿入体をゴルフクラブヘッドの本体の空洞へと挿入することを含む。一部の例では、ブロック２４３０は、挿入体を空洞に接着または他の形で連結することを含み得る。
【０１３４】
一部の例では、方法２４００のブロックの一部は、１つまたは複数の下位ブロックへとさらに分けられ得る。例えば、ブロック２４２０は、クラブヘッドの本体の異なる部分を提供するために、いくつかの下位ブロックへとさらに分けられてもよい。
【０１３５】
同じ例または他の例では、方法２４００の異なるブロックのうちの１つまたは複数は、単一のブロックへと組み合わされてもよい、もしくは、同時に実施されてもよく、および／または、このようなブロックの順番は変更されてもよい。例えば、ブロック２４１０は、一部の例では、ブロック２４２０と同時に起こってもよく、または、ブロック２４２０の後に起こってもよい。他の例では、ブロック２４１０または２４２０の一方は任意選択であり得る。方法２４００がさらなるブロックまたは異なるブロックを備え得る例があってもよい。他の変形が、本開示の範囲から逸脱することなく方法２４００について実施されてもよい。
【０１３６】
続いて図を見ると、図２５は、本明細書に記載したゴルフクラブおよび製造の方法の実施形態によるクラブヘッドセット２５０のうちのクラブヘッド２５０００の後面図を提示している。図２６は、クラブヘッドセット２５０のクラブヘッド２６０００の後面図を提示しており、図２７は、同じくクラブヘッドセット２５０のクラブヘッド２７０００の後面図を提示している。クラブヘッドセット２５０は、後面においてそれぞれの対角の安定化棒を有するクラブヘッド２５０００（図２５）、２６０００（図２６）、および２７０００（図２７）などの１つまたは複数のクラブヘッドを備えている。後に記載しているように、このような対角の安定化棒は、クラブヘッドの変形を低減することでクラブヘッドを強化するために、および／または、ゴルフボールとのインパクトにおけるクラブヘッドの振動を抑制するために使用され得る。また、同じ例または他の例において、このような対角の安定化棒は、クラブヘッドを変形に対してより良好に強化するように、および／もしくは、予想されるインパクトの位置または経路に沿って振動をより良好に吸収するように、クラブヘッドの打撃経路と並べられるために、ならびに／または、インパクトされたゴルフボールのためのより良好な望ましい方向性の制御を提供するために、クラブヘッドのロフト角に依存して斜めにされてもよい。
【０１３７】
図２５の例では、クラブヘッド２５０００は、打撃面の反対側の後面２５１００を備えるウェッジアイアンヘッドとして示されている。しかしながら、より大きいロフトまたはより小さいロフトのアイアンまたはアイアンのようなクラブヘッドなど、他の種類のクラブヘッドが使用され得る他の実施形態があってもよい。クラブヘッド２５０００は、トウ領域２５２１０と、ヒール領域２５２２０と、トウ端２５２３０と、ヒール端２５２４０と、上レールまたは上端２５２５０と、ソールまたは下端２５２６０とを備えてもいる。鉛直軸２５２９０が上端２５２５０と下端２５２６０とを貫いて延びており、クラブヘッド２５０００をヒール領域２５２２０とトウ領域２５２１０とに分割している。
【０１３８】
本例では、クラブヘッド２５０００の後面２５１００はトウ領域２５２１０に位置付けられた空洞２５３００を備えており、空洞２５３００は、空洞基部２５３１０と、空洞基部２５３１０の少なくとも一部分を画定する空洞壁２５３２０とを備えている。空洞基部２５３１０は、本例における後面２５１００の周辺２５１１０に対して窪まされており、そのため周辺２５１１０は空洞基部２５３１０の上方に突出し、空洞壁２５３２０の少なくとも一部分を定めている。しかしながら、空洞壁２５３２０が空洞基部２５３１０を完全に画定しなくてもよい他の例、および／または、周辺２５１１０が空洞基部２５３１０の上方に突出しなくてもよい他の例があり得る。一部の実施形態では、周辺２５１１０は周辺錘であり、および／または、空洞２５３００は、周辺２５１１０によって定められたより大きい後空洞の中または下に位置付けられる。空洞２５３００は本実施形態ではトウ領域２５２１０のみに位置付けられているが、空洞２５３００がヒール領域２５２２０へと少なくとも部分的に延び得る他の実施形態があってもよい。
【０１３９】
後面２５１００は、空洞基部２５３１０から突出し、鉛直軸２５２９０に対して対角で延びる安定化棒２５４００も備えている。安定化棒２５４００の長さは、実施形態に依存して、空洞基部２５３１０にわたって完全または部分的に延び得る。図２５で見られるように、棒軸２５４１０は、安定化棒２５４００の長さに沿って延び、鉛直軸２５２９０と交差させられ、鉛直軸２５２９０から後面２５１００の高いトウ部分まで、トウ端２５２３０および上端２５２５０に向かって延びている。一部の例では、空洞基部２５３１０からの安定化棒２５４００の厚さもしくは高さ、および／または、クラブヘッドセット２５０の他の安定化棒の厚さもしくは高さは、約０．０１０インチから約０．２５インチまでであり得る。同じ例または他の例では、安定化棒２５４００の幅、および／または、他の安定化棒もしくはクラブヘッドセット２５０の他のクラブヘッドの幅は、約０．０５０インチから約０．７５インチまでであり得る。同じ例または他の例において、安定化棒２５４００の厚さまたは幅は、後面２５１００の高いトウ部分に向かって増大または縮小するように、その長さに沿って変化してもよい。本例では、棒軸２５４１０は、鉛直軸２５２９０に対して約４３度の棒角度２５４２０で斜めにされる。鉛直軸２５２９０と棒軸２５４１０との間の角度が約４０度から約５０度までの範囲であり得る実施形態があり得る。クラブヘッドに依存して、クラブヘッドセット２５０の他のクラブヘッドは、それらのそれぞれの鉛直軸と棒軸との間で、約２５度から約６５度までの棒角度２５４２０と同様の棒角度を備え得る。
【０１４０】
図において先に飛んで、図２８は、打撃経路２８１００に沿って、ゴルフボール２８５００を打つ態勢にあるクラブヘッド２５０００の上からの透視図である。本例では、安定化棒２５４００は、鉛直軸２５２９０（図２５）に対して棒角度２５４２０（図２５）で斜めにされており、そのため棒軸２５４１０（図２５）は、クラブヘッド２５０００がゴルフボール２８５００とのインパクトの位置２８６００に近接するとき、打撃経路２８１００と実質的に並べられる。結果として、安定化棒２５４００が、例えば、鉛直軸２５２９０（図２５）に対して平行または垂直に並べられる場合より、安定化棒２５４００は、ゴルフボール２８５００とのインパクトにおいて、その長さに沿う衝撃応力および／または周波数を受け止め、減衰し、および／または消散させるために、より良好に位置決めされている。また、安定化棒２５４００の長さが打撃経路２８１００と実質的に平行に並べられるため、図２８の上面から見たとき、安定化棒２５４００は、打撃経路２８１００とのゴルフボール２５００の弾道の並びを強要するためのさらなる整合性および方向性制御を付与できる。
【０１４１】
図２８の上面から見られるように、インパクトの位置２８６００に近接する間にクラブヘッド２５０００が目標のオープンフェースのインパクト角度２８７００にあるとき、安定化棒２５４００は弾道２８１００と実質的に並べられるように斜めにされる。一部の例では、１つまたは複数のクラブヘッドは、約３０度から約５０度までの目標のオープンフェースのインパクト角度のために弾道２８１００と実質的に並ぶように斜めにされる、安定化棒２５４００と同様の安定化棒を有してもよい。しかしながら、インパクトの位置２８６００に近接するときにクラブヘッドがスクエアフェースまたはクローズフェースのインパクト角度であるとき、安定化棒が弾道２８１００と並べられるように代わりに斜めにされ得る他の例もあり得る。
【０１４２】
図２６に戻って、クラブヘッド２６０００は、クラブヘッド２５０００（図２５）の鉛直軸２５２９０（図２５）と同様の鉛直軸２６２９０と、安定化棒２５４００（図２５）と同様の空洞２６３００における安定化棒２６４００とを備えている。安定化棒２６４００は、棒角度２６４２０において、鉛直軸２６２９０に対して斜めにされている。図２７は、クラブヘッド２５０００（図２５）の鉛直軸２５２９０（図２５）と同様の鉛直軸２７２９０と、安定化棒２５４００（図２５）と同様の空洞２７３００における安定化棒２７４００とを備えるクラブヘッド２７０００を示している。安定化棒２７４００は、棒角度２７４２０において、鉛直軸２７２９０に対して斜めにされている。
【０１４３】
図２５〜図２７におけるクラブヘッドはクラブヘッドセット２５０の各々の一部であるが、異なるロフトを備えることで互いに異なっている。本例では、クラブヘッド２７０００（図２７）のロフトはクラブヘッド２６０００（図２６）のロフトより大きく、クラブヘッド２６０００（図２６）のロフトはクラブヘッド２５０００（図２５）のロフトより大きい。クラブヘッドセット２５０は、そのクラブヘッドの棒角度がそのクラブのロフトに基づいて変化するように構成されている。例えば、棒角度２７４２０（図２７）は棒角度２６４２０（図２６）より大きく、棒角度２６４２０（図２６）は棒角度２５４２０（図２５）より大きい。したがって、クラブヘッド２６０００がクラブヘッド２５０００（図２５）の目標のオープンフェースのインパクト角度２８７００（図２８）より大きい目標のオープンフェースのインパクト角度にあるとき、安定化棒２６４００（図２６）は打撃経路２８１００（図２８）と実質的に並べられることになる。同様に、クラブヘッド２７１００がクラブヘッド２６０００（図２６）について前述した目標のオープンフェースのインパクト角度より大きい目標のオープンフェースのインパクト角度にあるとき、安定化棒２７４００（図２７）は打撃経路２８１００（図２８）と実質的に並べられることになる。
【０１４４】
先の記載と一致して、本例では、クラブヘッド２５０００（図２５）は、約５２度のロフトを備え、約４３度の棒角度２５４２０を備え、約３７度の目標のオープンフェースのインパクト角度２８７００のために構成されている。クラブヘッド２６０００（図２６）は、約５６度のロフトを備え、約４４度の棒角度２６４２０を備え、約３８度の目標のオープンフェースのインパクト角度のために構成されている。クラブヘッド２７０００（図２７）は、約６０度のロフトを備え、約４７度の棒角度２７４２０を備え、約４２度の目標のオープンフェースのインパクト角度２８７００のために構成されている。
【０１４５】
同じ実施形態および他の実施形態において、クラブヘッドセット２５０は、クラブヘッド２５０００、２６０００、および／または２７０００のうちの１つまたは複数の追加または代替で、異なるロフト角および対応する特性を伴う他のクラブヘッドを備えてもよい。例えば、クラブヘッドセット２５０は、５０度、５４度、および／もしくは５８度のロフトを伴うクラブヘッド、ならびに／または、対応する棒角度および目標のオープンフェースのインパクト角度の特性を伴うより小さいロフトのアイアンを備えてもよい。
【０１４６】
いくつかの範囲が前述の値について実施され得る。例えば、クラブヘッド２５０００（図２５）、クラブヘッド２６０００（図２６）、クラブヘッド２７０００（図２７）、および／またはクラブヘッドセット２５０の別のクラブヘッドは、約４５度から約７０度までのロフトを備え得る、約４０度から約５０度までの棒角度を備え得る、および／または、約３０度から約５０度までの目標のオープンフェースのインパクト角度のために構成され得る実施形態があり得る。より小さいロフトのアイアンが含まれる同じ実施形態または他の実施形態では、ロフトは約１８度から約７０度まで変化でき、棒角度は約２５度から６５度まで変化できる。
【０１４７】
図２５〜図２７で見られるように、クラブヘッドセット２５０のクラブヘッドは、それらのそれぞれの後面の中間に向かう砂時計形支持体を備えている。例として、クラブヘッド２５０００は、後面２５１００から突出する砂時計形支持体２５６００を備えており、砂時計形支持体２５６００は、上部分２５６３０と、下部分２５６４０と、中間部分２５６５０とを備えている。砂時計形支持体２５６００は、上部分２５６３０と、下部分２５６４０と、それらの間の中間部分２５６５０とを定めているトウ側壁２５６１０およびヒール側壁２５６２０も備えてもいる。本例では、空洞壁２５３２０はトウ側壁２５６１０を備えており、そのためトウ側壁２５６１０は空洞基部２５３１０の上方に突出している。同じく本例では、空洞２５７００の空洞壁２５７２０はヒール側壁２５６２０を備えており、そのためヒール側壁２５６２０は空洞２５７００の空洞基部の上方に突出している。
【０１４８】
砂時計形支持体２５６００は、いくつかの便益をクラブヘッド２５０００に提供するように構成され得る。例えば、その質量の大部分を上部分２５６３０と下部分２５６４０との間で分割することで、中間部分２５６５０が比較的より軽量とされる。このような構成は、中間部分２５６５０および／または空洞２５３００もしくは２５７００の反対側の打撃面における中心でのインパクトの衝撃において安定性を向上させるために、中間部分２５６５０の周りに向上された慣性モーメントを提供する。また、クラブヘッド２５０００において高く位置付けられた砂時計形支持体の上部分の質量は、最適な打ち出し条件に向けて重心を位置決めするのに、および慣性モーメントを増大するのに有益であり得る。一部の例では、砂時計形支持体２５６００の中間部分２５６５０は後面２５１００の水平中心線２５２８０の上方に位置付けでき、それによってクラブヘッド２５０００の重心をさらに持ち上げる。砂時計形支持体２５６００を通じて記載されているように重心を持ち上げることで、より良好な打ち出し制御を提供でき、より安定したゴルフボールの弾道に向けて、より小さい打ち出し角を可能にできる、および／または、ギヤ効果およびボールスピンを増加させる。同じ実施形態または他の実施形態では、上部分２５６３０は、砂時計形支持体２５６００の下部分２５６４０より幅広および／または厚くてもよい。
【０１４９】
砂時計形支持体２５６００のトウ側壁２５６１０は、砂時計形支持体２５６００の上部分２５６３０を少なくとも一部で定める上区分２５６１１を備えている。同じ例または他の例では、上区分２５６１１は安定化棒２５４００と実質的に平行である。このような平行な関係は、衝撃応力、振動、および／もしくは周波数をより良好に受け止め、減衰し、および／もしくは消散させるために、ならびに／または、打撃経路２８１００（図８）に対して並べられるときにより良好なゴルフボール方向性制御を与えることを支援するために、上区分２５６１１および／または砂時計形支持体２５６００の他の部分を安定化棒２５４００との組み合わせで作用させることができる。トウ側壁２５６１０は、本例では、砂時計形支持体２５６００の下部分２５６４０を少なくとも一部で定めている下区分２５６１２も備えている。一部の例では、下区分２５６１２は、安定化棒２５４００に対して実質的に垂直であり得る、および／または、安定化棒２５４００に対して他の形で斜めにされ得る。
【０１５０】
トウ側壁２５６１０は、本実施形態では、砂時計形支持体２５６００の中間部分２５６５０に沿って実質的に非直線的である。具体的には、本例では、トウ側壁２５６１０は斜めにされており、「Ｕ字」または「Ｖ字」の形に近くなっており、そのため、約８０度から約１００度までの角度がトウ側壁２５６１０の上部分２５６１１と下部分２５６１２との間に存在し得る。
【０１５１】
本例では、後面２５１００は、ヒール領域２５２２０において位置付けられた空洞２５７００も備えている。空洞２５７００は空洞２５３００と同様とできるが、砂時計形支持体２５６００のヒール側壁２５６２０を備える空洞壁２５７２０を備えている。図２５では、空洞２５７００および２５３００の両方は水平中心線２５２８０の上方に位置付けられている。本例では、空洞２５７００は安定化棒２５４００と同様の安定化棒を持っていない。しかしながら、クローズフェースのインパクト角度のために構成されたクラブヘッドについてなど、安定化棒が空洞２５７００において提供され得る他の実施形態があってもよい。安定化棒が空洞２５７００において提供されているこのような例では、このような安定化棒は、砂時計形支持体２５６００のヒール側壁２５６２０の上区分と平行とされ得る、安定化棒２５４００の角度に対して実質的に垂直な安定化棒２５４００の角度と平行とされ得る、および／または、目標のフェースのインパクト角度にある一方でクラブヘッドの打撃経路と並んでいるなど、他の形で斜めとされ得る。同じ例または他の例において、空洞２５７００は安定化棒を備え、空洞２５３００は安定化棒２５４００を備えてもよいし備えなくてもよい。
【０１５２】
図２５〜図２７において見られるように、クラブヘッドセット２５０のクラブヘッドは、それらのクラブヘッドのロフト角に依存して変化し得るそれぞれのトウ錘も備えている。例えば、図２５では、クラブヘッド２５０００は、下端２５２６０に向かうトウ領域２５２１０に位置付けられるトウ錘２５８００を備えている。トウ錘２５８００は、ヒール領域２５２４０の方を向く錘面２５８１０を備え、錘面２５８１０は鉛直軸２５２９０に対して斜めにされている。同様に、図２６では、クラブヘッド２６０００は、錘面２６８１０が鉛直軸２５２９０に対して斜めにされているトウ錘２６８００を備えており、図２７では、クラブヘッド２７０００は、錘面２７８１０が鉛直軸２７２９０に対して斜めにされているトウ錘２７８００を備えている。クラブヘッドセット２５０の本例では、錘面２５８１０（図２５）、２６８１０（図２６）、および２７８１０（図２７）の角度は、安定化棒２５４００（図２５）、２６４００（図２６）、および２７４００（図２７）の角度に関して前述した変化と同様に、それらのそれぞれのクラブヘッドのロフトに応じて変化する。例えば、クラブヘッド２７０００のロフトがクラブヘッド２６０００のロフトより大きく、クラブヘッド２６０００のロフトがクラブヘッド２５０００のロフトより大きい場合、鉛直軸に対する錘面２７８１０の角度は、鉛直軸に対する錘面２６８１０の角度より大きく、鉛直軸に対する錘面２６８１０の角度は、鉛直軸に対する錘面２５８１０の角度より大きい。本例では、斜めにされた錘面は、それらの対応する安定化棒に対して実質的に平行に並べられ、そのため、錘面２５８１０は安定化棒２５４００（図２５）と実質的に平行であり、錘面２６８１０は安定化棒２６４００（図２６）と実質的に平行であり、錘面２７６８１０は安定化棒２７４００（図２７）と実質的に平行である。同じ例または他の例において、錘面の角度におけるこのような変化は、クラブヘッドがそれぞれの目標のフェースのインパクト角度にあるとき、錘面２５８１０、２６８１０、および２７８１０をそれぞれの打撃経路と並べることによってなど、安定化棒２５４００（図２５）、２６４００（図２６）、および２７４００（図２７）の間の変化に関して前述したものと同様の便益を提供できる。しかしながら、クラブヘッドセット２５０と同様のクラブヘッドセットのクラブヘッドが、それぞれのトウ錘を備える必要がない、または、必ずしもクラブヘッドのロフト角に依存して変化しないそれぞれのトウ錘を備え得る他の例もあり得る。
【０１５３】
続いて図を見ると、図２９は、クラブヘッド２９０００の後面図を示している。クラブヘッド２９０００はクラブヘッド２５０００（図２５）と同様とできるが、安定化棒２９４００を備えている。安定化棒２９４００は安定化棒２５４００（図２５）と同様であるが、クラブヘッド２９０００の上トウ端に向かって幅が増加する。同じ例または他の例において、安定化棒２９４００は、同じくまたは代替で、クラブヘッド２９０００の上トウ端に向かって厚さが増加する。一部の例では、安定化棒の幅または厚さをクラブヘッドの上トウ端に向けて増加させることで、追加の構造的な支持を高いトウ領域に提供できる、および／または、さらに補強された面積を、ゴルフボールとのインパクトのために並べられるより幅広い経路に沿って提供できる。このような補強は、インパクトにおいて、変形をさらに低減でき、さらなる応力を吸収できる。また、増加の幅および／または厚さは、スピン速度の増加およびより大きな慣性モーメントに向けて、クラブヘッドの重心をより高く位置決めできる。
【０１５４】
図３０は、クラブヘッド３００００の後面図を示している。クラブヘッド３００００はクラブヘッド２５０００（図２５）と同様であるが、安定化棒２５４００（図２５）などの１つだけの安定化棒ではなく安定化棒３０４０１および３０４０２を備えている。本例では、安定化棒３０４０１および３０４０２は、安定化棒２５４００（図２５）について前述したように斜めにされているが、安定化棒３０４０１は安定化棒３０４０２より幅広であり、安定化棒３０４０２よりクラブヘッド３００００のトウ端のより近くに位置付けられている。同じ例または他の例では、安定化棒３０４０１は安定化棒３０４０２より厚くもしくは高くでき、追加または代替で、安定化棒３０４０２より幅広とできる。同様に、同じ例または他の例では、安定化棒３０４０１および３０４０２の幅は同じとできる。一部の実施形態では、追加の安定化棒が、さらなる構造的な支持をクラブヘッドのトウ領域にわたって提供できる。単一の安定化棒が特定の場所において補強を提供する一方で、追加された棒は面のより広い断面にわたって支持を増加させることができる。
【０１５５】
移り変わって、図３１は、ゴルフクラブヘッドセットを提供するための方法３１０００のフローチャートを示している。一部の例では、方法３１０００のゴルフクラブヘッドセットは、図２５〜図２８に関して記載されたゴルフクラブヘッドセット２５０と同様とでき、ならびに／または、図２９および／もしくは図３０のものと同様のクラブヘッドを備えるゴルフクラブヘッドセットと同様とできる。ゴルフクラブヘッドセットは、対角の安定化棒を備える１つまたは複数のクラブヘッドを備え得る。
【０１５６】
方法３１０００のブロック３１１００は、第１の対角の安定化棒を備える第１のクラブヘッドを提供することを含む。一部の例では、第１のクラブヘッドは、クラブヘッド２５０００（図２５）、クラブヘッド２９０００（図２９）、またはクラブヘッド３００００（図３０）などの前述したクラブヘッドセット２５０のクラブヘッドのうちの１つと同様であり得る。第１の鉛直軸が、第１のクラブヘッドの第１の上端および第１の下端を貫いて、第１のクラブヘッドの第１のヒール領域と第１のトウ領域との間で延びるように定められ得る。一部の例では、第１の鉛直軸は鉛直軸２５２９０（図２５）と同様とでき、第１のトウ領域はトウ領域２５２１０（図２５）と同様とできる。
【０１５７】
ブロック３１１００は、一部の例では、第１のクラブヘッドの第１の後面を提供するための下位ブロック３１１１０を含み得る。例として、第１の後面はクラブヘッド２５０００（図２５）の後面２５１００と同様とできる。第１の後面は、第１のクラブヘッドの第１の打撃面の反対側に位置付けられ得る。第１のクラブヘッドは、例えば、鋳造または鍛造の工程を介して提供され得る。
【０１５８】
次に、ブロック３１１００は、第１のクラブヘッドの第１のトウ領域において第１の後面における第１の空洞を提供するための下位ブロック３１１２０を含み得る。第１の空洞は、第１の空洞２５３００（図２５）と同様とでき、空洞基部２５３１０と同様の第１の空洞基部と、第１の空洞基部を画定し、空洞壁２５３２０（図２５）と同様の第１の空洞壁とを備え得る。一部の例では、第１のクラブヘッドの周辺は、第１の空洞基部の上方に突出し得る、および／または、空洞基部２５３１０の上方に突出する周辺２５１１０に関して図２５で見られるものなど、第１の空洞壁の一部分を定め得る。同じ例または他の例では、第１の後面は、第１の空洞が第１のクラブヘッドの第１のトウ領域のみにおいて位置付けられるように構成されてもよい。
【０１５９】
方法３１０００のブロック３１１００は、第１の空洞内にあって第１の空洞から突出し、第１のクラブヘッドの鉛直軸に対して第１の棒角度で斜めにされる第１の対角の安定化棒を提供するための下位ブロック３１１３０も含み得る。第１の対角の安定化棒は、安定化棒２５４００（図２５）と同様とでき、棒軸２５４１０（図２５）と同様の、第１の棒の長さに沿って延びる第１の棒軸を備え得る。第１の棒軸は、第１の鉛直軸と交差するように、および、第１の鉛直軸から第１のクラブヘッドの高いトウ部分に向かって延在するように並べられ得る。一部の例では、第１の対角の安定化棒は、第１のクラブヘッドと鍛造もしくは鋳造され得る、および／または、第１のクラブヘッドから機械加工され得る。第１の対角の安定化棒が第１の後面との単一品の材料を備えない他の例もあり得る。
【０１６０】
第１のクラブヘッドが打撃経路に沿うゴルフボールとのインパクトの位置に近接するとき、第１の棒軸が第１のクラブヘッドの打撃経路と実質的に並べられ得るように、第１の棒軸が第１の棒角度で斜めにされ得る実施形態があり得る。一部の例では、第１の棒軸および／または第１の安定化棒のこのような並びは、打撃経路２８１００に対する安定化棒２５４００について、図２８に関して前述されているようになり得る。同じ例または他の例では、第１の棒軸および／または第１の安定化棒の並びは、図２５〜図２８のクラブヘッドに関して前述されているような目標のフェースのインパクト角度に関して構成され得る。
【０１６１】
第１の対角の安定化棒について他の構成を伴う実施形態もあり得る。例として、一部の実施形態では、第１の対角の安定化棒の厚さまたは幅の少なくとも一方は、図２５および図２９に関して前述されているように、第１のクラブヘッドの第１の上端に向かって増加するように構成され得る。別の例として、第２の対角の安定化棒が、図３０に関して記載されているように、第１の対角の安定化棒と平行に、第１の空洞に位置付けられてもよい。このような例では、第２の対角の安定化棒は、第１の対角の安定化棒より厚いおよび／または幅広とでき、第１の対角の安定化棒より第１のクラブヘッドの第１のトウ端のより近くに位置付けられ得る。
【０１６２】
一部の例では、ブロック３１１００は、第１の後面から突出する第１の砂時計形支持体を提供するための下位ブロック３１１４０をさらに含み得る。第１の砂時計形支持体が砂時計形支持体２５６００（図２５）と同様であり得る例もあり得る。第１の砂時計形支持体は、一部の例では第１の後面において機械加工されてもよいが、第１の砂時計形支持体が第１の後面との単一品の材料を備える必要のない例もあり得る。一部の実施では、第１の砂時計形支持体は、砂時計形支持体２５６００（図２５）の上部分２５６３０、下部分２５６４０、および／または中間部分２５６５０とそれぞれ同様であり得る上部分、下部分、および中間部分を備え得る。第１の砂時計形支持体は、砂時計形支持体２５６００（図２５）のヒール側壁２５６２０および／またはトウ側壁２５６１０とそれぞれ同様であり得るヒール砂時計形側壁およびトウ砂時計形側壁を備え得る。一部の実施形態では、トウ砂時計形側壁は、ブロック３１１２０の第１の空洞の上方に突出し得る、および／または、第１の空洞壁の一部分を備え得る。トウ砂時計形側壁の上区分が第１の対角の安定化棒の第１の棒軸と実質的に平行であり得る例もあり得る。同じ例または他の例では、トウ砂時計形側壁は、図２５におけるトウ側壁２５６１０について見られるように、第１の砂時計形支持体の中間砂時計形部分に沿って非直線的であり得る。同じ例または他の例では、ヒール砂時計形側壁は第１のクラブヘッドの第２の空洞の上方に突出できる。例えば、このような第２の空洞は、第１のクラブヘッドのヒール領域に位置付けられ得る、および／または、一部の実施形態では空洞２５７００（図２５）と同様であり得る。
【０１６３】
ブロック３１１００は、一部の実施形態では、第１の錘角度で斜めにされており、第１のクラブヘッドのヒール領域を向く第１の錘面を備える第１のトウ錘を提供するための下位ブロック３１１５０を備え得る。第１のトウ錘は、第１のトウ領域において、第１のクラブヘッドの第１の下端を向いて位置付けることができ、第１の錘面は、第１のクラブヘッドの第１の鉛直軸に対して第１の錘角度で第１のヒール領域の方を向くことができる。一部の例では、第１のトウ錘はトウ錘２５８００と同様とでき、第１の錘面は錘面２５８１０（図２５）と同様とできる。同じ例または他の例では、第１のトウ錘は、同様の材料を備えることによってなど、挿入体８９５（図８）と同様とできる。
【０１６４】
一部の例では、方法３１０００は、第２の対角の安定化棒を備える第２のクラブヘッドを提供するためのブロック３１２００を含み得る。第２のクラブヘッドは、一部の例では、クラブヘッド２６０００（図２６）または２７０００（図２７）の１つなど、クラブヘッドセット２５０のクラブヘッドの別のものと同様であり得る。
【０１６５】
ブロック３１２００は、第１の棒角度より大きい第２の棒角度で斜めにされる第２の対角の安定化棒を提供するための下位ブロック３１２１０を含んでいる。一部の例では、ブロック３１２００の第２のクラブヘッドのロフトはブロック３１１００の第１のクラブヘッドのロフトより大きくでき、そのため棒角度は増加するロフトと共に増加する。一部の実施形態では、第２の対角の安定化棒は棒角度２６４２０（図２６）において安定化棒２６４００と同様であり得る。
【０１６６】
ブロック３１２００は、一部の例では、第２の錘面が第１の錘角度より大きい第２の錘角度で斜めにされている第２のトウ錘を提供するための下位ブロック３１２２０を備えてもよい。第２のトウ錘が錘面２６８１０を伴うトウ錘２６８００と同様であり得る実施形態があってもよい。
【０１６７】
一部の例では、方法３１０００の異なるブロックのうちの１つまたは複数は、単一のブロックへと組み合わされてもよい、もしくは、同時に実施されてもよく、および／または、このようなブロックの順番は変更されてもよい。例えば、下位ブロック３１１２０および３１１３０は、第１のクラブヘッドを鋳造、鍛造、および／または機械加工するときなど、一部の例では、下位ブロック３１１１０と同時に実行されてもよい。同じ例または他の例では、方法３１０００のブロックの一部は、いくつかの下位ブロックへと分けられてもよい。例えば、下位ブロック３１１５０は、溶接によって、または、接着剤によってなど、第１のトウ錘を第１のクラブヘッドへと結合するための下位ブロックを含んでもよい。方法３１０００がさらなるブロックまたは異なるブロックを備え得る例があってもよい。例として、ブロック３１１００と同様の別のブロック、ならびに／または、対応する下位ブロック３１１１０、３１１２０、３１１３０、３１１４０、および／もしくは３１１５０は、クラブヘッド２７０００（図２７）またはクラブヘッドセット２５０の他のクラブヘッドなど、第３の対角の安定化棒を備える第３のクラブヘッドを提供するために提供されてもよい。また、方法３１０００が前述したステップの一部分だけを含み得る例もあり得る。例えば、下位ブロック３１１５０は一部の実施形態において任意選択であってもよい。他の変形が、本開示の範囲から逸脱することなく方法３１０００について実施されてもよい。変化特性を伴うクラブヘッドセットと、関連する方法とが、特定の実施形態に関連して記載されてきたが、様々な変更が本開示の精神または範囲から逸脱することなく行われてもよい。このような選択肢および他の実施形態の追加の例は、前述の記載において提供されている。したがって、変化特性を伴うクラブヘッドセットの実施形態のここでの開示と、関連する方法とは、本開示の範囲を例示することが意図されており、限定となることが意図されていない。例えば、一実施形態では、ゴルフクラブヘッドは図１〜図５の１つまたは複数の特徴を、図１〜図５に関連して記載した他の特徴を伴って、または、伴わずに有し得る。別の例では、図８〜図２１に関して前述したクラブヘッドセットは、図１６および図１９において列記したものより多いまたはより少ないクラブヘッドを備えてもよく、ロフト角、支持棒特性、および／または下方トウ挿入体錘の属性は、図８〜図２１の例におけるものと異なり得るが、なおも互いに関連付けられている。なおも他の例として、図２５〜図３１について詳述した実施によるクラブヘッドが、長方形、三角形、台形、円形、三日月形、および／もしくは菱形などのいくつかの形の対応する安定化棒を有し得る、ならびに／または、固体、格子、窪み、ハニカム、拡張、および／または縮小のパターンなど、いくつかのパターンの対応する安定化棒を有し得るが、本開示の教示をなおも包含している。様々な図の特徴のうちの１つまたは複数を有する異なる実施形態の他の並び変えが、同様に検討されている。変化特性を伴うクラブヘッドセットと、関連する方法との範囲は、添付の請求項によって必要とされる範囲までにだけ限定されることが意図されている。
【０１６８】
図３２〜図３４は、本明細書に記載したゴルフクラブおよび製造の方法の実施形態によるゴルフクラブヘッドセット４５０００のゴルフクラブヘッド４００００を示している。クラブヘッド４００００はクラブヘッド１００およびクラブヘッド８００と同様とでき、クラブヘッド４００００を備えるゴルフクラブは、クラブヘッド１００を備えるゴルフクラブ、および、クラブヘッド８００を備えるゴルフクラブと同様とできる。クラブヘッド４００００は、前面４０２５０および後面４０８６０を伴う打撃面４０１０２と、トウ領域４０１１０と、トウ領域４０１１０の反対側のヒール領域４０１２０と、ヒール領域４０１２０におけるホーゼル４０１０５と、ソール領域４０１３０と、ソール領域４０１３０の反対側の上領域４０１４０とを有する本体４０１０１を備えている。ソール領域４０１３０は、ヒール領域４０１２０からトウ領域４０１１０へと延在でき、前面４０２５０から後ソールエッジ４０１６５まで延在できる。クラブヘッド４００００は、前面４０２５０の反対側の後面４０８６０を備え、後部分４０８０２のトウ領域４０１１０とヒール領域４０１２０との間で延びている後部分４０８０２も備えている。異なる実施形態では、ゴルフクラブヘッド４００００は、ヒール領域４０１２０において、ホーゼル４０１０５の代わりに孔（図示せず）を有してもよい。
【０１６９】
図３２を参照すると、クラブヘッド４００００は、後面４０８６０から突出する支持構造体４０２００をさらに備えている。支持構造体４０２００は、中心支持棒４０２１０と下支持棒４０２２０とを備えている。中心支持棒４０２１０は、中心領域において位置決めされ、打撃面４０１０２の上部の近くから打撃面４０１０２の下部の近くまで延在している。さらに、中心支持棒４０２２０は、クラブヘッド４００００のヒールからトウへの方向で測定される（つまり、ヒール領域４０１２０からトウ領域４０１１０まで延びる方向で測定される）幅４０２１２を含む。図示した実施形態では、中心支持棒４０２１０の幅４０２１２は、クラブヘッド４００００の上領域４０１４０の近くからソール領域４０１３０の近くに向かって増加している。他の実施形態では、中心支持棒４０２１０の幅４０２１２は、一定のままであり得る、または、クラブヘッド４００００の上領域４０１４０の近くからソール領域４０１３０の近くに向かって縮小し得る。下支持棒４０２２０は、後面４０８６０の中心の下に位置決めされ、クラブヘッド４００００のヒール領域４０１２０の近くからトウ領域４０１１０の近くまで延びる。さらに、下支持棒４０２２０は、打撃面４０１０２の上から下への方向で測定される（つまり、上領域４０１４０からソール領域４０１３０へと延びる方向で測定される）高さ４０２２２を含む。図示した実施形態では、下支持棒４０２２０の高さ４０２２２は、クラブヘッド４００００の中心近くからヒール部分４０１２０の近くおよびトウ部分４０１１０の近くにむかって縮小している。他の実施形態では、下支持棒４０２２０の高さ４０２２２は、クラブヘッド４００００の中心近くからヒール部分４０１２０の近くおよびトウ部分４０１１０の近くまで一定であってもよく、または、下支持棒４０２２０の高さ４０２２２は、クラブヘッド４００００の中心近くからヒール部分４０１２０の近くおよびトウ部分４０１１０の近くに向かって増大してもよい。
【０１７０】
本実施形態では、支持棒４０２１０および４０２２０は、後面４０８６０から測定されるように、一体に形成され、実質的に同じ支持棒の厚さを備える。支持棒の厚さは図３２の例では支持棒４０２１０と４０２２０との両方について一定であるが、支持棒の厚さが支持棒の長さに沿ってテーパ形または他の形で様々である他の例もあり得る。
【０１７１】
支持棒４０２１０および４０２２０は、同じ材料片の一部を含むことで、本実施形態では後面４０８６０と一体となっている。例えば、支持棒４０８６１は、後面４０８６０に沿って鋳造、鍛造、または機械加工され得る。支持棒４０２１０および４０２２０がそれぞれの後面と一体でないとしても後面にしっかりと取り付けられる他の実施形態もあり得る。このような例では、支持棒は、後面に、溶接、ロウ付け、エポキシ樹脂で接着、または他の方法で接着され得る。クラブヘッド４００００の打撃面４０１０２は、前面４０２５０から後面４０８６０までの垂直な距離として測定される厚さを備える。図示した実施形態では、打撃面４０１０２の厚さは、後に記載しているように、打撃面帯に応じて変化する。他の実施形態では、打撃面４０１０２の厚さは実質的に一定であってもよい。
【０１７２】
図３２を参照すると、打撃面４０１０２は、中心帯４０１０６と、ヒール帯４０１０７と、トウ帯４０１０８と、周辺帯４０１０９とを有している。中心帯４０１０６は、中心支持棒４０２１０によって補強される打撃面４０１０２の一部分を備えている。ヒール帯４０１０７は、クラブヘッド４００００のヒール領域４０１２０の近くで、支持構造体４０２００からの補強のない打撃面４０１０２の一部分を備えている。トウ帯４０１０８は、クラブヘッド４００００のトウ領域４０１１０の近くで、支持構造体４０２００からの補強のない打撃面４０１０２の一部分を備えている。周辺帯４０１０９は、中心帯４０１０６、ヒール帯４０１０７、トウ帯４０１０８、および下支持棒４０２２０を包囲するクラブヘッドの一部分を備えている。
【０１７３】
図示した実施形態では、ヒール帯における打撃面の厚さは、トウ帯における打撃面の厚さとおおよそ同じである。さらに、図示した実施形態では、ヒール帯およびトウ帯における打撃面の厚さは、中心帯における打撃面の厚さより小さく、中心帯における打撃面の厚さは、周辺帯における打撃面の厚さより小さい。
【０１７４】
例えば、図示した実施形態では、ヒール帯４０１０７における打撃面４０１０２の厚さは約０．０７５インチ（０．１９ｃｍ）である。多くの実施形態において、ヒール帯４０１０７におけるフェースプレートの厚さは、約０．０６７インチ（０．１７ｃｍ）から０．０８２インチ（０．２１ｃｍ）までの範囲である。他の実施形態では、ヒール帯４０１０７における打撃面４０１０２の厚さは、約０．１０インチ（０．２５ｃｍ）未満、約０．０９インチ（０．２３ｃｍ）未満、約０．０８インチ（０．２０ｃｍ）未満、または約０．０７インチ（０．１８ｃｍ）未満であり得る。
【０１７５】
さらなる例について、図示した実施形態では、トウ帯４０１０８における打撃面４０１０２の厚さは約０．０７５インチ（０．１９ｃｍ）である。多くの実施形態において、トウ帯４０１０８におけるフェースプレートの厚さは、約０．０６７インチ（０．１７ｃｍ）から０．０８２インチ（０．２１ｃｍ）までの範囲である。他の実施形態では、トウ帯４０１０８における打撃面４０１０２の厚さは、約０．１０インチ（０．２５ｃｍ）未満、約０．０９インチ（０．２３ｃｍ）未満、約０．０８インチ（０．２０ｃｍ）未満、または約０．０７インチ（０．１８ｃｍ）未満であり得る。
【０１７６】
さらなる例について、図示した実施形態では、中心帯４０１０６における打撃面４０１０２の厚さは約０．０８５インチである。多くの実施形態において、中心帯４０１０６におけるフェースプレートの厚さは、約０．０７８インチ（０．２０ｃｍ）から０．０９２インチ（０．２３ｃｍ）までの範囲である。他の実施形態において、中心帯４０１０６における打撃面４０１０２の厚さは、約０．０６５インチ（０．１７ｃｍ）から０．１５インチ（０．３８ｃｍ）までの範囲であり得る。例えば、中心帯４０１０６における打撃面４０１０２の厚さは、約０．０６５インチ（０．１７ｃｍ）、約０．０７０インチ（０．１８ｃｍ）、約０．０７５インチ（０．１９ｃｍ）、約０．０８０インチ（０．２０ｃｍ）、約０．０８５インチ（０．２２ｃｍ）、約０．０９０インチ（０．２３ｃｍ）、約０．０９５インチ（０．２４ｃｍ）、約０．１００インチ（０．２５ｃｍ）、約０．１０５インチ（０．２７ｃｍ）、約０．１１０インチ（０．２８ｃｍ）、または約０．１１５インチ（０．２９ｃｍ）であり得る。
【０１７７】
さらなる例について、図示した実施形態では、周辺帯４０１０９における打撃面４０１０２の厚さは約０．１６０インチ（０．４０６ｃｍ）である。多くの実施形態において、周辺帯４０１０９におけるフェースプレートの厚さは、約０．１４０インチ（０．３５６ｃｍ）から０．１８０インチ（０．４５７ｃｍ）までの範囲である。他の実施形態において、周辺帯４０１０９における打撃面４０１０２の厚さは、約０．２６０インチ（０．６６０ｃｍ）以下であり得る。例えば、周辺帯４０１０９における打撃面４０１０２の厚さは、約０．２６０インチ（０．６６０ｃｍ）以下、約０．２４０インチ（０．６１０ｃｍ）以下、約０．２２０インチ（０．５５９ｃｍ）以下、約０．２００インチ（０．５０８ｃｍ）以下、約０．１８０インチ（０．４５７ｃｍ）以下、約０．１６０インチ（０．４０６ｃｍ）以下、または約０．１４０インチ（０．３５６ｃｍ）以下であり得る。
【０１７８】
多くの実施形態では、打撃面４０１０２は上方領域と下方領域とを備え得る。これらの実施形態では、上方領域は、空洞４０１８０の上方に、または、空洞４０１８０の上部と打撃面４０１０２の上端との間に、打撃面４０１０２の領域を備え得る。さらに、これらの実施形態では、下方領域は、空洞４０１８０の前に、または、空洞４０１８０内に、または、空洞４０１８０の上部と打撃面４０１０２の下端との間に、打撃面４０１０２の領域を備え得る。
【０１７９】
一部の実施形態では、上方領域の上方の厚さは、打撃面４０１０２の上方領域における前面４０２５０に対して実質的に垂直な方向で、前面４０２５０から後面４０８６０までで測定されてもよい。多くの実施形態では、上方の厚さは変化でき、最も小さい上方の厚さまたは最小の上方の厚さを定める。多くの実施形態では、最小の上方の厚さは０．０６インチ（０．１５２ｃｍ）から０．１２インチ（０．３０５ｃｍ）までであり得る。多くの実施形態では、最小の上方の厚さは、０．１２インチ（０．３０５ｃｍ）以下、０．１１インチ（０．２７９ｃｍ）以下、０．１０インチ（０．２５４ｃｍ）以下、０．０９インチ（０．２２８６ｃｍ）以下、０．０８インチ（０．２０３２ｃｍ）以下、０．０７インチ（０．１７７８ｃｍ）以下、または０．０６インチ（０．１５２４ｃｍ）以下であり得る。例えば、一部の実施形態では、最小の上方の厚さは、約０．０６インチ（０．１５２４ｃｍ）、約０．０７インチ（０．１７７８ｃｍ）、約０．０８インチ（０．２０３２ｃｍ）、約０．０９インチ（０．２２８６ｃｍ）、または約０．１インチ（０．２５４ｃｍ）であり得る。
【０１８０】
一部の実施形態では、下方領域の下方の厚さは、打撃面４０１０２の下方領域における前面４０２５０に対して実質的に垂直な方向で、前面４０２５０から後面４０８６０までで測定されてもよい。多くの実施形態では、下方の厚さは変化でき、最も小さい下方の厚さまたは最小の下方の厚さを定める。多くの実施形態において、最小の下方の厚さは最小の上方の厚さより小さくてもよい。一部の実施形態では、下方領域の最小の下方の厚さは、０．０５インチ（０．１２７ｃｍ）から０．１０インチ（０．２５４ｃｍ）までであり得る。多くの実施形態では、最小の下方の厚さは、０．１０インチ（０．２５４ｃｍ）以下、０．０９インチ（０．２２８６ｃｍ）以下、０．０８インチ（０．２０３２ｃｍ）以下、約０．０７インチ（０．１７７８ｃｍ）以下、０．０６インチ（０．１５２４ｃｍ）以下、または０．０５インチ（０．１２７ｃｍ）以下であり得る。例えば、一部の実施形態では、最小の下方の厚さは、約０．０５インチ（０．１２７ｃｍ）、約０．０６インチ（０．１５２４ｃｍ）、約０．０７インチ（０．１７７８ｃｍ）、約０．０８インチ（０．２０３２ｃｍ）、または約０．０９インチ（０．２２８６ｃｍ）であり得る。
【０１８１】
多くの実施形態において、最小の下方の厚さは最小の上方の厚さより大きい。他の実施形態において、最小の下方の厚さは最小の上方の厚さより小さくてもよい。多くの実施形態では、前面４０２５０に対して実質的に垂直な方向で前面４０２５０から後面４０８６０まで測定される、上方領域および下方領域を含む打撃面４０１０２の最小厚さは、０．１１インチ（０．２７９ｃｍ）以下、０．１０インチ（０．２５４ｃｍ）以下、０．０９インチ（０．２２８６ｃｍ）以下、０．０８インチ（０．２０３２ｃｍ）以下、０．０７インチ（０．１７７８ｃｍ）以下、０．０６インチ（０．１５２４ｃｍ）以下、または０．０５インチ（０．１２７ｃｍ）以下であり得る。
【０１８２】
図３３を参照すると、クラブヘッド４００００の前面４０２５０は表面積を含んでいる。図示した実施形態では、前面４０２５０の表面積は、約４．０ｉｎ２から約５．５ｉｎ２までの範囲である。他の実施形態では、前面４０２５０の表面積は、約３．０ｉｎ２から約６．０ｉｎ２までの範囲であり得る。例えば、前面４０２５０の表面積は、約３．００ｉｎ２、約３．２５ｉｎ２、約３．５０ｉｎ２、約３．７５ｉｎ２、約４．００ｉｎ２、約４．２５ｉｎ２、約４．５０ｉｎ２、約４．７５ｉｎ２、約５．００ｉｎ２、約５．２５ｉｎ２、約５．５０ｉｎ２、約５．７５ｉｎ２、または約６．００ｉｎ２であり得る。
【０１８３】
ゴルフクラブヘッド４００００は、空洞挿入体４０１８５を受け入れるように構成された空洞４０１８０をさらに備えている。空洞４０１８０は、後面４０８６０と後端４０８７０との間で後部分４０８０２に位置決めされており、空洞ヒール帯４０１８２と、空洞トウ帯４０１８３と、空洞中心帯４０１８１と、前面４０２５０に向けて位置付けられた空洞内側区域４０１８４と、後端４０８７０に向けて位置付けられた空洞外側区域４０８８５とを備えている。本例では、空洞内側区域４０１８４は後面４０８６０の反対側に位置付けられており、空洞外側区域４０８８５は後端４０８７０の反対側に位置付けられている。図示した実施形態では、空洞４０１８０は、空洞ヒール帯４０１８２または空洞トウ帯４０１８３のいずれかにおいてより空洞中心帯４０１８１において幅広である。
【０１８４】
本例では、前面４０２５０と空洞内側区域４０１８４の露出面との間の距離が、空洞中心帯４０１８１においてより空洞ヒール帯４０１８２および空洞トウ帯４０１８３において大きい。後端４０８７０と空洞外側区域４０８８５の露出面との間の距離が、空洞中心帯４０１８１においてより空洞ヒール帯４０１８２および空洞トウ帯４０１８３において大きくなり得る実施形態もあり得る。図示した実施形態では、空洞４０１８０は、約４．５立方センチメートル（ｃｃ）から約５．０ｃｃまでの範囲の容積を有する。他の実施形態では、空洞４０１８０は、約４．０ｃｃを超える任意の容積を有し得る。例えば、空洞４０１８０は、約４．０ｃｃを超える容積、約４．１ｃｃを超える容積、約４．２ｃｃを超える容積、約４．３ｃｃを超える容積、約４．４ｃｃを超える容積、約４．５ｃｃを超える容積、約４．６ｃｃを超える容積、約４．７ｃｃを超える容積、約４．８ｃｃを超える容積、約４．９ｃｃを超える容積、または、約５．０ｃｃを超える容積を有し得る。
【０１８５】
空洞４０１８０は、空洞挿入体４０１８５を受け入れるように構成されている。空洞挿入体４０１８５は、本実施形態では、挿入体ヒール帯４０８８６と、挿入体トウ帯４０８８７と、挿入体中心帯４０８８８とを備え、挿入体中心帯４０８８８が挿入体ヒール帯４０８８６または挿入体トウ帯４０８８７のいずれかより厚くなるように、空洞４０１８０に対して相補的に成形されている。図示した実施形態では、挿入体ヒール帯４０８８６および挿入体トウ帯４０８８７は、挿入体内壁４０８８９に沿って挿入体中心帯４０８８８の周りで互いに対して鈍角とされている。同様に、空洞内側区域４０１８４は挿入体内壁４０８８９に対して相補的に鈍角とされている。本例では、空洞４０１８０は、挿入体４０８８５がクラブヘッド４００００に対して上部からソールへの方向において挿入可能となるように構成されている。挿入体４０８８５が同様の形の他の挿入体と置き換え可能であり得る例もあり得る。一部の実施形態では、挿入体４０１８５は、空洞４０１８０を部分的にのみ占有する形を備え得る、または、挿入体４０１８５は、空洞４０１８０からはみ出す形を備え得る。
【０１８６】
本実施形態では、挿入体４０１８５は、後面４０８６０の近くで空洞４０１８０からはみ出す形を備えている。図示した実施形態では、挿入体４０１８５は、後面４０８６０に隣接する空洞４０１８０の開口を越えて、約０．１５インチ（０．３８ｃｍ）から約０．２０インチ（０．５１ｃｍ）までの距離で延在する。他の実施形態では、挿入体４０１８５は、後面４０８６０に隣接する空洞４０１８０を越えて、約０インチから約０．２５インチ（０．６４ｃｍ）までの距離で延在できる。多くの実施形態では、打撃面４０１０２に隣接する空洞を越えて延在する挿入体４０１８５は、ゴルフボールとのインパクトにおいて、打撃面４０１０２への支持を増加させる。一部の実施形態では、挿入体４０１８５が、打撃面４０１０２への支持を増加させるために空洞４０１８０を越えて延在する距離に限度が存在する。例えば、図示した実施形態では、空洞４０１８０を越えて約０．２５インチ（０．６４ｃｍ）より大きく延びる挿入体は、ゴルフボールとのインパクトの間、打撃面４０１０２における支持をさらに増加させることはない。
【０１８７】
多くの実施形態では、クラブヘッド４００００の挿入体４０１８５は、現在の設計と比較して、後面４０８６０または空洞内側区域４０１８４との増加した接触面積を有する。例えば、図示した実施形態では、後面４０８６０との挿入体４０１８５の接触面積は約１．０ｉｎ２（６．４５ｃｍ２）である。他の実施形態では、後面４０８６０との挿入体４０１８５の接触面積は、約０．９ｉｎ２（５．８１ｃｍ２）より大きくでき、約１．０ｉｎ２（６．４５ｃｍ２）より大きくでき、約１．１ｉｎ２（７．１０ｃｍ２）より大きくでき、約１．２ｉｎ２（７．７４ｃｍ２）より大きくでき、約１．３ｉｎ２（８．３９ｃｍ２）より大きくでき、約１．４ｉｎ２（９．０３ｃｍ２）より大きくでき、または、約１．５ｉｎ２（９．６８ｃｍ２）より大きくできる。多くの実施形態では、後面４０８６０との挿入体４０１８５の接触面積は、前面４０２５０の表面積の約１８％〜２５％を備える。他の実施形態では、後面４０８６０との挿入体４０１８５の接触面積は、前面４０２５０の表面積の２０％〜４５％、２０％〜３５％、２５％〜４０％、２５％〜４５％、または３０％〜４５％を備え得る。例えば、一部の実施形態では、後面４０８６０との挿入体４０１８５の接触面積は、前面４０２５０の表面積の約１８％超、約１９％超、約２０％超、約２１％超、約２２％超、約２３％超、約２４％超、約２５％超を備える。
【０１８８】
さらに、多くの実施形態において、挿入体４０１８５は、現在の設計と比較して、空洞４０１８０の後面または空洞外側区域４０８８５との増加した接触面積を有する。例えば、図示した実施形態では、後面との挿入体４０１８５の接触面積は約０．８ｉｎ２（５．１６ｃｍ２）である。他の実施形態では、空洞４０１８０の後面との挿入体４０１８５の接触面積は、約０．７ｉｎ２（４．５２ｃｍ２）より大きくでき、約０．８ｉｎ２（５．１６ｃｍ２）より大きくでき、約０．９ｉｎ２（５．８１ｃｍ２）より大きくでき、約１．０ｉｎ２（６．４５ｃｍ２）より大きくでき、約１．１ｉｎ２（７．１０ｃｍ２）より大きくでき、約１．２ｉｎ２（７．７４ｃｍ２）より大きくでき、約１．３ｉｎ２（８．３９ｃｍ２）より大きくでき、約１．４ｉｎ２（９．０３ｃｍ２）より大きくでき、または、約１．５ｉｎ２（９．６８ｃｍ２）より大きくできる。多くの実施形態では、空洞４０１８０の後面との挿入体４０１８５の接触面積は、前面４０２５０の表面積の約１６％〜２５％を備える。例えば、一部の実施形態では、空洞４０１８０の後面との挿入体４０１８５の接触面積は、前面４０２５０の表面積の約１６％超、約１７％超、約１８％超、約１９％超、約２０％超、約２１％超、約２２％超、約２３％超、約２４％超、または約２５％超を備える。
【０１８９】
挿入体４０１８５と後面４０８６０との間の増加した接触面積は、より良好なフィーリングを作り出すためにクラブヘッド４００００の振動を低下させる。さらに、挿入体４０１８５とクラブヘッド４００００の後面４０８６０との間の増加した接触面積は、ゴルフボールとのインパクトにおける打撃面４０１０２の支持を増加させる。増加した支持は、打撃面４０１０２の一部分を薄くさせることができ、それによって、耐久性を維持しつつクラブヘッドの重量を低減する。図示した実施形態では、打撃面４０１０２の最も薄い部分は、打撃面４０１０２のトウ帯４０１０８およびヒール帯４０１０７に位置決めされ、前面４０２５０から打撃面４０１０２の後面４０８６０までの最小距離として測定される約０．０７５インチ（０．１９ｃｍ）の厚さを有している。他の実施形態では、打撃面４０１０２の最も薄い部分は、約０．１００インチ（０．２５ｃｍ）未満、約０．０９０インチ（０．２３ｃｍ）未満、約０．０８０インチ（０．２０ｃｍ）未満、約０．０７５インチ（０．１９ｃｍ）未満、約０．０７０インチ（０．１８ｃｍ）未満の前面４０２５０から後面４０８６０までの最小距離として測定される厚さを有し得る。
【０１９０】
これらの実施形態または他の実施形態では、打撃面４０１０２の厚さ（つまり、中心帯４０１０６の厚さ、ヒール帯４０１０７の厚さ、トウ帯４０１０８の厚さ、周辺帯４０１０９の厚さ、または、打撃面４０１０２の最も薄い部分の厚さ）は、現在のクラブヘッドの設計と比較して約３０％まで縮小され得る。一部の実施形態では、打撃面４０１０２の厚さは、現在のクラブヘッドの設計と比較して、約２０％〜２５％縮小され得る。例えば、図示した実施形態では、打撃面４０１０２の厚さは、現在のクラブヘッドの設計と比較して、約２３％縮小されている。
【０１９１】
打撃面４０１０２の薄くなることによるクラブヘッド４００００の重量の低減によって、慣性モーメントおよび復元許容性を増加させるために、追加の錘をクラブヘッドの周辺領域に位置決めさせることができる。多くの実施形態において、追加の錘は、クラブヘッド４００００の高いトウ領域４０９１０、低いトウ領域４０９１２、またはヒール領域４０１２０の少なくとも１つに位置決めされる。
【０１９２】
例えば、図示した実施形態では、約１３グラムから１５グラムの錘が、クラブヘッド４００００の打撃面４０１０２から高いトウ領域４０９１０へと再位置決めされる。他の実施形態では、約１０グラムから１００グラムの錘が、クラブヘッド４００００の打撃面４０１０２から高いトウ領域４０９１０へと再位置決めされ得る。例えば、一部の実施形態では、約１０グラム、約２０グラム、約３０グラム、約４０グラム、約５０グラム、約６０グラム、約７０グラム、約８０グラム、約９０グラム、または約１００グラムの錘が、クラブヘッド４００００の打撃面４０１０２から高いトウ領域４０９１０へと再位置決めされ得る。
【０１９３】
さらなる例について、図示した実施形態では、約４０グラムから６５グラムの錘が、クラブヘッド４００００の打撃面４０１０２から低いトウ領域４０９１２へと再位置決めされる。他の実施形態では、約１０グラムから１００グラムの錘が、クラブヘッド４００００の打撃面４０１０２から低いトウ領域４０９１２へと再位置決めされ得る。例えば、一部の実施形態では、約１０グラム、約２０グラム、約３０グラム、約４０グラム、約５０グラム、約６０グラム、約７０グラム、約８０グラム、約９０グラム、または約１００グラムの錘が、クラブヘッド４００００の打撃面４０１０２から低いトウ領域４０９１２へと再位置決めされ得る。
【０１９４】
さらなる例について、図示した実施形態では、約６５グラムから８５グラムの錘が、クラブヘッド４００００の打撃面４０１０２からヒール領域４０１２０へと再位置決めされる。他の実施形態では、約１０グラムから１００グラムの錘が、クラブヘッド４００００の打撃面４０１０２からヒール領域４０１２０へと再位置決めされ得る。例えば、一部の実施形態では、約１０グラム、約２０グラム、約３０グラム、約４０グラム、約５０グラム、約６０グラム、約７０グラム、約８０グラム、約９０グラム、または約１００グラムの錘が、クラブヘッド４００００の打撃面４０１０２からヒール領域４０１２０へと再位置決めされ得る。
【０１９５】
多くの実施形態において、打撃面４０１０２からクラブヘッド４００００の周辺へと錘を再位置決めすることで、クラブヘッドの慣性モーメントを増加させることができ、それによってクラブヘッドの復元許容性を増加させることができる。したがって、多くの実施形態において、低いトウ空洞および低いトウ挿入体は、所望のクラブヘッド性能特性を達成または改善するのに必要ではない。低いトウ空洞および低いトウ挿入体のない本明細書で記載されているクラブヘッド４００００は、打撃面の薄くない低いトウ空洞および低いトウ挿入体を有する同様のクラブヘッドと比較して、大きな慣性モーメントを有する。
【０１９６】
例えば、図示した実施形態では、クラブヘッド４００００は、約８０グラムインチ２（ｇｉｎ２）から１３０ｇｉｎ２まで（５１６グラムセンチメートル２から８３９ｇｃｍ２まで）のｘ軸の周りの慣性モーメントを有する。ｘ軸は、クラブヘッドのヒール領域４０１２０からトウ領域４０１１０までヘッド重心を通って延びている。これらの実施形態または他の実施形態において、ｘ軸の周りの慣性モーメントは、打撃面の薄くない低いトウ空洞および低いトウ挿入体を有する同様のクラブヘッドより約２．０％から８．５％大きい。他の実施形態では、クラブヘッド４００００は、約３５０２（５１６ｇｃｍ２）より大きいｘ軸の周りの慣性モーメントを有し得る。例えば、クラブヘッド４００００は、約９０ｇｉｎ２（５８１ｇｃｍ２）より大きい、約１００ｇｉｎ２（６４５ｇｃｍ２）より大きい、約１１０ｇｉｎ２（７１０ｇｃｍ２）より大きい、約１２０ｇｉｎ２（７７４ｇｃｍ２）より大きい、または、約１３０ｇｉｎ２（８３９ｇｃｍ２）より大きいｘ軸の周りの慣性モーメントを有し得る。
【０１９７】
さらなる例について、図示した実施形態では、クラブヘッド４００００は、約３９０グラムインチ２（ｇｉｎ２）から４７０ｇｉｎ２まで（２５１６グラムセンチメートル２（ｇｃｍ２）から３０３２ｇｃｍ２まで）のｙ軸の周りの慣性モーメントを有する。ｙ軸は、クラブヘッド４００００の上領域から下領域までヘッド重心を通って延びている。これらの実施形態または他の実施形態において、ｙ軸の周りの慣性モーメントは、打撃面の薄くない低いトウ空洞および低いトウ挿入体を有する同様のクラブヘッドより約２．５％から７．５％大きい。他の実施形態では、クラブヘッド４００００は、約３５０ｇｉｎ２（２２５８ｇｃｍ２）より大きいｙ軸の周りの慣性モーメントを有し得る。例えば、クラブヘッド４００００は、約３５０ｇｉｎ２（２２５８ｇｃｍ２）より大きい、約３７５ｇｉｎ２（２４１９ｇｃｍ２）より大きい、約４００ｇｉｎ２（２５８０ｇｃｍ２）より大きい、約４２５ｇｉｎ２（２７４１ｇｃｍ２）より大きい、約４５０ｇｉｎ２（２９０３ｇｃｍ２）より大きい、約４７５ｇｉｎ２（３０６４ｇｃｍ２）より大きい、または、約５００ｇｉｎ２（３２２６ｇｃｍ２）より大きいｙ軸の周りの慣性モーメントを有し得る。
【０１９８】
多くの実施形態において、空洞４０１８０は、挿入体４０１８５における１つまたは複数の溝に対応する１つまたは複数のリブ（図示せず）をさらに備える。１つまたは複数のリブは、１つまたは複数の溝の断面の形に対応する断面の形を有し得る。１つまたは複数のリブは、空洞内側区域４０１８４において、または、空洞外側区域４０８８５において位置決めされ得る。さらに、１つまたは複数の溝は、１つまたは複数のリブの位置に対応する挿入体４０１８５の側に位置決めされ得る。１つまたは複数の溝は、挿入体４０１８５を空洞４０１８０内で固定するために、挿入体４０１８５を空洞４０１８０内で位置決めするときに１つまたは複数のリブを受け入れることができる。挿入体４０１８５は、エポキシまたは他の結合材料を使用して、または、使用せずに、空洞４０１８０において位置決めできる。
【０１９９】
クラブヘッド４００００は、２つ以上のクラブヘッドにわたって増分で変化するロフト角を有する２つ以上のクラブヘッドを備えるクラブヘッド４５０００のセットの一部であり得る。例えば、ゴルフクラブヘッド４５０００のセットは、第１のロフト角を有する第１のゴルフクラブヘッドと、第１のロフト角より大きい第２のロフト角を有する第２のゴルフクラブヘッドとを備え得る。さらに、１つまたは複数の追加の特性は、後でさらに詳細に記載しているように、セット４５０００内の２つ以上のゴルフクラブヘッドにわたって変化してもよい。
【０２００】
一部の実施形態では、打撃面４０１０２の表面積は、セット４５０００における２つ以上のゴルフクラブヘッドにわたって変化してもよい。図示した実施形態では、打撃面４０１０２の表面積は、セット４５０００内の増加するロフト角と共に増加する。例えば、第１のゴルフクラブヘッドは第１の表面積を有し、第２のゴルフクラブヘッドは、第１の表面積より大きい第２の表面積を有する。
【０２０１】
一部の実施形態では、中心支持棒４０２１０の幅４０２１２は、セット４５０００における２つ以上のゴルフクラブヘッドにわたって変化してもよい。例えば、中心支持棒４０２１０の幅４０２１２は、セット４５０００内における１つまたは複数のゴルフクラブヘッドのロフト角の増加に伴って増加してもよい。これらの実施形態では、第１のゴルフクラブヘッドは、中心支持棒４０２１０の第１の幅を有することができ、第２のゴルフクラブヘッドは、第１の幅より大きい中心支持棒４０２１０の第２の幅を有することができる。さらなる例について、中心支持棒４０２１０の幅４０２１２は、セット４５０００内における１つまたは複数のゴルフクラブヘッドのロフト角の増加と共に縮小してもよい。これらの実施形態では、第１のゴルフクラブヘッドは、中心支持棒４０２１０の第１の幅を有することができ、第２のゴルフクラブヘッドは、第１の幅より小さい中心支持棒４０２１０の第２の幅を有することができる。他の実施形態では、中心支持棒４０２１０の幅４０２１２は、セット４５０００内における１つまたは複数のゴルフクラブヘッドのロフト角の増加に伴って実質的に一定のままであってもよい。
【０２０２】
一部の実施形態では、中心支持棒４０２１０の厚さは、セット４５０００における２つ以上のゴルフクラブヘッドにわたって変化してもよい。例えば、中心支持棒４０２１０の厚さは、セット４５０００内における１つまたは複数のゴルフクラブヘッドのロフト角の増加に伴って増加してもよい。これらの実施形態では、第１のゴルフクラブヘッドは、中心支持棒４０２１０の第１の厚さを有することができ、第２のゴルフクラブヘッドは、第１の厚さより大きい中心支持棒４０２１０の第２の厚さを有することができる。さらなる例について、中心支持棒４０２１０の厚さは、セット４５０００内における１つまたは複数のゴルフクラブヘッドのロフト角の増加に伴って低下してもよい。これらの実施形態では、第１のゴルフクラブヘッドは、中心支持棒４０２１０の第１の厚さを有することができ、第２のゴルフクラブヘッドは、第１の厚さより小さい中心支持棒４０２１０の第２の厚さを有することができる。他の実施形態では、中心支持棒４０２１０の厚さは、セット４５０００内における１つまたは複数のゴルフクラブヘッドのロフト角の増加に伴って実質的に一定のままであってもよい。
【０２０３】
一部の実施形態では、下支持棒４０２２０の高さ４０２２２は、セット４５０００における２つ以上のゴルフクラブヘッドにわたって変化してもよい。一部の実施形態では、下支持棒４０２２０の高さ４０２２２は、セット４５０００における２つ以上のゴルフクラブヘッドにわたって変化してもよい。例えば、下支持棒４０２２０の高さ４０２２２は、セット４５０００内における１つまたは複数のゴルフクラブヘッドのロフト角の増加に伴って増加してもよい。これらの実施形態では、第１のゴルフクラブヘッドは、下支持棒４０２２０の第１の高さを有することができ、第２のゴルフクラブヘッドは、第１の高さより大きい下支持棒４０２２０の第２の高さを有することができる。さらなる例について、下支持棒４０２２０の高さ４０２２２は、セット４５０００内における１つまたは複数のゴルフクラブヘッドのロフト角の増加に伴って低下してもよい。これらの実施形態では、第１のゴルフクラブヘッドは、下支持棒４０２２０の第１の高さを有することができ、第２のゴルフクラブヘッドは、第１の高さより小さい下支持棒４０２２０の第２の高さを有することができる。他の実施形態では、下支持棒４０２２０の高さ４０２２２は、セット４５０００内における１つまたは複数のゴルフクラブヘッドのロフト角の増加に伴って実質的に一定のままであってもよい。一部の実施形態では、中心支持棒４０２１０の厚さは、セット４５０００における２つ以上のゴルフクラブヘッドにわたって変化してもよい。
【０２０４】
一部の実施形態では、下支持棒４０２２０の厚さは、セット４５０００における２つ以上のゴルフクラブヘッドにわたって変化してもよい。例えば、下支持棒４０２２０の厚さは、セット４５０００内における１つまたは複数のゴルフクラブヘッドのロフト角の増加に伴って増加してもよい。これらの実施形態では、第１のゴルフクラブヘッドは、下支持棒４０２２０の第１の厚さを有することができ、第２のゴルフクラブヘッドは、第１の厚さより大きい下支持棒４０２２０の第２の厚さを有することができる。さらなる例について、下支持棒４０２２０の厚さは、セット４５０００内における１つまたは複数のゴルフクラブヘッドのロフト角の増加に伴って低下してもよい。これらの実施形態では、第１のゴルフクラブヘッドは、下支持棒４０２２０の第１の厚さを有することができ、第２のゴルフクラブヘッドは、第１の厚さより小さい下支持棒４０２２０の第２の厚さを有することができる。他の実施形態では、下支持棒４０２２０の厚さは、セット４５０００内における１つまたは複数のゴルフクラブヘッドのロフト角の増加に伴って実質的に一定のままであってもよい。
【０２０５】
一部の実施形態では、後面４０８６０または空洞内側区域４０１８４との挿入体４０１８５の接触面積は、セット４５０００における２つ以上のゴルフクラブヘッドにわたって変化してもよい。例えば、後面４０８６０との挿入体４０１８５の接触面積は、セット４５０００内における１つまたは複数のゴルフクラブヘッドのロフト角の増加に伴って増加してもよい。これらの実施形態では、第１のゴルフクラブヘッドは第１の接触面積を有することができ、第２のゴルフクラブヘッドは、第１の接触面積より大きい第２の接触面積を有することができる。さらなる例について、後面４０８６０との挿入体４０１８５の接触面積は、セット４５０００内における１つまたは複数のゴルフクラブヘッドのロフト角の増加に伴って低下してもよい。これらの実施形態では、第１のゴルフクラブヘッドは第１の接触面積を有することができ、第２のゴルフクラブヘッドは、第１の接触面積より小さい第２の接触面積を有することができる。他の実施形態では、後面４０８６０との挿入体４０１８５の接触面積は、セット４５０００内における１つまたは複数のゴルフクラブヘッドのロフト角の増加に伴って実質的に一定のままであってもよい。
【０２０６】
一部の実施形態では、空洞外側区域４０８８５または空洞４０１８０の後面との挿入体４０１８５の接触面積は、セット４５０００における２つ以上のゴルフクラブヘッドにわたって変化してもよい。例えば、空洞外側区域４０８８５との挿入体４０１８５の接触面積は、セット４５０００内における１つまたは複数のゴルフクラブヘッドのロフト角の増加に伴って増加してもよい。これらの実施形態では、第１のゴルフクラブヘッドは第１の接触面積を有することができ、第２のゴルフクラブヘッドは、第１の接触面積より大きい第２の接触面積を有することができる。さらなる例について、空洞外側区域４０８８５との挿入体４０１８５の接触面積は、セット４５０００内における１つまたは複数のゴルフクラブヘッドのロフト角の増加に伴って低下してもよい。これらの実施形態では、第１のゴルフクラブヘッドは第１の接触面積を有することができ、第２のゴルフクラブヘッドは、第１の接触面積より小さい第２の接触面積を有することができる。他の実施形態では、空洞外側区域４０８８５との挿入体４０１８５の接触面積は、セット４５０００内における１つまたは複数のゴルフクラブヘッドのロフト角の増加に伴って実質的に一定のままであってもよい。
【０２０７】
一部の実施形態では、空洞４０１８０の容積は、セット４５０００における２つ以上のゴルフクラブヘッドにわたって変化してもよい。例えば、空洞４０１８０の容積は、セット４５０００内における１つまたは複数のゴルフクラブヘッドのロフト角の増加に伴って増加してもよい。これらの実施形態では、第１のゴルフクラブヘッドは第１の容積を有することができ、第２のゴルフクラブヘッドは、第１の容積より大きい第２の容積を有することができる。さらなる例について、空洞４０１８０の容積は、セット４５０００内における１つまたは複数のゴルフクラブヘッドのロフト角の増加に伴って低下してもよい。これらの実施形態では、第１のゴルフクラブヘッドは第１の容積を有することができ、第２のゴルフクラブヘッドは、第１の容積より小さい第２の容積を有することができる。他の実施形態では、空洞４０１８０の容積は、セット４５０００内における１つまたは複数のゴルフクラブヘッドのロフト角の増加に伴って実質的に一定のままであってもよい。
【０２０８】
一部の実施形態では、挿入体４０１８５が後面４０８６０に隣接する空洞４０１８０を越えて延びる距離は、セット４５０００における２つ以上のゴルフクラブヘッドにわたって変化してもよい。例えば、挿入体４０１８５が後面４０８６０に隣接する空洞４０１８０を越えて延びる距離は、セット４５０００内における１つまたは複数のゴルフクラブヘッドのロフト角の増加に伴って増加してもよい。これらの実施形態では、第１のゴルフクラブヘッドは第１の距離を有することができ、第２のゴルフクラブヘッドは、第１の距離より大きい第２の距離を有することができる。さらなる例について、挿入体４０１８５が後面４０８６０に隣接する空洞４０１８０を越えて延びる距離は、セット４５０００内における１つまたは複数のゴルフクラブヘッドのロフト角の増加に伴って低下してもよい。これらの実施形態では、第１のゴルフクラブヘッドは第１の距離を有することができ、第２のゴルフクラブヘッドは、第１の距離より小さい第２の距離を有することができる。他の実施形態では、挿入体４０１８５が後面４０８６０に隣接する空洞４０１８０を越えて延びる距離は、セット４５０００内における１つまたは複数のゴルフクラブヘッドのロフト角の増加に伴って実質的に一定のままであってもよい。
【０２０９】
一部の実施形態では、打撃面４０１０２の厚さは、セット４５０００における２つ以上のゴルフクラブヘッドにわたって変化してもよい。これらの実施形態では、打撃面４０１０２の厚さは、中心帯４０１０６、ヒール帯４０１０７、トウ帯４０１０８、または周辺帯４０１０９を含む任意の帯域での打撃面の厚さを示すことができる。例えば、打撃面４０１０２の厚さは、セット４５０００内における１つまたは複数のゴルフクラブヘッドのロフト角の増加に伴って増加してもよい。これらの実施形態では、第１のゴルフクラブヘッドは第１の打撃面の厚さを有することができ、第２のゴルフクラブヘッドは、第１の打撃面の厚さより大きい第２の打撃面の厚さを有することができる。さらなる例について、打撃面４０１０２の厚さは、セット４５０００内における１つまたは複数のゴルフクラブヘッドのロフト角の増加に伴って低下してもよい。これらの実施形態では、第１のゴルフクラブヘッドは第１の打撃面の厚さを有することができ、第２のゴルフクラブヘッドは、第１の打撃面の厚さより小さい第２の打撃面の厚さを有することができる。他の実施形態では、打撃面４０１０２の厚さは、セット４５０００内における１つまたは複数のゴルフクラブヘッドのロフト角の増加に伴って実質的に一定のままであってもよい。
【０２１０】
一部の実施形態では、ｘ軸の周りでのクラブヘッドの慣性モーメントは、セット４５０００における２つ以上のゴルフクラブヘッドにわたって変化してもよい。図示した実施形態では、ｘ軸の周りでの慣性モーメントは、セット４５０００内における１つまたは複数のクラブヘッドのロフト角の増加に伴って増加する。これらの実施形態では、第１のゴルフクラブヘッドは、ｘ軸の周りでの第１の慣性モーメントを有することができ、第２のゴルフクラブヘッドは、ｘ軸の周りでの第１の慣性モーメントより大きいｘ軸の周りでの第２の慣性モーメントを有することができる。他の実施形態では、ｘ軸の周りでの慣性モーメントは、セット４５０００における１つまたは複数のクラブヘッドのロフト角の増加に伴って低下してもよい。これらの実施形態では、第１のゴルフクラブヘッドは、ｘ軸の周りでの第１の慣性モーメントを有することができ、第２のゴルフクラブヘッドは、ｘ軸の周りでの第１の慣性モーメントより小さいｘ軸の周りでの第２の慣性モーメントを有することができる。さらに、他の実施形態では、ｘ軸の周りでの慣性モーメントは、セット４５０００内における１つまたは複数のゴルフクラブヘッドのロフト角の増加に伴って実質的に一定のままであってもよい。
【０２１１】
一部の実施形態では、ｙ軸の周りでのクラブヘッドの慣性モーメントは、セット４５０００における２つ以上のゴルフクラブヘッドにわたって変化してもよい。図示した実施形態では、ｙ軸の周りでの慣性モーメントは、セット４５０００における１つまたは複数のクラブヘッドのロフト角の増加に伴って増加する。これらの実施形態では、第１のゴルフクラブヘッドは、ｙ軸の周りでの第１の慣性モーメントを有することができ、第２のゴルフクラブヘッドは、ｙ軸の周りでの第１の慣性モーメントより大きいｙ軸の周りでの第２の慣性モーメントを有することができる。他の実施形態では、ｙ軸の周りでの慣性モーメントは、セット４５０００における１つまたは複数のクラブヘッドのロフト角の増加に伴って低下してもよい。これらの実施形態では、第１のゴルフクラブヘッドは、ｙ軸の周りでの第１の慣性モーメントを有することができ、第２のゴルフクラブヘッドは、ｙ軸の周りでの第１の慣性モーメントより小さいｘ軸の周りでの第２の慣性モーメントを有することができる。さらに、他の実施形態では、ｙ軸の周りでの慣性モーメントは、セット４５０００内における１つまたは複数のゴルフクラブヘッドのロフト角の増加に伴って実質的に一定のままであってもよい。
【０２１２】
一部の実施形態では、打撃面４０１０２からクラブヘッドの周辺領域（つまり、高いトウ領域４０９１０、低いトウ領域４０９１２、またはヒール領域４０１２０）へと再位置決めされる錘の総量は、セット４５０００における２つ以上のゴルフクラブヘッドにわたって変化してもよい。例えば、図示した実施形態では、打撃面４０１０２から高いトウ領域４０９１０へと再位置決めされる錘の総量は、セット４５０００における１つまたは複数のクラブヘッドのロフト角の増加に伴って低下する。他の実施形態では、打撃面４０１０２から高いトウ領域４０９１０へと再位置決めされる錘の総量は、セット４５０００における１つまたは複数のクラブヘッドのロフト角の増加に伴って増加してもよい、または、打撃面４０１０２から高いトウ領域４０９１０へと再位置決めされる錘の総量は、セット４５０００における１つまたは複数のクラブヘッドのロフト角の増加に伴って実質的に一定のままであってもよい。
【０２１３】
さらなる例について、図示した実施形態では、打撃面４０１０２から低いトウ領域４０９１２へと再位置決めされる錘の総量は、セット４５０００における１つまたは複数のクラブヘッドのロフト角の増加に伴って増加する。他の実施形態では、打撃面４０１０２から低いトウ領域４０９１２へと再位置決めされる錘の総量は、セット４５０００における１つまたは複数のクラブヘッドのロフト角の増加に伴って低下してもよい、または、打撃面４０１０２から低いトウ領域４０９１２へと再位置決めされる錘の総量は、セット４５０００における１つまたは複数のクラブヘッドのロフト角の増加に伴って実質的に一定のままであってもよい。
【０２１４】
さらなる例について、図示した実施形態では、打撃面４０１０２からヒール領域４０１２０へと再位置決めされる錘の総量は、セット４５０００における１つまたは複数のクラブヘッドのロフト角の増加に伴って増加する。他の実施形態では、打撃面４０１０２からヒール領域４０１２０へと再位置決めされる錘の総量は、セット４５０００における１つまたは複数のクラブヘッドのロフト角の増加に伴って低下してもよい、または、打撃面４０１０２からヒール領域４０１２０へと再位置決めされる錘の総量は、セット４５０００における１つまたは複数のクラブヘッドのロフト角の増加に伴って実質的に一定のままであってもよい。
【０２１５】
本明細書で詳述した変化特性を伴うクラブヘッドセットおよび関連する方法は、様々な実施形態で実施でき、これらの実施形態の先の詳述は、すべての可能な実施形態の完全な記載を必ずしも表していない。むしろ、図面の詳細な記載および図面自体は、少なくとも１つの好ましい実施形態を開示しており、追加の実施形態を開示してもよい。
【０２１６】
１つまたは複数の請求された要素の置き換えは、再構築を構成し、修復を構成しない。また、便益、他の利点、および問題への解決策は、特定の実施形態に関して記載されている。しかしながら、便益と、利点と、問題への解決策と、任意の便益、利点、または解決策をより生み出し得る、または、より顕著にさせ得る任意の要素とは、このような便益、利点、解決策、または要素が請求項において明示的に述べられていない場合、請求項のうちのいずれかまたは全部の必須の、要求の、または不可欠の特徴または要素として解釈されるものではない。
【０２１７】
さらに、本明細書で記載した実施形態および限定は、実施形態および／または限定が、（１）請求項において明示的に請求されていない場合、ならびに、（２）均等論の下、請求項における明示の要素および／もしくは限定である、または、それらの潜在的な均等である場合、公有の原則の下、公衆に供されてはいない。
【図１】
2020195804.tif 000003
【図２】
2020195804.tif 000004
【図３】
2020195804.tif 000005
【図４】
2020195804.tif 000006
【図５】
2020195804.tif 000007
【図６】
2020195804.tif 000008
【図７】
2020195804.tif 000009
【図８】
2020195804.tif 000010
【図９】
2020195804.tif 000011
【図１０】
2020195804.tif 000012
【図１１】
2020195804.tif 000013
【図１２】
2020195804.tif 000014
【図１３】
2020195804.tif 000015
【図１４】
2020195804.tif 000016
【図１５】
2020195804.tif 000017
【図１６】
2020195804.tif 000018
【図１７】
2020195804.tif 000019
【図１８】
2020195804.tif 000020
【図１９】
2020195804.tif 000021
【図２０】
2020195804.tif 000022
【図２１】
2020195804.tif 000023
【図２２】
2020195804.tif 000024
【図２３】
2020195804.tif 000025
【図２４】
2020195804.tif 000026
【図２５】
2020195804.tif 000027
【図２６】
2020195804.tif 000028
【図２７】
2020195804.tif 000029
【図２８】
2020195804.tif 000030
【図２９】
2020195804.tif 000031
【図３０】
2020195804.tif 000032
【図３１】
2020195804.tif 000033
【図３２】
2020195804.tif 000034
【図３３】
2020195804.tif 000035
【図３４】
2020195804.tif 000036
【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
上領域と、
前記上領域の反対側のソール領域と、
トウ領域と、
前記トウ領域の反対側のヒール領域と、
中心支持棒および下支持棒を有する支持構造体と、
前面、前記前面の反対側の後面、および不均一な厚さを有する打撃面であって、前記打撃面の最薄部分は、前記打撃面の前記前面から前記後面までの最小の垂直距離として測定される約０．０７０インチ（０．１８ｃｍ）以下の厚さを有する、前記打撃面と、
相補的な挿入体を受け入れ収容する空洞であって、前記挿入体の前記後面との接触面積は、前記前面の表面積の３０％〜４５％である、前記空洞と、を備え、
前記挿入体は、前記上領域から前記ソール領域の方向に挿入可能であり、
前記挿入体の比重は、約１グラム／ｃｃ（１グラム／立方センチメートル）であり、
前記挿入体は、挿入体ヒール帯と、挿入体トウ帯と、前記挿入体ヒール帯と前記挿入体トウ帯との間の挿入中心帯と、を備え、
前記挿入体ヒール帯と前記挿入体トウ帯は、前記挿入体中心帯と挿入体内壁の周りで、互いに対して鈍角になっており、
前記挿入体は、前記挿入体ヒール帯と前記挿入体トウ帯においてよりも前記挿入体中心帯において、前記挿入体内壁から挿入体外壁へと幅広であり、
前記空洞は、約４．５ｃｃ（４．５立方センチメートル）から約５．０ｃｃ（５．０立方センチメートル）までの範囲にある容積をさらに備える、ゴルフクラブヘッド。
【請求項２】
前記中心支持棒は、前記上領域の近くから前記ソール領域の近くに向かって増大する幅を有し、
前記下支持棒は、中心近くから前記ヒール領域および前記トウ領域の近くに向かって縮小する高さを有する、請求項１に記載のゴルフクラブヘッド。
【請求項３】
前記打撃面は、
前記中心支持棒によって補強される前記打撃面の一部分を備える中心帯と、
前記ゴルフクラブヘッドの前記ヒール領域の近くで、前記支持構造体からの補強のない前記打撃面の一部分を備えるヒール帯と、
前記ゴルフクラブヘッドの前記トウ領域の近くで、前記支持構造体からの補強のない前記打撃面の一部分を備えるトウ帯と、
前記中心帯、前記ヒール帯、前記トウ帯、および前記下支持棒を包囲する前記打撃面の一部分を備える周辺帯と、をさらに備え、
前記ヒール帯における前記打撃面の前記厚さは、前記トウ帯における前記打撃面の前記厚さと略同一であり、
前記ヒール帯および前記トウ帯における前記打撃面の前記厚さは、前記中心帯における前記打撃面の前記厚さより小さく、
前記中心帯における前記打撃面の前記厚さは、前記周辺帯における前記打撃面の前記厚さより小さい、請求項１または２に記載のゴルフクラブヘッド。
【請求項４】
前記挿入体は、前記後面に隣接する前記空洞の開口を越えて延在する、請求項１から３のいずれか一項に記載のゴルフクラブヘッド。
【請求項５】
前記挿入体は、前記後面に隣接する前記空洞の開口を越えて、約０．１５インチ（０．３８ｃｍ）から０．２０インチ（０．５１ｃｍ）の距離まで延在する、請求項１から４のいずれか一項に記載のゴルフクラブヘッド。
【請求項６】
前記挿入体は、前記後面に隣接する前記空洞の開口を越えて、約０．２５インチ以下（０．６４ｃｍ）の距離まで延在する、請求項１から４のいずれか一項に記載のゴルフクラブヘッド。
【請求項７】
前記ゴルフクラブヘッドの重心を通り、前記ヒール領域から前記トウ領域まで延在するｘ軸の周りにおける慣性モーメントは、８０ｇｉｎ２（５１６ｇｃｍ２）以上である、請求項１から６のいずれか一項に記載のゴルフクラブヘッド。
【請求項８】
前記ゴルフクラブヘッドの重心を通り、前記上領域から前記ソール領域まで延在するｙ軸の周りにおける慣性モーメントは、３５０ｇｉｎ２（２２５８ｇｃｍ２）以上である、請求項１から７のいずれか一項に記載のゴルフクラブヘッド。
【請求項９】
前記空洞は、
空洞内側区域と、
空洞外側区域と、
空洞ヒール帯と、
空洞トウ帯と、
空洞中心帯と、を備え、
前記空洞は、前記空洞ヒール帯または前記空洞トウ帯のいずれかにおいてよりも前記空洞中心帯において幅広であり、
前記前面と前記空洞内側区域の露出面との間の距離は、前記空洞中心帯においてよりも前記空洞ヒール帯および前記空洞トウ帯において大きい、請求項１から８のいずれか一項に記載のゴルフクラブヘッド。
【請求項１０】
上領域と、
前記上領域の反対側のソール領域と、
トウ領域と、
前記トウ領域の反対側のヒール領域と、
中心支持棒および下支持棒を有する支持構造体と、
前面、前記前面の反対側の後面、上端、前記上端の反対側の下端、上方領域、下方領域、および不均一な厚さを有する打撃面と、
相補的な挿入体を受け入れ収容する空洞であって、前記挿入体の前記後面との接触面積は、前記前面の表面積の３０％〜４５％である、前記空洞と、を備え、
前記挿入体の比重は、約１グラム／ｃｃ（１グラム／立方センチメートル）であり、
前記挿入体は、挿入体ヒール帯と、挿入体トウ帯と、前記挿入体ヒール帯と前記挿入体トウ帯との間の挿入中心帯と、を備え、
前記挿入体ヒール帯と前記挿入体トウ帯は、前記挿入体中心帯と挿入体内壁の周りで、互いに対して鈍角になっており、
前記挿入体は、前記挿入体ヒール帯と前記挿入体トウ帯においてよりも前記挿入体中心帯において、前記挿入体内壁から挿入体外壁へと幅広であり、
前記打撃面の前記上方領域は、前記空洞の上部と前記打撃面の前記上端との間に位置決めされており、０．０９０インチ（０．２３ｃｍ）以下の最小の上方の厚さを含み、
前記打撃面の前記下方領域は、前記空洞の上部と前記打撃面の前記下端との間に位置決めされており、０．１０インチ（０．２５ｃｍ）以下の最小の下方の厚さを含み、
前記空洞は、約４．５ｃｃ（４．５立方センチメートル）から約５．０ｃｃ（５．０立方センチメートル）までの範囲にある容積をさらに備える、ゴルフクラブヘッド。
【請求項１１】
前記後面との前記挿入体の前記接触面積は、０．９ｉｎ２（５．８１ｃｍ２）より大きい、請求項１０に記載のゴルフクラブヘッド。
【請求項１２】
前記後面との前記挿入体の前記接触面積は、１．０ｉｎ２（６．４５ｃｍ２）より大きい、請求項１０または１１に記載のゴルフクラブヘッド。 
【手続補正２】
【補正対象書類名】明細書
【補正対象項目名】０００３
【補正方法】変更
【補正の内容】
【０００３】
様々な設計のゴルフクラブ、明確に言えば、ゴルフクラブヘッドが、典型的には、人のゴルフスイングと、結果生じるゴルフショットとを改善させるために開発されてきた。具体的には、多くの人々は、ボールを「打ち込む」とき、打つことができない、または、一貫性を欠いてしまい、ボールを正面から規則的に打つことができない。ゴルフクラブの設計、特には、ゴルフクラブヘッドの設計は、ゴルフクラブヘッドの重心位置および慣性モーメントなど、ゴルフクラブヘッドの重み付けの構成を最適化できる。このような設計は、人の非一貫性の問題を緩和できる。後への重み付けおよび／または追加のより低いトウへの重み付けによって、重心を戦略的に位置決めでき、人に自身のスイングの間にボールを「打ち込む」ようにさせることで、ボールを正面から打たせることができる。本明細書では、ゴルフクラブヘッドがゴルフボールにインパクトするときに良好なフィーリングを作り出すことができる技術を提供する。
【手続補正３】
【補正対象書類名】明細書
【補正対象項目名】０２１７
【補正方法】変更
【補正の内容】
【０２１７】
さらに、本明細書で記載した実施形態および限定は、実施形態および／または限定が、（１）請求項において明示的に請求されていない場合、ならびに、（２）均等論の下、請求項における明示の要素および／もしくは限定である、または、それらの潜在的な均等である場合、公有の原則の下、公衆に供されてはいない。
以下の項目は、国際出願時の特許請求の範囲に記載の要素である。
（項目１）
上領域と、
前記上領域の反対側のソール領域と、
トウ領域と、
前記トウ領域の反対側のヒール領域と、
中心支持棒および下支持棒を有する支持構造体と、
前面、前記前面の反対側の後面、および不均一な厚さを有する打撃面であって、前記打撃面の最薄部分は、前記打撃面の前記前面から前記後面までの最小の垂直距離として測定される約０．０８０インチ以下の厚さを有する、前記打撃面と、
挿入体を受け入れる空洞であって、前記挿入体の前記後面との接触面積は、前記前面の表面積の２０％〜４５％である、前記空洞と、を備える、ゴルフクラブヘッド。
（項目２）
前記中心支持棒は、前記上領域の近くから前記ソール領域の近くに向かって増大する幅を有し、
前記下支持棒は、中心近くから前記ヒール領域および前記トウ領域の近くに向かって縮小する高さを有する、項目１に記載のゴルフクラブヘッド。
（項目３）
前記打撃面は、
前記中心支持棒によって補強される前記打撃面の一部分を備える中心帯と、
前記クラブヘッドの前記ヒール領域の近くで、前記支持構造体からの補強のない前記打撃面の一部分を備えるヒール帯と、
前記クラブヘッドの前記トウ領域の近くで、前記支持構造体からの補強のない前記打撃面の一部分を備えるトウ帯と、
前記中心帯、前記ヒール帯、前記トウ帯、および前記下支持棒を包囲する前記打撃面の一部分を備える周辺帯と、をさらに備え、
前記ヒール帯における前記打撃面の前記厚さは、前記トウ帯における前記打撃面の前記厚さと略同一であり、
前記ヒール帯および前記トウ帯における前記打撃面の前記厚さは、前記中心帯における前記打撃面の前記厚さより小さく、
前記中心帯における前記打撃面の前記厚さは、前記周辺帯における前記打撃面の前記厚さより小さい、項目１に記載のゴルフクラブヘッド。
（項目４）
前記空洞は、約４．５ｃｃから約５．０ｃｃまでの範囲にある容積をさらに備える、項目１に記載のゴルフクラブヘッド。
（項目５）
前記空洞の前記容積は約４．０ｃｃ以上である、項目４に記載のゴルフクラブヘッド。
（項目６）
前記挿入体は、前記後面に隣接する前記空洞の開口を越えて延在する、項目１に記載のゴルフクラブヘッド。
（項目７）
前記挿入体は、前記後面に隣接する前記空洞の開口を越えて、約０．１５インチから０．２０インチの距離まで延在する、項目１に記載のゴルフクラブヘッド。
（項目８）
前記挿入体は、前記後面に隣接する前記空洞の開口を越えて、約０．２５インチ以下の距離まで延在する、項目１に記載のゴルフクラブヘッド。
（項目９）
前記クラブヘッドの重心を通り、前記ヒール領域から前記トウ領域まで延在するｘ軸の周りにおける慣性モーメントは、８０ｇｉｎ２以上である、項目１に記載のゴルフクラブヘッド。
（項目１０）
前記クラブヘッドの重心を通り、前記上領域から前記ソール領域まで延在するｙ軸の周りにおける慣性モーメントは、３５０ｇｉｎ２以上である、項目１に記載のゴルフクラブヘッド。
（項目１１）
前記空洞は、
空洞内側区域と、
空洞外側区域と、
空洞ヒール帯と、
空洞トウ帯と、
空洞中心帯と、を備え、
前記空洞は、前記空洞ヒール帯または前記空洞トウ帯のいずれかにおいてよりも前記空洞中心帯において幅広であり、
前記前面と前記空洞内側区域の露出面との間の距離は、前記空洞中心帯においてよりも前記空洞ヒール帯および前記空洞トウ帯において大きい、項目１に記載のゴルフクラブヘッド。
（項目１２）
前記打撃面の前記最薄部分は、約０．０７５インチ以下の厚さを有する、項目１に記載のゴルフクラブヘッド。
（項目１３）
前記打撃面の前記最薄部分は、約０．０７０インチ以下の厚さを有する、項目１に記載のゴルフクラブヘッド。
（項目１４）
前記挿入体の前記後面との前記接触面積は、前記前面の前記表面積の２５％〜４５％である、項目１に記載のゴルフクラブヘッド。
（項目１５）
前記挿入体の前記後面との前記接触面積は、前記前面の前記表面積の３０％〜４５％である、項目１に記載のゴルフクラブヘッド。
（項目１６）
上領域と、
前記上領域の反対側のソール領域と、
トウ領域と、
前記トウ領域の反対側のヒール領域と、
中心支持棒および下支持棒を有する支持構造体と、
前面、前記前面の反対側の後面、上端、前記上端の反対側の下端、上方領域、下方領域、および不均一な厚さを有する打撃面と、
挿入体を受け入れる空洞であって、前記挿入体の前記後面との接触面積は、前記前面の表面積の２０％〜４５％である、前記空洞と、を備え、
前記打撃面の前記上方領域は、前記空洞の上部と前記打撃面の前記上端との間に位置決めされており、０．０９０インチ以下の最小の上方の厚さを含み、
前記打撃面の前記下方領域は、前記空洞の上部と前記打撃面の前記下端との間に位置決めされており、０．１０インチ以下の最小の下方の厚さを含む、ゴルフクラブヘッド。
（項目１７）
前記後面との前記挿入体の前記接触面積は、前記前面の前記表面積の２５％〜４５％である、項目１６に記載のゴルフクラブヘッド。
（項目１８）
前記後面との前記挿入体の前記接触面積は、前記前面の前記表面積の３０％〜４５％である、項目１６に記載のゴルフクラブヘッド。
（項目１９）
前記後面との前記挿入体の前記接触面積は、０．９ｉｎ２より大きい、項目１６に記載のゴルフクラブヘッド。
（項目２０）
前記後面との前記挿入体の前記接触面積は、１．０ｉｎ２より大きい、項目１６に記載のゴルフクラブヘッド。
【外国語明細書】
2020195804000001.pdf
2020195804000002.pdf
2020195804000003.pdf
2020195804000004.pdf